(57)【要約】  本出願の実施形態は、モノのインターネットに基づく情報処理方法、およびデバイスを開示する。ユーザの識別情報認証は、モノのインターネットを使用することによって情報を交換することができる第１のデバイスおよびサーバデバイスを使用することによって、取得されたユーザのバイオメトリック特徴情報にしたがって、実施することができる。第１のデバイスは、ユーザがモバイル端末を持ち運ばなくてもよいように、モバイル端末デバイスではなく、モノのインターネットのデバイスであってもよい。既存の技術と比較して、本出願で提供される方法は、より便利あり、また安全である。
2020515979.tif 000002
【特許請求の範囲】
【請求項１】
モノのインターネットに基づく情報処理システムであって、前記システムはサーバデバイスと、第１のデバイスとを備え、前記第１のデバイスはモノのインターネットのデバイスであり、
前記第１のデバイスは、第１の取得命令がトリガされると、バイオメトリック特徴情報を取得し、前記取得されたバイオメトリック特徴情報を前記サーバデバイスに送信するように構成され、
前記サーバデバイスは、前記第１のデバイスによって送信された前記バイオメトリック特徴情報を受信し、前記バイオメトリック特徴情報にしたがって、前記バイオメトリック特徴情報に対応するユーザを識別するように構成される、
モノのインターネットに基づく情報処理システム。
【請求項２】
前記システムは第２のデバイスをさらに備え、前記第２のデバイスはモノのインターネットのデバイスであり、
前記第２のデバイスは、第２の取得命令がトリガされると、身体動作情報を取得し、前記取得された身体動作情報を前記サーバデバイスに送信するように構成され、
前記サーバデバイスは、前記第２のデバイスによって送信された前記身体動作情報を受信し、前記身体動作情報にしたがって、前記ユーザのためにトランザクションまたは操作を実施するように構成される、
請求項１に記載のシステム。
【請求項３】
前記第１のデバイスと前記第２のデバイスは同一のデバイスであるか、または
前記第１のデバイスと前記第２のデバイスは同一のデバイスではない、
請求項２に記載のシステム。
【請求項４】
前記第１のデバイスと前記第２のデバイスは同一のデバイスではない場合、前記第１のデバイスと前記第２のデバイスは結合関係を有し、
前記第１のデバイスは前記サーバデバイスによって前記バイオメトリック特徴情報にしたがって前記ユーザを識別することによって得られた識別結果を受信し、前記識別結果にしたがって、前記第１のデバイスに結合される前記第２のデバイスの前記第２の取得命令をトリガするかどうかを判断するか、または前記バイオメトリック特徴情報にしたがって前記ユーザを識別した後、前記サーバデバイスは識別結果にしたがって、前記第１のデバイスに結合される前記第２のデバイスの前記第２の取得命令をトリガするかどうかを判断する、
請求項３に記載のシステム。
【請求項５】
前記システムは音声デバイスをさらに備え、前記音声デバイスはモノのインターネットのデバイスであり、
前記音声デバイスは、音声情報を取得し、前記取得された音声情報を前記サーバデバイスに送信するように構成され、
前記サーバデバイスは、前記音声デバイスによって送信された前記音声情報を受信し、前記バイオメトリック特徴情報および前記音声情報に含まれる声紋特徴情報にしたがって前記ユーザを識別するように構成される、
請求項１に記載のシステム。
【請求項６】
前記システムは音声デバイスをさらに備え、前記音声デバイスはモノのインターネットのデバイスであり、
前記音声デバイスは、音声情報を取得し、前記取得された音声情報を前記サーバデバイスに送信するように構成され、
前記サーバデバイスは、前記音声デバイスによって送信された前記音声情報を受信し、前記音声情報に対する意味的な認識を実施し、前記身体動作情報および前記音声情報から認識した意味にしたがって前記ユーザのために前記トランザクションまたは操作を実施するように構成される、
請求項２に記載のシステム。
【請求項７】
前記サーバデバイスは、前記音声情報から認識した前記意味にしたがって対応する返答情報を前記音声デバイスに返すように構成され、
前記音声デバイスは、前記返答情報を受信して再生するように構成される、
請求項６に記載のシステム。
【請求項８】
前記システムは表示デバイスをさらに備え、
前記サーバデバイスは、前記バイオメトリック特徴情報および／または前記身体動作情報にしたがって応答情報を前記表示デバイスに返すように構成され、
前記表示デバイスは、前記応答情報を受信して表示するように構成される、
請求項２に記載のシステム。
【請求項９】
前記表示デバイスは薄膜ディスプレイであり、前記ユーザによって持ち運ばれる、
請求項８に記載のシステム。
【請求項１０】
前記システムはバイタルサイン検出デバイスをさらに備え、
前記バイタルサイン検出デバイスは、前記ユーザのバイタルサイン情報を取得し、前記バイタルサイン情報を前記サーバデバイスに送信するように構成され、
前記サーバデバイスは、前記バイタルサイン情報を受信し、前記受信されたバイタルサイン情報および記憶された推奨規則にしたがって、前記ユーザに推奨されることになる情報および／またはトランザクションもしくは操作を決定し、前記決定された情報および／またはトランザクションもしくは操作を、表示することのために前記表示デバイスに送信するように構成される、
請求項８に記載のシステム。
【請求項１１】
前記システムは人間身体チップをさらに備え、
前記人間身体チップは、バイオメトリック特徴情報を取得し、前記第１のデバイスに、前記取得されたバイオメトリック特徴情報および／または前記ユーザに一意に対応し、前記人間身体チップに記憶されたデジタル証明書を送信するように構成され、
前記第１のデバイスは、前記バイオメトリック特徴情報および／または前記人間身体チップによって送信された前記デジタル証明書を前記サーバデバイスに送信するように構成され、
前記サーバデバイスは、前記第１のデバイスによって取得される前記バイオメトリック特徴情報、ならびに前記人間身体チップによって取得される前記バイオメトリック特徴情報および／または前記人間身体チップに記憶された前記デジタル証明書にしたがって、前記ユーザを識別するように構成される、
請求項１に記載のシステム。
【請求項１２】
モノのインターネットに基づく情報処理方法であって、
第１のデバイスによって送信されたバイオメトリック特徴情報を、サーバデバイスによって受信することであって、前記第１のデバイスはモノのインターネットのデバイスである、受信することと、
前記バイオメトリック特徴情報にしたがって、前記バイオメトリック特徴情報に対応するユーザを識別することと、
を含む、モノのインターネットに基づく情報処理方法。
【請求項１３】
前記バイオメトリック特徴情報は、複数の生理学的特徴および挙動的特徴のうちの１つ、または複数の生理学的特徴および挙動的特徴の組合せを含む、
請求項１２に記載の方法。
【請求項１４】
前記バイオメトリック特徴情報にしたがって、前記バイオメトリック特徴情報に対応するユーザを識別することは、具体的に、
受信されるバイオメトリック特徴情報のそれぞれのタイプについて、前記バイオメトリック特徴情報とそれぞれの事前記憶されたバイオメトリック特徴サンプルとの間の類似性を決定することと、前記決定された類似性にしたがって前記バイオメトリック特徴情報とマッチングするバイオメトリック特徴サンプルを決定することと、それぞれの事前記憶されたバイオメトリック特徴サンプルとユーザとの間の対応関係にしたがって、前記バイオメトリック特徴情報とマッチングする前記バイオメトリック特徴サンプルに対応するユーザを決定することと、
前記バイオメトリック特徴情報のすべてのタイプに基づいてそれぞれ決定されたユーザのうち、設定された数より多いユーザまたは設定された比より多いユーザが同一のユーザである場合、前記同一のユーザが識別結果であると判断することと、
を含む、請求項１３に記載の方法。
【請求項１５】
前記方法は、
前記サーバデバイスによって第２のデバイスによって送信された身体動作情報を受信することであって、前記第２のデバイスはモノのインターネットのデバイスである、受信することと、
前記身体動作情報にしたがって、前記ユーザのためにトランザクションまたは操作を実施することと、
をさらに含む、請求項１２に記載の方法。
【請求項１６】
前記身体動作情報にしたがって、前記ユーザのためにトランザクションまたは操作を実施することは、具体的に、
前記第２のデバイスと身体動作情報との間の事前記憶された対応関係にしたがって、前記第２のデバイスに対応する身体動作情報を決定することと、
前記決定された身体動作情報のうち前記受信された身体動作情報とマッチングする身体動作情報を決定することと、
前記第２のデバイスと、それぞれの身体動作情報と、トランザクションまたは操作との間について設定された事前記憶された対応関係にしたがって、前記ユーザのために前記受信された身体動作情報とマッチングする前記身体動作情報に対応するトランザクションまたは操作を実施することと、
を含む、請求項１５に記載の方法。
【請求項１７】
前記サーバデバイスによって第２のデバイスによって送信された身体動作情報を受信することの前に、前記方法は、
前記サーバデバイスによって、および前記識別されたユーザにしたがって、前記ユーザが認可されたユーザかどうかを判断することをさらに含み、
前記ユーザが認可されたユーザであれば、前記第２のデバイスが前記身体動作情報を取得するために、前記第１のデバイスに結合される前記第２のデバイスの第２の取得命令をトリガする、または
前記ユーザが認可されたユーザでなければ、前記第１のデバイスに結合される前記第２のデバイスの第２の取得命令をトリガしない、
請求項１５に記載の方法。
【請求項１８】
前記バイオメトリック特徴情報にしたがって前記バイオメトリック特徴情報に対応するユーザを識別する前に、前記方法は、
前記サーバデバイスによって、前記第１のデバイスに結合される音声デバイスによって送信される音声情報を受信することをさらに含み、前記音声デバイスはモノのインターネットのデバイスであり、
前記バイオメトリック特徴情報にしたがって、前記バイオメトリック特徴情報に対応するユーザを識別することは、具体的に、
前記第１のデバイスによって送信された前記バイオメトリック特徴情報および前記音声デバイスによって送信される前記音声情報に含まれる声紋特徴情報にしたがって、前記バイオメトリック特徴情報に対応する前記ユーザおよび前記声紋特徴情報に対応するユーザを識別することと、
前記バイオメトリック特徴情報に対応する前記ユーザおよび前記声紋特徴情報に対応する前記ユーザが同一のユーザである場合、前記同一のユーザが識別結果であると判断することと、
を含む、請求項１２に記載の方法。
【請求項１９】
前記身体動作情報にしたがって、前記ユーザのためにトランザクションまたは操作を実施することの前に、前記方法は、
前記サーバデバイスによって前記第１のデバイスに結合する音声デバイスによって送信される音声情報を受信することをさらに含み、
前記身体動作情報にしたがって、前記ユーザのためにトランザクションまたは操作を実施することは、具体的に、
前記音声情報に対する意味的な認識を実施することと、
前記身体動作情報および前記音声情報から認識した意味にしたがって前記ユーザのために前記トランザクションまたは操作を実施することと、
を含む、請求項１５に記載の方法。
【請求項２０】
前記方法は、
前記音声デバイスが返答情報を再生するために、前記サーバデバイスによって前記音声情報から認識した前記意味にしたがって対応する前記返答情報を前記音声デバイスに返すこと、
をさらに含む、請求項１９に記載の方法。
【請求項２１】
前記方法は、
前記サーバデバイスによって、および前記受信したバイオメトリック特徴情報および／または身体動作情報にしたがって、表示デバイスが応答情報を表示するために、前記応答情報を前記第１のデバイスに結合する前記表示デバイスに返すこと、
をさらに含む、請求項１５に記載の方法。
【請求項２２】
前記方法は、
前記サーバデバイスによって、前記第１のデバイスに結合するバイタルサイン検出デバイスによって送信されたバイタルサイン情報を受信することと、
前記受信されたバイタルサイン情報および記憶された推奨規則にしたがって、前記ユーザに推奨されることになる情報および／またはトランザクションもしくは操作を決定することと、
前記決定された情報および／またはトランザクションもしくは操作を、表示することのために前記表示デバイスに送信することと、
をさらに含む、請求項２１に記載の方法。
【請求項２３】
前記バイオメトリック特徴情報にしたがって、前記バイオメトリック特徴情報に対応するユーザを識別することの前に、前記方法は、
前記サーバデバイスによって、人間身体チップおよび／または前記第１のデバイスによって送信された前記人間身体チップに記憶されたデジタル証明書によって取得されるバイオメトリック特徴情報を受信することをさらに含み、
前記バイオメトリック特徴情報にしたがって、前記バイオメトリック特徴情報に対応するユーザを識別することは具体的に、
前記サーバデバイスによって、前記第１のデバイスによって取得される前記バイオメトリック特徴情報に対応するユーザ、ならびに前記人間身体チップによって取得される前記バイオメトリック特徴情報および／または前記人間身体チップに記憶された前記デジタル証明書に対応するユーザを識別することと、
前記第１のデバイスによって取得される前記バイオメトリック特徴情報に対応する前記ユーザと、前記人間身体チップによって取得される前記バイオメトリック特徴情報および／または前記人間身体チップに記憶された前記デジタル証明書に対応するユーザとが同一のユーザである場合、前記同一のユーザが識別結果であると判断することと、
を含む、請求項１２に記載の方法。
【請求項２４】
モノのインターネットに基づく情報処理方法であって、
第１のデバイスの第１の取得命令がトリガされるかどうか、前記第１のデバイスによって監視することであって、前記第１のデバイスがモノのインターネットのデバイスである、監視することと、
前記第１の取得命令がトリガされることを検出すると、バイオメトリック特徴情報を取得することと、
サーバデバイスが前記バイオメトリック特徴情報に対応するユーザを識別するために、前記取得されたバイオメトリック特徴情報を前記サーバデバイスに送信することと、
を含む、モノのインターネットに基づく情報処理方法。
【請求項２５】
距離センサまたは近接センサが前記第１のデバイスに配置され、
第１のデバイスによって、前記第１のデバイスの第１の取得命令がトリガされるかどうかを監視することは、具体的に、
前記第１のデバイスによって前記距離センサまたは近接センサを使用することによって、前記第１のデバイスまでの距離が設定された距離未満である物体があるかどうかを監視することを含み、
前記設定された距離未満である物体があれば、前記第１の取得命令がトリガされることを決定する、
請求項２４に記載の方法。
【請求項２６】
光学センサが前記第１のデバイスに配置され、
第１のデバイスによって、前記第１のデバイスの第１の取得命令がトリガされるかどうかを監視することは、具体的に、
前記第１のデバイスによって前記光学センサを使用することによって、前記第１のデバイスによって受信される照明の強度が照明強度しきい値よりも低いかどうかを監視することを含み、
前記照明の強度が前記しきい値よりも低い場合、前記第１の取得命令がトリガされることを決定する、
請求項２４に記載の方法。
【請求項２７】
温度センサが前記第１のデバイスに配置され、
第１のデバイスによって、前記第１のデバイスの第１の取得命令がトリガされるかどうかを監視することは、具体的に、
前記第１のデバイスによって前記温度センサを使用することによって、前記第１のデバイスが位置付けられる環境の温度が温度しきい値よりも高いかどうかを監視することを含み、
前記環境の前記温度が前記しきい値よりも高い場合、前記第１の取得命令がトリガされることを決定する、
請求項２４に記載の方法。
【請求項２８】
前記方法は、
前記第１のデバイスによって、前記サーバデバイスによって前記バイオメトリック特徴情報にしたがって前記ユーザを識別することによって得られた識別結果を受信することと、
前記識別結果が事前記憶された登録されたユーザ情報と矛盾がないかどうか判断することとであって、
矛盾がなければ、第２のデバイスが身体動作情報を取得するために前記第２のデバイスの第２の取得命令をトリガし、前記身体動作情報を前記サーバデバイスに送信し、前記第２のデバイスはモノのインターネットのデバイスであり、または
矛盾があれば、第２のデバイスの第２の取得命令をトリガしない、判断することと、
をさらに含む、請求項２４に記載の方法。
【請求項２９】
第２のデバイスの第２の取得命令をトリガすることは、具体的に、
前記第１のデバイスによって、前記第１のデバイスと結合関係を有する前記第２のデバイスを決定することと、
前記決定された第２のデバイスの第２の取得命令をトリガすることと、
を含む、請求項２８に記載の方法。
【請求項３０】
前記方法は、
前記第１のデバイスによって、人間身体チップおよび／または前記人間身体チップによって送信される前記人間身体チップに記憶されたデジタル証明書によって取得されるバイオメトリック特徴情報を受信することと、
前記人間身体チップによって取得される前記バイオメトリック特徴情報および／または前記人間身体チップに記憶された前記デジタル証明書を前記サーバデバイスに送信することと、
をさらに含む、請求項２４に記載の方法。
【請求項３１】
第１のデバイスによって前記第１のデバイスの第１の取得命令がトリガされるかどうかを監視することは、具体的に、
前記人間身体チップによって取得される前記バイオメトリック特徴情報および／または前記人間身体チップに記憶された前記デジタル証明書を受信すると、前記第１のデバイスによって、前記第１のデバイスの前記第１の取得命令がトリガされることを決定すること、
を含む、請求項３０に記載の方法。
【請求項３２】
モノのインターネットに基づく情報処理方法であって、
第２のデバイスの第２の取得命令がトリガされるかどうか、前記第２のデバイスによって監視することであって、前記第２のデバイスの第１の取得命令がモノのインターネットのデバイスである、監視することと、
前記第２の取得命令がトリガされることを検出すると、身体動作情報を取得することと、
サーバデバイスがユーザのためにトランザクションまたは操作を実施するために、前記取得された身体動作情報を前記サーバデバイスに送信することと、
を含む、モノのインターネットに基づく情報処理方法。
【請求項３３】
第２のデバイスによって、前記第２のデバイスの第２の取得命令がトリガされるかどうかを監視することは、具体的に、
前記第２のデバイスに結合される第１のデバイスによって送信されるトリガメッセージを受信すると、前記第２のデバイスによって、前記第２のデバイスの前記第２の取得命令をトリガすることを決定することであって、前記第１のデバイスはモノのインターネットのデバイスである、決定することと、または
前記サーバデバイスによって送信されるトリガメッセージを受信すると、前記第２のデバイスによって、前記第２のデバイスの前記第２の取得命令をトリガすることを決定することと、
を含む、請求項３２に記載の方法。
【請求項３４】
距離センサまたは近接センサが前記第２のデバイスに配置され、
第２のデバイスによって、前記第２のデバイスの第２の取得命令がトリガされるかどうかを監視することは、具体的に、
前記第２のデバイスによって前記距離センサまたは近接センサを使用することによって、前記第２のデバイスまでの距離が設定された距離未満である物体があるかどうかを監視することを含み、
前記設定された距離未満である物体があれば、前記第２の取得命令がトリガされることを決定すること、
を含む、請求項３２に記載の方法。
【請求項３５】
光学センサが前記第２のデバイスに配置され、
第２のデバイスによって、前記第２のデバイスの第２の取得命令がトリガされるかどうかを監視することは、具体的に、
前記第２のデバイスによって前記光学センサを使用することによって、前記第２のデバイスによって受信される照明の強度が照明強度しきい値よりも低いかどうかを監視することを含み、
前記照明の強度が前記しきい値よりも低い場合、前記第２の取得命令がトリガされることを決定すること、
を含む、請求項３２に記載の方法。
【請求項３６】
温度センサが前記第２のデバイスに配置され、
第２のデバイスによって、前記第２のデバイスの第２の取得命令がトリガされるかどうかを監視することは、具体的に、
前記第２のデバイスによって前記温度センサを使用することによって、前記第２のデバイスが位置付けられる環境の温度が温度しきい値よりも高いかどうかを監視することを含み、
前記環境の前記温度が前記しきい値よりも高い場合、前記第２の取得命令がトリガされることを決定すること、
を含む、請求項３２に記載の方法。
【請求項３７】
モノのインターネットに基づく情報処理方法であって、
ユーザのバイオメトリック特徴情報を人間身体チップによって取得することと、
第１のデバイスが前記第１のデバイスによって取得されるバイオメトリック特徴情報を送信するために、前記取得されるバイオメトリック特徴情報および／または前記人間身体チップに記憶されたデジタル証明書を前記第１のデバイスに、ならびに、前記人間身体チップによって取得される前記バイオメトリック特徴情報および／または前記人間身体チップに記憶された前記デジタル証明書を識別のためにサーバデバイスに送信することと、
を含み、前記第１のデバイスは、モノのインターネットのデバイスである、
情報処理方法。
【請求項３８】
前記方法は、
前記人間身体チップによって、前記サーバデバイスによって送信された応答情報を受信することと、
前記応答情報を、表示することのために表示デバイスに送信することと、
をさらに含む、請求項３７に記載の方法。
【請求項３９】
前記人間身体チップは前記ユーザの皮膚に取り付けられるか、または前記皮膚に埋め込まれ、
前記表示デバイスは薄膜ディスプレイであり、前記ユーザによって持ち運ばれる、
請求項３８に記載の方法。
【請求項４０】
前記応答情報を、表示することのために表示デバイスに送信することは、具体的に、
前記人間身体チップが取り付けられた、または前記人間身体チップが埋め込まれた人間身体を送信媒体として使用することによって、前記応答情報を、表示することのために前記表示デバイスに送信すること、
を含む、請求項３９に記載の方法。
【請求項４１】
モノのインターネットに基づく情報推奨方法であって、
第１のデバイスによって送信されたバイオメトリック特徴情報、およびバイタルサイン検出デバイスによって送信されたバイタルサイン情報を、サーバデバイスによって受信することであって、前記第１のデバイスはモノのインターネットのデバイスである、受信することと、
前記バイオメトリック特徴情報にしたがって、前記バイオメトリック特徴情報に対応するユーザを識別することと、
前記バイタルサイン情報および記憶された推奨規則にしたがって、前記ユーザに推奨されることになる情報および／またはトランザクションもしくは操作を決定することと、
前記決定された情報および／またはトランザクションもしくは操作を、表示することのために表示デバイスに送信することと、
を含む、情報推奨方法。
【請求項４２】
前記バイタルサイン検出デバイスは、人間身体チップであり、
サーバデバイスによって、第１のデバイスによって送信されるバイオメトリック特徴情報およびバイタルサイン検出デバイスによって送信されるバイタルサイン情報を受信することは、具体的に、
前記サーバデバイスによって、前記第１のデバイスによって取得されるバイオメトリック特徴情報、ならびに前記人間身体チップによって取得される前記バイタルサイン情報および前記バイオメトリック特徴情報ならびに／または前記第１のデバイスによって送信される前記人間身体チップに記憶されたデジタル証明書、を受信することを含み、
前記バイオメトリック特徴情報にしたがって、前記バイオメトリック特徴情報に対応するユーザを識別することは、具体的に、
前記サーバデバイスによって、前記第１のデバイスによって取得される前記バイオメトリック特徴情報、ならびに前記人間身体チップによって取得される前記バイオメトリック特徴情報および／または前記人間身体チップに記憶された前記デジタル証明書にしたがって、前記ユーザを識別すること、
を含む、請求項４１に記載の方法。
【請求項４３】
前記ユーザに推奨されることになる前記情報は製品情報を含み、
前記方法は、
前記サーバデバイスによって第２のデバイスによって送信された身体動作情報を受信することとであって、前記第２のデバイスはモノのインターネットのデバイスである、受信することと、
前記身体動作情報にしたがって前記表示デバイスに表示される製品情報のうち前記ユーザによって選択される製品情報を決定することと、
前記ユーザに対応するアカウントおよび前記ユーザによって選択される前記製品情報にしたがって、前記ユーザのために注文操作および支払い操作を実施することと、
をさらに含む、請求項４１に記載の方法。
【請求項４４】
モノのインターネットに基づく自転車開錠方法であって、
自転車の第１の取得ユニットによって取得され送信されたバイオメトリック特徴情報、および前記自転車の第２の取得ユニットによって取得され送信された身体動作情報をサーバデバイスによって受信することと、
前記第１の取得ユニットによって送信された前記バイオメトリック特徴情報にしたがって、前記バイオメトリック特徴情報に対応するユーザを識別することと、
前記身体動作情報にしたがって、前記身体動作情報が指定された身体動作であると識別すると、前記ユーザに対応するアカウントにしたがって、支払い操作を実施し、前記自転車の錠を開錠するために制御することと、
を含む、自転車開錠方法。
【請求項４５】
サーバデバイスによって、自転車の第１の取得ユニットによって取得され送信されるバイオメトリック特徴情報を受信することは、具体的に、
前記サーバデバイスによって、前記自転車の前記第１の取得ユニットによって取得され送信された前記バイオメトリック特徴情報を受信することと、人間身体チップおよび／または前記第１の取得ユニットによって送信された前記人間身体チップに記憶されたデジタル証明書によって取得されるバイオメトリック特徴情報を受信することを含み、
前記第１の取得ユニットによって送信された前記バイオメトリック特徴情報にしたがって、前記バイオメトリック特徴情報に対応するユーザを識別することは具体的に、
前記サーバデバイスによって、前記第１の取得ユニットによって取得される前記バイオメトリック特徴情報に対応するユーザ、ならびに前記人間身体チップによって取得される前記バイオメトリック特徴情報および／または前記人間身体チップに記憶された前記デジタル証明書に対応するユーザを識別することと、
前記第１の取得ユニットによって取得される前記バイオメトリック特徴情報に対応する前記ユーザと、前記人間身体チップによって取得される前記バイオメトリック特徴情報および／または前記人間身体チップに記憶された前記デジタル証明書に対応するユーザとが同一のユーザである場合、前記同一のユーザが識別結果であると判断することと、
を含む、請求項４４に記載の方法。
【請求項４６】
バイタルサイン検出コンポーネントおよび表示コンポーネントは前記自転車に配置され、
前記方法は、
前記サーバデバイスによって、前記バイタルサイン検出コンポーネントによって検出される前記ユーザのバイタルサイン情報を受信することと、
前記バイタルサイン情報にしたがって前記ユーザに推奨されることになる情報を決定することと、前記ユーザに推奨されることになる前記情報を前記自転車の前記表示コンポーネントに、表示することのために送信することと、
をさらに含む、請求項４４に記載の方法。
【請求項４７】
前記ユーザに推奨されることになる前記情報は製品情報であり、位置決めコンポーネントが前記自転車にさらに配置され、
前記方法は、
前記サーバデバイスによって、前記ユーザに推奨されることになる前記製品情報にしたがって、オフライン販売者についての情報を決定することと、
前記サーバデバイスによって、前記位置決めコンポーネントによって送信される前記自転車の現在の地理学的位置についての情報を受信し、前記現在の地理学的位置から前記オフライン販売者までの経路を、前記サーバデバイスに記憶された電子地図、前記自転車の前記現在の地理学的位置についての前記情報、および前記オフライン販売者についての前記情報にしたがって決定することと、
前記経路を、表示することのために前記表示コンポーネントに送信することと、
をさらに含む、請求項４６に記載の方法。
【請求項４８】
モノのインターネットに基づく支払い方法であって、
ショップのシェルフの第１の取得ユニットによって取得され送信されたバイオメトリック特徴情報、および前記シェルフの第２の取得ユニットによって取得され送信された身体動作情報をサーバデバイスによって受信することと、
前記シェルフの前記第１の取得ユニットによって送信された前記バイオメトリック特徴情報にしたがって、前記バイオメトリック特徴情報に対応するユーザを識別することと、
前記身体動作情報にしたがって、前記シェルフから前記ユーザが得た製品を識別し、前記製品を記録することと、
出口デバイスによって取得され送信されたバイオメトリック特徴情報を受信すると、前記出口デバイスによって送信された前記バイオメトリック特徴情報にしたがって、前記ショップを離れるユーザを前記サーバデバイスによって識別し、前記ショップを離れる前記ユーザが得た記録された製品にしたがって、前記ショップを離れる前記ユーザについての支払い操作を実施することと、
を含む、支払い方法。
【請求項４９】
前記シェルフの前記第１の取得ユニットによって送信された前記バイオメトリック特徴情報にしたがって、前記バイオメトリック特徴情報に対応するユーザを識別することの前に、前記方法は、
前記ショップの入口デバイスによって取得され送信されたバイオメトリック特徴情報を受信することと、
前記入口デバイスによって取得され送信された前記バイオメトリック特徴情報にしたがって、前記ショップに入店するユーザを識別することと、
をさらに含み、
前記シェルフの前記第１の取得ユニットによって送信された前記バイオメトリック特徴情報にしたがって、前記バイオメトリック特徴情報に対応するユーザを識別することは、具体的に、
前記ショップに入店する前記ユーザの前記バイオメトリック特徴情報、および前記シェルフの前記第１の取得ユニットによって送信された前記バイオメトリック特徴情報にしたがって、前記ショップに入店する前記ユーザのうち前記シェルフの前記第１の取得ユニットによって送信された前記バイオメトリック特徴情報に対応する前記ユーザを識別することを含み、
前記出口デバイスによって送信された前記バイオメトリック特徴情報にしたがって、前記ショップを離れるユーザを識別することは、具体的に、
前記ショップに入店する前記ユーザの前記バイオメトリック特徴情報、および前記出口デバイスによって送信された前記バイオメトリック特徴情報にしたがって、前記ショップに入店する前記ユーザのうち前記出口デバイスによって送信された前記バイオメトリック特徴情報に対応するユーザを、前記ショップを離れる識別されたユーザとして識別することと、
を含む、請求項４８に記載の方法。
【請求項５０】
モノのインターネットに基づく注文方法であって、
ダイニングテーブルの第１の取得ユニットによって取得され送信されたバイオメトリック特徴情報、および前記ダイニングテーブルの第２の取得ユニットによって取得され送信された身体動作情報をサーバデバイスによって受信することと、
前記第１の取得ユニットによって送信された前記バイオメトリック特徴情報にしたがって、前記バイオメトリック特徴情報に対応するユーザを識別することと、
前記身体動作情報にしたがって、前記ダイニングテーブルの表示コンポーネントに表示された料理から前記ユーザによって選択された料理を識別することと、
前記ユーザによって選択された前記識別された料理にしたがって、前記ユーザのために注文操作を実施することと、
を含む、注文方法。
【請求項５１】
前記第１の取得ユニットによって送信された前記バイオメトリック特徴情報にしたがって、前記バイオメトリック特徴情報に対応するユーザを識別することの前に、前記方法は、
前記サーバデバイスによって、入口デバイスによって取得され送信されるバイオメトリック特徴情報を受信することと、
前記入口デバイスによって取得され送信される前記バイオメトリック特徴情報にしたがって、レストランに入店するユーザを識別することをさらに含み、
前記第１の取得ユニットによって送信された前記バイオメトリック特徴情報にしたがって、前記バイオメトリック特徴情報に対応するユーザを識別することは、具体的に、
前記レストランに入店する前記ユーザの前記バイオメトリック特徴情報および前記ダイニングテーブルの前記第１の取得ユニットによって送信された前記バイオメトリック特徴情報にしたがって、前記レストランに入店する前記ユーザのうち、前記ダイニングテーブルの前記第１の取得ユニットによって送信された前記バイオメトリック特徴情報に対応する前記ユーザを識別することを含む、
請求項５０に記載の方法。
【請求項５２】
前記方法は、
前記サーバデバイスによって、出口デバイスによって取得され送信されるバイオメトリック特徴情報を受信することと、
前記出口デバイスによって取得され送信される前記バイオメトリック特徴情報にしたがって、前記レストランを離れるユーザを識別することと、
前記レストランを離れる前記ユーザについて注文された料理にしたがって、前記レストランを離れる前記ユーザについて支払い操作を実施することと、
をさらに含む、請求項５０に記載の方法。
【請求項５３】
前記表示される料理がホログラフィ投影を通じて表示される、
請求項５０に記載の方法。
【請求項５４】
モノのインターネットに基づく回転式改札口制御方法であって、
回転式改札口の第１の取得ユニットによって取得され送信されたバイオメトリック特徴情報、および前記回転式改札口の第２の取得ユニットによって取得され送信された第１の身体動作情報を、サーバデバイスによって受信することと、
前記第１の取得ユニットによって送信された前記バイオメトリック特徴情報にしたがって、前記バイオメトリック特徴情報に対応するユーザを識別することと、
前記第２の取得ユニットによって送信された前記第１の身体動作情報にしたがって、前記ユーザの第１の身体動作が指定された条件を満たすことを検出すると、前記ユーザのチケット購入記録があるかどうか判断し、記録があれば前記回転式改札口が開くように制御し、または記録がなければ前記回転式改札口が開かないように制御することと、
を含む、
回転式改札口制御方法。
【請求項５５】
前記方法は、
前記回転式改札口を開くように制御した後、前記回転式改札口の前記第２の取得ユニットによって送信された第２の身体動作情報を受信することと、
前記第２の身体動作情報にしたがって前記ユーザが前記回転式改札口を通過したことを検出すると、前記ユーザの前記チケット購入記録を削除することと、
をさらに含む、
請求項５４に記載の方法。
【請求項５６】
通信インターフェースと、プロセッサとを備える、情報処理デバイスであって、
前記通信インターフェースは第１のデバイスによって送信されたバイオメトリック特徴情報を受信するように構成され、
前記プロセッサは前記バイオメトリック特徴情報にしたがって、前記バイオメトリック特徴情報に対応するユーザを識別するように構成され、
前記第１のデバイスはモノのインターネットのデバイスである、
情報処理デバイス。
【請求項５７】
前記デバイスはメモリをさらに備え、
前記メモリは、複数のユーザおよび前記ユーザに対応するバイオメトリック特徴サンプルを記憶するように構成され、
前記プロセッサは、受信されるバイオメトリック特徴情報のそれぞれのタイプについて、メモリに事前記憶された前記バイオメトリック特徴情報とそれぞれのバイオメトリック特徴サンプルとの間の類似性を決定し、前記決定された類似性にしたがって前記バイオメトリック特徴情報とマッチングするバイオメトリック特徴サンプルを決定し、それぞれの事前記憶されたバイオメトリック特徴サンプルとユーザとの間の対応関係にしたがって、前記バイオメトリック特徴情報とマッチングする前記バイオメトリック特徴サンプルに対応するユーザを決定し、バイオメトリック特徴情報のすべてのタイプに基づいてそれぞれ決定されたユーザのうち、設定された数より多いユーザまたは設定された比より多いユーザが同一のユーザである場合、前記同一のユーザが識別結果であると判断するように構成される、
請求項５６に記載のデバイス。
【請求項５８】
前記通信インターフェースは第２のデバイスによって送信された身体動作情報を受信するようにさらに構成され、
前記プロセッサは、前記身体動作情報にしたがって前記ユーザのためにトランザクションまたは操作を実施するように構成され、
前記第２のデバイスはモノのインターネットのデバイスである、
請求項５６に記載のデバイス。
【請求項５９】
前記デバイスはメモリをさらに備え、
前記メモリは、前記第２のデバイスと身体動作情報との間の対応関係、および前記第２のデバイスについて設定されたそれぞれの身体動作情報とトランザクションまたは操作との間の対応関係を記憶するように構成され、
前記プロセッサは、前記メモリに事前記憶された前記第２のデバイスと前記身体動作情報と間の対応関係にしたがって前記第２のデバイスに対応する身体動作情報を決定し、前記決定された身体動作情報のうち前記受信された身体動作情報とマッチングする身体動作情報を決定し、前記メモリに事前記憶されたそれぞれの身体動作情報と前記トランザクションまたは操作との間の前記第２のデバイスについて設定された前記対応関係にしたがって、前記受信された身体動作情報とマッチングする前記身体動作情報に対応するトランザクションまたは操作を前記ユーザのために実施するように構成される、
請求項５８に記載のデバイス。
【請求項６０】
前記プロセッサは、前記識別されたユーザにしたがって前記ユーザが認可されたユーザかどうかを判断するようにさらに構成され、前記ユーザが認可されたユーザであれば、前記第２のデバイスが前記身体動作情報を取得するために、前記第１のデバイスに結合される前記第２のデバイスの第２の取得命令をトリガし、または前記ユーザが認可されたユーザでなければ、前記第１のデバイスに結合される前記第２のデバイスの第２の取得命令をトリガしない、請求項５８に記載のデバイス。
【請求項６１】
前記通信インターフェースは、前記プロセッサが前記バイオメトリック特徴情報にしたがって前記バイオメトリック特徴情報に対応する前記ユーザを識別する前に、前記第１のデバイスに結合する音声デバイスによって送信される音声情報を受信するようにさらに構成され、
前記プロセッサは、前記第１のデバイスによって送信された前記バイオメトリック特徴情報および前記音声デバイスによって送信される前記音声情報に含まれる声紋特徴情報にしたがって、前記バイオメトリック特徴情報に対応する前記ユーザおよび前記声紋特徴情報に対応するユーザを識別し、前記バイオメトリック特徴情報に対応する前記ユーザと前記声紋特徴情報に対応する前記ユーザとが同一のユーザである場合、前記同一のユーザが識別結果であると判断するように構成される、
請求項５６に記載のデバイス。
【請求項６２】
前記通信インターフェースは、前記プロセッサが前記身体動作情報にしたがって前記ユーザのために前記トランザクションまたは操作を実施する前に、前記第１のデバイスに結合する音声デバイスによって送信される音声情報を受信するようにさらに構成され、
前記プロセッサは、前記音声情報に対する意味的な認識を実施し、前記身体動作情報および前記音声情報から認識した意味にしたがって前記ユーザのために前記トランザクションまたは操作を実施するように構成される、
請求項５８に記載のデバイス。
【請求項６３】
前記プロセッサは前記音声情報から認識した前記意味にしたがって前記通信インターフェースを使用することによって、前記音声デバイスが返答情報を再生するために、対応する前記返答情報を前記音声デバイスに返すようにさらに構成される、請求項６２に記載のデバイス。
【請求項６４】
前記プロセッサは前記受信されたバイオメトリック特徴情報および／または身体動作情報にしたがって前記通信インターフェースを使用することによって、表示デバイスが応答情報を表示するために、前記応答情報を前記第１のデバイスに結合する前記表示デバイスに返すようにさらに構成される、請求項５８に記載のデバイス。
【請求項６５】
前記通信インターフェースは、前記第１のデバイスに結合するバイタルサイン検出デバイスによって送信されたバイタルサイン情報を受信するようにさらに構成され、
前記プロセッサは、前記受信されたバイタルサイン情報および記憶された推奨規則にしたがって、前記ユーザに推奨されることになる情報および／またはトランザクションもしくは操作を決定し、前記通信インターフェースを使用することによって、前記決定された情報および／またはトランザクションもしくは操作を、表示することのために前記表示デバイスに送信するように構成される、
請求項６４に記載のデバイス。
【請求項６６】
前記通信インターフェースは、前記プロセッサが前記バイオメトリック特徴情報に対応する前記ユーザを識別する前に、人間身体チップおよび／または前記第１のデバイスによって送信された前記人間身体チップに記憶されたデジタル証明書によって取得されるバイオメトリック特徴情報を受信するようにさらに構成され、
前記プロセッサは、前記第１のデバイスによって取得される前記バイオメトリック特徴情報に対応するユーザ、ならびに前記人間身体チップによって取得される前記バイオメトリック特徴情報および／または前記人間身体チップに記憶された前記デジタル証明書に対応するユーザを識別し、前記第１のデバイスによって取得される前記バイオメトリック特徴情報に対応する前記ユーザと、前記人間身体チップによって取得される前記バイオメトリック特徴情報および／または前記人間身体チップに記憶された前記デジタル証明書に対応する前記ユーザとが同一のユーザである場合、前記同一のユーザが識別結果であると判断するように構成される、
請求項５６に記載のデバイス。
【請求項６７】
情報処理デバイスであって、前記デバイスはモノのインターネットのデバイスであり、前記デバイスは取得ユニットと、プロセッサと、通信インターフェースとを備え、
前記プロセッサは、第１の取得命令がトリガされるかどうか監視し、前記第１の取得命令がトリガされることを検出すると、前記取得ユニットがバイオメトリック特徴情報を取得するように制御し、前記取得ユニットによって取得される前記バイオメトリック特徴情報を受信し、サーバデバイスが前記バイオメトリック特徴情報に対応するユーザを識別するために、前記通信インターフェースを使用することによって前記取得されたバイオメトリック特徴情報を前記サーバデバイスに送信するように構成され、
前記取得ユニットは前記バイオメトリック特徴情報を取得し、前記バイオメトリック特徴情報を前記プロセッサに返すように構成され、
前記通信インターフェースは前記バイオメトリック特徴情報を前記サーバデバイスに送信するように構成される、
情報処理デバイス。
【請求項６８】
前記デバイスは距離センサまたは近接センサをさらに含み、
前記距離センサまたは近接センサは、物体と前記デバイスとの間の距離を監視し、前記検出された距離を前記プロセッサに送信するように構成され、
前記プロセッサは、前記距離センサまたは近接センサを使用することによって前記デバイスまでの距離が設定された距離未満である物体があるかどうかを監視するように構成され、前記設定された距離未満である物体がある場合、前記第１の取得命令がトリガされることを決定する、
請求項６７に記載のデバイス。
【請求項６９】
前記デバイスは光学センサをさらに備え、
前記光学センサは、前記デバイスによって受信される照明の強度を監視し、前記検出された照明の強度を前記プロセッサに送信するように構成され、
前記プロセッサは、前記光学センサを使用することによって前記デバイスによって受信される前記照明の強度が照明強度しきい値よりも低いかどうかを監視するように構成され、前記照明の強度がしきい値よりも低い場合、前記第１の取得命令がトリガされることを決定する、
請求項６７に記載のデバイス。
【請求項７０】
前記デバイスは温度センサをさらに備え、
前記温度センサは、前記デバイスが位置付けられる環境の温度を監視し、前記検出された温度を前記プロセッサに送信するように構成され、
前記プロセッサは、前記温度センサを使用することによって前記デバイスが位置付けられる前記環境の前記温度が、温度しきい値よりも高いかどうかを監視するように構成され、前記環境の前記温度がしきい値よりも高い場合、前記第１の取得命令がトリガされることを決定する、
請求項６７に記載のデバイス。
【請求項７１】
前記デバイスはメモリをさらに備え、
前記メモリは登録されたユーザ情報を記憶するように構成され、
前記通信インターフェースは前記サーバデバイスによって前記バイオメトリック特徴情報にしたがって前記ユーザを識別することによって得られた識別結果を受信するようにさらに構成され、
前記プロセッサは、前記通信インターフェースによって受信された前記識別結果が前記メモリに事前記憶された前記登録されたユーザ情報と矛盾がないかどうか判断し、矛盾がなければ、第２のデバイスが身体動作情報を取得するために前記第２のデバイスの第２の取得命令をトリガし、前記身体動作情報を前記サーバデバイスに送信し、または矛盾があれば、第２のデバイスの第２の取得命令をトリガしないように構成される、
請求項６７に記載のデバイス。
【請求項７２】
前記プロセッサは、前記デバイスと結合関係を有する前記第２のデバイスを決定し、前記決定された第２のデバイスの前記第２の取得命令をトリガするように構成される、請求項７１に記載のデバイス。
【請求項７３】
前記通信インターフェースは、人間身体チップおよび／または前記人間身体チップによって送信される前記人間身体チップに記憶されたデジタル証明書によって取得されるバイオメトリック特徴情報を受信するようにさらに構成され、
前記プロセッサは、前記通信インターフェースによって受信された前記人間身体チップによって取得される前記バイオメトリック特徴情報および／または前記人間身体チップに記憶された前記デジタル証明書を、前記通信インターフェースを使用することによって、前記サーバデバイスに送信するように構成される、
請求項６７に記載のデバイス。
【請求項７４】
前記プロセッサは、前記通信インターフェースを使用することによって、前記人間身体チップによって取得される前記バイオメトリック特徴情報および／または前記人間身体チップに記憶された前記デジタル証明書を受信すると、前記第１の取得命令がトリガされることを決定するように構成される、請求項７３に記載のデバイス。
【請求項７５】
情報処理デバイスであって、前記デバイスはモノのインターネットのデバイスであり、前記デバイスは取得ユニットと、プロセッサと、通信インターフェースとを備え、
前記プロセッサは、第２の取得命令がトリガされるかどうか監視し、前記第２の取得命令がトリガされることを検出すると、前記取得ユニットが身体動作情報を取得するように制御し、サーバデバイスがユーザのためにトランザクションまたは操作を実施するために、前記通信インターフェースを使用することによって前記取得される身体動作情報を前記サーバデバイスに送信するように構成され、
前記取得ユニットは、前記身体動作情報を取得し、前記取得された身体動作情報を前記プロセッサに送信するように構成され、
前記通信インターフェースは前記身体動作情報を前記サーバデバイスに送信するように構成される、
情報処理デバイス。
【請求項７６】
前記通信インターフェースは、第１のデバイスによって送信されるトリガメッセージまたは前記サーバデバイスによって送信されるトリガメッセージを受信するようにさらに構成され、
前記プロセッサは、前記通信インターフェースを使用することによって、前記第１のデバイスによって送信される前記トリガメッセージまたは前記サーバデバイスによって送信される前記トリガメッセージを受信すると、前記第２の取得命令がトリガされることを決定するように構成される、
請求項７５に記載のデバイス。
【請求項７７】
前記デバイスは距離センサまたは近接センサをさらに含み、
前記距離センサまたは近接センサは、物体と前記デバイスとの間の距離を監視し、前記検出された距離を前記プロセッサに送信するように構成され、
前記プロセッサは、前記距離センサまたは近接センサを使用することによって前記デバイスまでの距離が設定された距離未満である物体があるかどうかを監視するように構成され、前記デバイスまでの距離が設定された距離未満である物体がある場合、前記第２の取得命令がトリガされることを決定する、
請求項７５に記載のデバイス。
【請求項７８】
前記デバイスは光学センサをさらに備え、
前記光学センサは、前記デバイスによって受信される照明の強度を監視し、前記検出された照明の強度を前記プロセッサに送信するように構成され、
前記プロセッサは、前記光学センサを使用することによって前記デバイス上の前記照明の強度が照明強度しきい値よりも低いかどうかを監視するように構成され、前記照明の強度がしきい値よりも低い場合、前記第２の取得命令がトリガされることを決定する、
請求項７５に記載のデバイス。
【請求項７９】
前記デバイスは温度センサをさらに備え、
前記温度センサは、前記デバイスが位置付けられる環境の温度を監視し、前記検出された温度を前記プロセッサに送信するように構成され、
前記プロセッサは、前記温度センサを使用することによって前記デバイスが位置付けられる前記環境の前記温度が、温度しきい値よりも高いかどうかを監視するように構成され、前記環境の前記温度がしきい値よりも高い場合、前記第２の取得命令がトリガされることを決定する、
請求項７５に記載のデバイス。
【請求項８０】
人間身体チップであって、前記人間身体チップは、取得ユニットと、メモリと、通信インターフェースとを備え、
前記取得ユニットはユーザのバイオメトリック特徴情報を取得するように構成され、
前記メモリは、デジタル証明書を記憶するように構成され、
前記通信インターフェースは、第１のデバイスが前記第１のデバイスによって取得されるバイオメトリック特徴情報を送信するために、前記取得ユニットによって取得されるバイオメトリック特徴情報および／または前記メモリに記憶された前記デジタル証明書を前記第１のデバイスに送信するように、ならびに前記人間身体チップによって取得される前記バイオメトリック特徴情報および／または前記人間身体チップに記憶された前記デジタル証明書を識別のためにサーバデバイスに送信するように構成される、
人間身体チップ。
【請求項８１】
前記通信インターフェースは、前記サーバデバイスによって送信される応答情報を受信し、前記応答情報を、表示することのために表示デバイスに送信するようにさらに構成される、請求項８０に記載の人間身体チップ。
【請求項８２】
前記人間身体チップは前記ユーザの皮膚に取り付けられるか、または前記皮膚に埋め込まれ、
前記表示デバイスは薄膜ディスプレイであり、前記ユーザによって持ち運ばれる、
請求項８１に記載の方法。
【請求項８３】
前記通信インターフェースは、前記人間身体チップが取り付けられた、または前記人間身体チップが埋め込まれた人間身体を送信媒体として使用することによって、前記応答情報を、表示することのために前記表示デバイスに送信するように構成される、請求項８２に記載の人間身体チップ。
【請求項８４】
プロセッサと、通信インターフェースとを備える情報推奨デバイスであって、
前記プロセッサは、前記通信インターフェースを使用することによって、第１のデバイスによって送信されたバイオメトリック特徴情報およびバイタルサイン検出デバイスによって送信されたバイタルサイン情報を受信し、前記バイオメトリック特徴情報にしたがって、前記バイオメトリック特徴情報に対応するユーザを識別し、前記バイタルサイン情報および記憶された推奨規則にしたがって、前記ユーザに推奨されることになる情報および／またはトランザクションもしくは操作を決定し、前記通信インターフェースを使用することによって、前記決定された情報および／またはトランザクションもしくは操作を、表示することのために表示デバイスに送信するように構成され、
前記通信インターフェースは、前記第１のデバイスによって送信された前記バイオメトリック特徴情報、および前記バイタルサイン検出デバイスによって送信された前記バイタルサイン情報を受信し、前記プロセッサによって決定された前記情報および／またはトランザクションもしくは操作を、表示することのために前記表示デバイスに送信するように構成される、
情報推奨デバイス。
【請求項８５】
前記バイタルサイン検出デバイスは、人間身体チップであって、
前記通信インターフェースは、前記第１のデバイスによって取得されるバイオメトリック特徴情報、ならびに前記人間身体チップによって取得される前記バイタルサイン情報およびバイオメトリック特徴情報、ならびに／または前記第１のデバイスによって送信される前記人間身体チップに記憶されたデジタル証明書、を受信するように構成され、
前記プロセッサは、前記第１のデバイスによって取得される前記バイオメトリック特徴情報、ならびに前記人間身体チップによって取得される前記バイオメトリック特徴情報および／または前記人間身体チップに記憶された前記デジタル証明書にしたがって、前記ユーザを識別するように構成される、
請求項８４に記載のデバイス。
【請求項８６】
前記ユーザに推奨されることになる前記情報は製品情報を含み、
前記通信インターフェースは、第２のデバイスによって送信された身体動作情報を受信するようにさらに構成され、
前記プロセッサは、前記身体動作情報にしたがって前記表示デバイスに表示される製品情報のうち前記ユーザによって選択される製品情報を決定し、前記ユーザに対応するアカウントおよび前記ユーザによって選択される前記製品情報にしたがって、前記ユーザのために注文操作および支払い操作を実施するように構成される、
請求項８４に記載の方法。
【請求項８７】
通信インターフェースと、プロセッサとを備える自転車開錠デバイスであって、
前記プロセッサは、前記通信インターフェースを使用することによって、自転車の第１の取得ユニットによって取得され送信されたバイオメトリック特徴情報、および前記自転車の第２の取得ユニットによって取得され送信された身体動作情報を受信し、前記第１の取得ユニットによって送信された前記バイオメトリック特徴情報にしたがって、前記バイオメトリック特徴情報に対応するユーザを識別し、前記身体動作情報にしたがって、前記身体動作情報が指定された身体動作であると識別すると、前記ユーザに対応するアカウントにしたがって支払い操作を実施し、前記自転車の錠を開錠するために制御するように構成され、
前記通信インターフェースは、前記自転車の前記第１の取得ユニットによって取得され送信された前記バイオメトリック特徴情報、および前記自転車の前記第２の取得ユニットによって取得され送信された前記身体動作情報を受信するように構成される、
自転車開錠デバイス。
【請求項８８】
前記通信インターフェースは、前記自転車の前記第１の取得ユニットによって取得され送信された前記バイオメトリック特徴情報を受信し、人間身体チップおよび／または前記第１の取得ユニットによって送信された前記人間身体チップに記憶されたデジタル証明書によって取得されるバイオメトリック特徴情報を受信するように構成され、
前記プロセッサは、前記第１の取得ユニットによって取得される前記バイオメトリック特徴情報に対応するユーザ、ならびに前記人間身体チップによって取得される前記バイオメトリック特徴情報および／または前記人間身体チップに記憶された前記デジタル証明書に対応するユーザを識別し、前記第１の取得ユニットによって取得される前記バイオメトリック特徴情報に対応する前記ユーザと、前記人間身体チップによって取得される前記バイオメトリック特徴情報および／または前記人間身体チップに記憶された前記デジタル証明書に対応する前記ユーザとが同一のユーザである場合、前記同一のユーザが識別結果であると判断するように構成される、
請求項８７に記載のデバイス。
【請求項８９】
前記通信インターフェースは、前記自転車のバイタルサイン検出コンポーネントによって検出される前記ユーザのバイタルサイン情報を受信するようにさらに構成され、
前記プロセッサは、前記バイタルサイン情報にしたがって前記ユーザに推奨されることになる情報を決定し、前記通信インターフェースを使用することによって、前記ユーザに推奨されることになる前記情報を、表示することのために前記自転車の表示コンポーネントに送信するように構成される、
請求項８７に記載のデバイス。
【請求項９０】
前記ユーザに推奨されることになる前記情報は製品情報であり、
前記デバイスはメモリをさらに備え、
前記メモリは、オフライン販売者についての電子地図および情報を記憶するように構成され、
前記通信インターフェースは、前記自転車の位置決めコンポーネントによって送信される前記自転車の現在の地理学的位置についての情報を受信するように構成され、
前記プロセッサは、前記ユーザに推奨されることになる前記製品情報にしたがってオフライン販売者についての情報を決定し、前記自転車の前記現在の地理学的位置についての前記情報、ならびに前記メモリに記憶された前記オフライン販売者についての前記電子地図および情報にしたがって前記現在の地理学的位置から前記オフライン販売者への経路を決定し、前記通信インターフェースを使用することによって、前記経路を、表示することのために前記表示コンポーネントに送信するように構成される、
請求項８９に記載のデバイス。
【請求項９１】
第１の取得ユニットと、第２の取得ユニットと、プロセッサと、通信インターフェースと、錠とを備える自転車であって、
前記プロセッサは、第１の取得命令がトリガされると、前記第１の取得ユニットを使用することによってバイオメトリック特徴情報を取得し、前記通信インターフェースを使用することによって、前記バイオメトリック特徴情報をサーバデバイスに送信し、第２の取得命令がトリガされると、前記第２の取得ユニットを使用することによって身体動作情報を取得し、前記通信インターフェースを使用することによって、前記身体動作情報を前記サーバデバイスに送信し、前記通信インターフェースを使用することによって、前記サーバデバイスによって返される開錠命令を受信すると、前記錠を開錠するように構成され、
前記第１の取得ユニットは、前記バイオメトリック特徴情報を取得し、前記取得されたバイオメトリック特徴情報を前記プロセッサに送信するように構成され、
前記第２の取得ユニットは、前記身体動作情報を取得し、前記取得された身体動作情報を前記プロセッサに送信するように構成され、
前記通信インターフェースは、前記バイオメトリック特徴情報を前記サーバデバイスに送信し、前記身体動作情報を前記サーバデバイスに送信し、前記サーバデバイスによって返される前記開錠命令を受信するように構成される、
自転車。
【請求項９２】
前記プロセッサは、前記通信インターフェースを使用することによって、人間身体チップによって取得されるバイオメトリック特徴情報および／または前記人間身体チップによって送信される前記人間身体チップに記憶されたデジタル証明書を受信すると、前記第１の取得命令がトリガされることを決定するように構成され、
前記プロセッサは、前記通信インターフェースを使用することによって、前記第１の取得ユニットによって取得される前記バイオメトリック特徴情報、ならびに前記人間身体チップによって取得される前記バイオメトリック特徴情報および／または前記人間身体チップに記憶された前記デジタル証明書を、前記サーバデバイスに送信するようにさらに構成される、
請求項９１に記載の自転車。
【請求項９３】
前記プロセッサは、前記第１の取得命令がトリガされると、前記第２の取得命令がトリガされることを決定し、または前記第１の取得ユニットが前記バイオメトリック特徴情報を取得した後に送信されたトリガメッセージを受信すると、前記第２の取得命令がトリガされることを決定し、または前記サーバデバイスによって識別された前記バイオメトリック特徴情報に対応するユーザを受信した後、前記第２の取得命令がトリガされることを決定するように構成される、
請求項９１または９２に記載の自転車。
【請求項９４】
前記第１の取得ユニットはハンドルバーに配置され、前記第２の取得ユニットは前記ハンドルバーに配置される、請求項９１に記載の自転車。
【請求項９５】
前記自転車は、バイタルサイン検出コンポーネントと、表示コンポーネントとをさらに備え、
前記バイタルサイン検出コンポーネントは、前記ユーザのバイタルサイン情報を監視し、前記バイタルサイン情報を前記プロセッサに送信するように構成され、
前記プロセッサは、前記通信インターフェースを使用することによって、前記バイタルサイン情報を前記サーバデバイスに送信し、前記通信インターフェースを使用することによって、前記ユーザに推奨されることになる、前記バイタルサイン情報にしたがって前記サーバデバイスによって返される情報を受信し、前記ユーザに推奨されることになる前記情報を、表示することのために前記表示コンポーネントに送信するように構成され、
前記表示コンポーネントは、前記ユーザに推奨されることになる、前記プロセッサによって送信される前記情報を表示するように構成される、
請求項９１に記載の方法。
【請求項９６】
前記自転車は、位置決めコンポーネントをさらに備え、
前記位置決めコンポーネントは、前記自転車の現在の地理学的位置についての情報を前記サーバデバイスに送信するように構成され、
前記通信インターフェースは、前記サーバデバイスによって送信される前記現在の地理学的位置からオフライン販売者までの経路を受信し、前記経路は、前記サーバデバイスが前記ユーザに推奨されることになる前記製品情報にしたがって前記オフライン販売者についての前記情報を決定した後、前記サーバデバイスに記憶された電子地図、前記自転車の前記現在の地理学的位置についての前記情報、および前記オフライン販売者についての情報にしたがって決定されるように構成され、
前記プロセッサは前記通信インターフェースを使用することによって受信された前記経路を、表示することのために前記表示コンポーネントに送信するように構成される、
請求項９５に記載の自転車。
【請求項９７】
プロセッサと、通信インターフェースとを備える支払いデバイスであって、
前記プロセッサは、前記通信インターフェースを使用することによって、ショップのシェルフの第１の取得ユニットによって取得され送信されたバイオメトリック特徴情報、および前記シェルフの第２の取得ユニットによって取得され送信された身体動作情報を受信し、前記シェルフの前記第１の取得ユニットによって送信された前記バイオメトリック特徴情報にしたがって、前記バイオメトリック特徴情報に対応するユーザを識別し、前記身体動作情報にしたがって、前記シェルフから前記ユーザが得た製品を識別し、前記製品を記録し、および前記通信インターフェースを使用することによって、出口デバイスによって取得され送信されたバイオメトリック特徴情報を受信すると、前記出口デバイスによって送信された前記バイオメトリック特徴情報にしたがって、前記ショップを離れるユーザを識別し、前記ショップを離れる前記ユーザが得た前記記録された製品にしたがって、前記ショップを離れる前記ユーザについての支払い操作を実施するように構成され、
前記通信インターフェースは、前記ショップの前記シェルフの前記第１の取得ユニットによって取得され送信された前記バイオメトリック特徴情報、および前記シェルフの前記第２の取得ユニットによって取得され送信された前記身体動作情報を受信し、前記出口デバイスによって取得され送信された前記バイオメトリック特徴情報を受信するように構成される、
支払いデバイス。
【請求項９８】
前記通信インターフェースは、前記ショップの入口デバイスによって取得され送信されるバイオメトリック特徴情報を受信するようにさらに構成され、
前記プロセッサは、前記入口デバイスによって取得され送信される前記バイオメトリック特徴情報にしたがって前記ショップに入店するユーザを識別し、前記ショップに入店する前記ユーザの前記バイオメトリック特徴情報および前記シェルフの前記第１の取得ユニットによって送信された前記バイオメトリック特徴情報にしたがって、前記ショップに入店する前記ユーザのうち前記シェルフの前記第１の取得ユニットによって送信された前記バイオメトリック特徴情報に対応する前記ユーザを識別し、前記ショップに入店する前記ユーザの前記バイオメトリック特徴情報および前記出口デバイスによって送信された前記バイオメトリック特徴情報にしたがって、前記ショップに入店する前記ユーザのうち前記出口デバイスによって送信された前記バイオメトリック特徴情報に対応するユーザを、前記ショップを離れる識別されたユーザとして識別するように構成される、
請求項９７に記載のデバイス。
【請求項９９】
第１の取得ユニットと、第２の取得ユニットと、プロセッサと、通信インターフェースとを備えるシェルフであって、
前記プロセッサは、第１の取得命令がトリガされると、前記第１の取得ユニットを使用することによってバイオメトリック特徴情報を取得し、第２の取得命令がトリガされると、前記第２の取得ユニットを使用することによって身体動作情報を取得し、サーバデバイスが、前記バイオメトリック特徴情報に対応するユーザが前記シェルフから得た製品を識別するために、前記通信インターフェースを使用することによって、前記バイオメトリック特徴情報および前記身体動作情報を前記サーバデバイスに送信するように構成され、
前記第１の取得ユニットは、前記バイオメトリック特徴情報を取得し、前記バイオメトリック特徴情報を前記プロセッサに送信するように構成され、
前記第２の取得ユニットは、前記身体動作情報を取得し、前記身体動作情報を前記プロセッサに送信するように構成され、
前記通信インターフェースは、前記バイオメトリック特徴情報および前記身体動作情報を前記サーバデバイスに送信するように構成される、
シェルフ。
【請求項１００】
前記第１の取得ユニットは前記シェルフの本体の外表面に配置され、
前記第２の取得ユニットは前記シェルフの前記本体の前記外表面に配置される、
請求項９９に記載のシェルフ。
【請求項１０１】
第１の取得ユニットと、プロセッサと、通信インターフェースとを備える出口デバイスであって、
前記プロセッサは、第１の取得命令がトリガされると、前記第１の取得ユニットを使用することによってバイオメトリック特徴情報を取得し、前記通信インターフェースを使用することによって、サーバデバイスが、前記バイオメトリック特徴情報にしたがって、ショップを離れるユーザを識別するために、前記バイオメトリック特徴情報を前記サーバデバイスに送信し、前記ショップを離れる前記ユーザが得た記録された製品にしたがって、前記ショップを離れる前記ユーザについての支払い操作を実施するように構成され、
前記第１の取得ユニットは、前記ユーザの前記バイオメトリック特徴情報を取得し、前記バイオメトリック特徴情報を前記プロセッサに送信するように構成され、
前記通信インターフェースは、前記バイオメトリック特徴情報を前記サーバデバイスに送信するように構成される、
出口デバイス。
【請求項１０２】
第１の取得ユニットと、プロセッサと、通信インターフェースとを備える入口デバイスであって、
前記プロセッサは、第１の取得命令がトリガされると、前記第１の取得ユニットを使用することによってバイオメトリック特徴情報を取得し、サーバデバイスがショップに入店するユーザを識別するために、前記通信インターフェースを使用することによって、前記バイオメトリック特徴情報を前記サーバデバイスに送信し、シェルフによって送信されたバイオメトリック特徴情報を受信すると、前記ショップに入店する前記ユーザのうち前記シェルフによって送信される前記バイオメトリック特徴情報に対応するユーザを識別し、および出口デバイスによって送信されたバイオメトリック特徴情報を受信すると、前記ショップに入店する前記ユーザのうち前記ショップを離れるユーザを識別するように構成され、
前記第１の取得ユニットは、前記バイオメトリック特徴情報を取得し、前記取得されたバイオメトリック特徴情報を前記プロセッサに送信するように構成され、
前記通信インターフェースは、前記第１の取得ユニットによって取得される前記バイオメトリック特徴情報を前記サーバデバイスに送信するように構成される、
入口デバイス。
【請求項１０３】
通信インターフェースと、プロセッサとを備える注文デバイスであって、
前記プロセッサは、前記通信インターフェースを使用することによって、ダイニングテーブルの第１の取得ユニットによって取得され送信されたバイオメトリック特徴情報、および前記ダイニングテーブルの第２の取得ユニットによって取得され送信された身体動作情報を受信し、前記第１の取得ユニットによって送信された前記バイオメトリック特徴情報にしたがって、前記バイオメトリック特徴情報に対応するユーザを識別し、前記身体動作情報にしたがって、前記ダイニングテーブルの表示コンポーネントに表示された料理から前記ユーザによって選択された料理を識別し、前記ユーザによって選択された前記識別された料理にしたがって前記ユーザのために注文操作を実施するように構成され、
前記通信インターフェースは、前記ダイニングテーブルの前記第１の取得ユニットによって取得され送信された前記バイオメトリック特徴情報、および前記ダイニングテーブルの前記第２の取得ユニットによって取得され送信された前記身体動作情報を受信するように構成される、
注文デバイス。
【請求項１０４】
前記通信インターフェースは、入口デバイスによって取得され送信されるバイオメトリック特徴情報を受信するようにさらに構成され、
前記プロセッサは、前記入口デバイスによって取得され送信される前記バイオメトリック特徴情報にしたがって、レストランに入店するユーザを識別し、前記レストランに入店する前記ユーザの前記バイオメトリック特徴情報および前記ダイニングテーブルの前記第１の取得ユニットによって送信された前記バイオメトリック特徴情報にしたがって、前記レストランに入店する前記ユーザのうち、前記ダイニングテーブルの前記第１の取得ユニットによって送信された前記バイオメトリック特徴情報に対応する前記ユーザを識別するように構成される、
請求項１０３に記載のデバイス。
【請求項１０５】
前記通信インターフェースは、出口デバイスによって取得され送信されるバイオメトリック特徴情報を受信するようにさらに構成され、
前記プロセッサは、前記出口デバイスによって取得され送信される前記バイオメトリック特徴情報にしたがって、前記レストランを離れるユーザを識別し、前記レストランを離れる前記ユーザについて注文された料理にしたがって前記レストランを離れる前記ユーザについて支払い操作を実施するように構成される、
請求項１０３に記載のデバイス。
【請求項１０６】
第１の取得ユニットと、第２の取得ユニットと、通信インターフェースと、プロセッサと、表示コンポーネントとを備えるダイニングテーブルであって、
前記プロセッサは、第１の取得命令がトリガされると、前記第１の取得ユニットを使用することによってバイオメトリック特徴情報を取得し、前記通信インターフェースを使用することによって、前記バイオメトリック特徴情報をサーバデバイスに送信し、第２の取得命令がトリガされると、前記第２の取得ユニットを使用することによって身体動作情報を取得し、前記サーバデバイスが前記ダイニングテーブルの前記表示コンポーネントに表示される料理から前記バイオメトリック特徴情報に対応するユーザによって選択された料理を識別するために、前記通信インターフェースを使用することによって、前記身体動作情報を前記サーバデバイスに送信するように構成され、
前記第１の取得ユニットは、前記バイオメトリック特徴情報を取得し、前記バイオメトリック特徴情報を前記プロセッサに送信するように構成され、
前記第２の取得ユニットは、前記身体動作情報を取得し、前記身体動作情報を前記プロセッサに送信するように構成され、
前記通信インターフェースは、前記バイオメトリック特徴情報を前記サーバデバイスに送信し、前記身体動作情報を前記サーバデバイスに送信するように構成され、
前記表示コンポーネントは、前記料理を表示するように構成される、
ダイニングテーブル。
【請求項１０７】
前記第１の取得ユニットは前記ダイニングテーブルのテーブル上面に配置され、
前記第２の取得ユニットは前記ダイニングテーブルの前記テーブル上面に配置され、
前記表示コンポーネントは前記ダイニングテーブルの前記テーブル上面に配置される、
請求項１０６に記載のダイニングテーブル。
【請求項１０８】
前記表示コンポーネントはホログラフィ投影機能を有する表示コンポーネントであり、
前記表示コンポーネントはホログラフィ投影を通じて料理を表示するように構成される、
請求項１０６または１０７に記載のダイニングテーブル。
【請求項１０９】
通信インターフェースと、プロセッサとを備える回転式改札口制御デバイスであって、
前記プロセッサは、前記通信インターフェースを使用することによって、回転式改札口の第１の取得ユニットによって取得され送信されたバイオメトリック特徴情報、および前記回転式改札口の第２の取得ユニットによって取得され送信された第１の身体動作情報を受信し、前記第１の取得ユニットによって送信された前記バイオメトリック特徴情報にしたがって、前記バイオメトリック特徴情報に対応するユーザを識別し、前記第２の取得ユニットによって送信された前記第１の身体動作情報にしたがって前記ユーザの前記第１の身体動作が指定された条件を満たすことを検出すると、前記ユーザのチケット購入記録があるかどうか判断し、記録があれば前記通信インターフェースを使用することによって、前記回転式改札口に開く命令を送信し、または記録がなければ開く命令を送信しないように構成され、
前記通信インターフェースは、前記回転式改札口の前記第１の取得ユニットによって取得され送信された前記バイオメトリック特徴情報、および前記回転式改札口の前記第２の取得ユニットによって取得され送信された前記第１の身体動作情報を受信し、前記回転式改札口に前記開く命令を送信するように構成される、
回転式改札口制御デバイス。
【請求項１１０】
前記通信インターフェースは、前記開く命令を送信した後、前記回転式改札口の前記第２の取得ユニットによって送信された第２の身体動作情報を受信するようにさらに構成され、
前記プロセッサは、前記第２の身体動作情報にしたがって前記ユーザが前記回転式改札口を通過したことを検出すると、前記ユーザの前記チケット購入記録を削除するように構成される、
請求項１０９に記載のデバイス。
【請求項１１１】
第１の取得ユニットと、第２の取得ユニットと、通信インターフェースと、プロセッサと、ゲートとを備える回転式改札口であって、
前記プロセッサは、第１の取得命令がトリガされると、前記第１の取得ユニットを使用することによってバイオメトリック特徴情報を取得し、前記通信インターフェースを使用することによって、前記バイオメトリック特徴情報をサーバデバイスに送信し、第２の取得命令がトリガされると、前記第２の取得ユニットを使用することによって第１の身体動作情報を取得し、前記サーバが前記バイオメトリック特徴情報に対応するユーザを識別するために、前記通信インターフェースを使用することによって、前記第１の身体動作情報を前記サーバデバイスに送信し、前記ユーザの第１の身体動作が指定された条件を満たすことを検出すると、前記ユーザのチケット購入記録があるかどうか判断し、記録があれば開く命令を返し、または記録がなければ開く命令を返さないように構成され、
前記プロセッサは、前記通信インターフェースを使用することによって、前記開く命令を受信すると、前記ゲートが開くように制御するように構成され、
前記第１の取得ユニットは、前記バイオメトリック特徴情報を取得し、前記バイオメトリック特徴情報を前記プロセッサに送信するように構成され、
前記第２の取得ユニットは、前記身体動作情報を取得し、前記身体動作情報を前記プロセッサに送信するように構成され、
前記通信インターフェースは前記バイオメトリック特徴情報を前記サーバデバイスに送信し、前記第１の身体動作情報を前記サーバデバイスに送信し、前記サーバによって返された前記開く命令を受信し、前記開く命令を前記プロセッサに送信するように構成される、
回転式改札口。
【請求項１１２】
前記プロセッサは、前記開く命令にしたがって前記ゲートが開くように制御した後、前記第２の取得ユニット使用することによって第２の身体動作情報を取得し、前記サーバデバイスが、前記ユーザが前記回転式改札口を通過したことを検出した後、前記ユーザの前記チケット購入記録を削除するために、前記通信インターフェースを使用することによって、第２の身体動作情報を前記サーバデバイスに送信するようにさらに構成される、請求項１１１に記載の回転式改札口。
【請求項１１３】
モノのインターネットに基づく情報処理方法であって、
第１のデバイスによって送信されたバイオメトリック特徴情報を、サーバデバイスによって受信することであって、前記第１のデバイスはモノのインターネットのデバイスである、受信することと、
前記バイオメトリック特徴情報にしたがって、前記バイオメトリック特徴情報に対応するユーザを識別することと、
前記ユーザのためにトランザクションまたは操作を実施することと、
を含む、モノのインターネットに基づく情報処理方法。
【請求項１１４】
前記ユーザのためにトランザクションまたは操作を実施することは、具体的に、
前記ユーザが認可されたユーザであると識別すると、前記ユーザのために前記トランザクションまたは操作を実施することか、または
前記ユーザが認可されたユーザであると識別すると、前記第１のデバイスがユーザのために前記トランザクションまたは操作を実施するために、前記第１のデバイスにトランザクションまたは操作実行命令を送信すること、
を含む、請求項１３に記載の方法。
【請求項１１５】
前記ユーザのためにトランザクションまたは操作を実施することは、具体的に、
前記第１のデバイスに対応する記憶されたトランザクションまたは操作にしたがって、前記ユーザのために前記第１のデバイスに対応する前記トランザクションまたは操作を実施すること、
を含む、請求項１３に記載の方法。
【請求項１１６】
前記トランザクションまたは操作は、支払い操作を含む、請求項１１３から１１５のいずれか一項に記載の方法。
【請求項１１７】
モノのインターネットに基づく情報処理デバイスであって、通信インターフェースと、プロセッサとを備え、
前記プロセッサは、前記通信インターフェースを使用することによって、第１のデバイスによって送信されたバイオメトリック特徴情報を受信し、前記バイオメトリック特徴情報にしたがって、前記バイオメトリック特徴情報に対応するユーザを識別し、前記ユーザのためにトランザクションまたは操作を実施するように構成され、前記第１のデバイスはモノのインターネットのデバイスであり、
前記通信インターフェースは、前記第１のデバイスによって送信された前記バイオメトリック特徴情報を受信し、前記バイオメトリック特徴情報を前記プロセッサに送信するように構成される、
モノのインターネットに基づく情報処理デバイス。
【請求項１１８】
前記プロセッサは、前記ユーザが認可されたユーザであると識別すると、前記ユーザのために前記トランザクションまたは操作を実施するか、または前記ユーザが認可されたユーザであると識別すると、前記第１のデバイスが前記ユーザのためにトランザクションまたは操作を実施するために、前記通信インターフェースを使用することによって前記トランザクションまたは操作実行命令を前記第１のデバイスに送信するように構成され、
前記通信インターフェースは、前記トランザクションまたは操作実行命令を前記第１のデバイスに送信するように構成される、
請求項１１７に記載のデバイス。
【請求項１１９】
前記プロセッサは、前記第１のデバイスに対応する記憶されたトランザクションまたは操作にしたがって、前記ユーザのために前記第１のデバイスに対応する前記トランザクションまたは操作を実施するように構成される、請求項１１７に記載のデバイス。
【請求項１２０】
前記トランザクションまたは操作は、支払い操作を含む、請求項１１７から１１９のいずれか一項に記載のデバイス。
【発明の詳細な説明】
【技術分野】
【０００１】
本出願はコンピュータ技術の分野に関し、より詳細にはコンピュータの分野におけるモノのインターネットに基づく情報処理の方法およびデバイスに関する。
【背景技術】
【０００２】
情報技術の発展に伴い、ユーザは既に、モバイル端末を使用してソーシャルネットワーキング、支払いなどの様々なトランザクションまたは操作を実施することが可能になっている。ユーザがモバイル端末を使用してこれらのトランザクションまたは操作を実施することを可能にすることにおける重要なステップは、モバイル端末を通じてユーザの識別情報認証を実施することである。
【０００３】
現在、前述の識別情報認証を実装するために、ユーザは依然としてモバイル端末を持ち運ぶことが必要である。モバイル端末を紛失したり盗まれたりすると、ユーザは前述の操作を実施できないだけではなく、モバイル端末に記憶され識別情報認証のために使用されるユーザのプライベートな情報が、他人によって得られることがあり、ユーザにとって損失をもたらす。
【０００４】
したがって、既存の技術におけるユーザにとってモバイル端末を使用してトランザクションまたは操作を実施するための方法は、十分に便利ではなく安全ではない。
【発明の概要】
【０００５】
本出願の実施形態は、拡張現実および位置決めサービスの組合せに基づいてリソースを得ることが不便である既存の技術における課題を解決するために、リソース送信方法およびデバイスを提供する。
【０００６】
本出願に記載の第１のデバイスおよび第２のデバイスの両方は、モノのインターネットのデバイスであってもよい。いくつかの実施形態において、第１のデバイスおよび第２のデバイスはモバイル端末デバイス以外のデバイスであってもよい。本出願に記載の第１のデバイスおよび第２のデバイスは同一のデバイスであってもよく、または異なるデバイスであってもよい。
【０００７】
本出願の実施形態はモノのインターネットに基づく情報処理システムを提供する。システムはサーバデバイスと、第１のデバイスとを含み、第１のデバイスはモノのインターネットのデバイスである。
【０００８】
第１のデバイスは、第１の取得命令がトリガされると、バイオメトリック特徴情報を取得し、取得されたバイオメトリック特徴情報をサーバデバイスに送信するように構成され、
サーバデバイスは、第１のデバイスによって送信されたバイオメトリック特徴情報を受信し、バイオメトリック特徴情報にしたがって、バイオメトリック特徴情報に対応するユーザを識別するように構成される。
【０００９】
本出願の実施形態は、
第１のデバイスによって送信されたバイオメトリック特徴情報を、サーバデバイスによって受信することと、
バイオメトリック特徴情報にしたがって、バイオメトリック特徴情報に対応するユーザを識別することと、
を含む、情報処理方法を提供する。
【００１０】
本出願の実施形態は、
第１のデバイスの第１の取得命令がトリガされるかどうか、第１のデバイスによって監視することと、
第１の取得命令がトリガされることを検出すると、バイオメトリック特徴情報を取得することと、
サーバデバイスがバイオメトリック特徴情報に対応するユーザを識別するために、取得されたバイオメトリック特徴情報をサーバデバイスに送信することと、
を含む、情報処理方法を提供する。
【００１１】
本出願の実施形態は、
第２のデバイスの第２の取得命令がトリガされるかどうか、第２のデバイスによって監視することと、
第２の取得命令がトリガされることを検出すると、身体動作情報を取得することと、
サーバデバイスがユーザのためにトランザクションまたは操作を実施するために、取得された身体動作情報をサーバデバイスに送信することと、
を含む、情報処理方法を提供する。
【００１２】
本出願の実施形態は、
ユーザのバイオメトリック特徴情報を人間身体チップによって取得することと、
第１のデバイスが第１のデバイスによって取得されるバイオメトリック特徴情報を送信するために、取得されるバイオメトリック特徴情報および／または人間身体チップに記憶されたデジタル証明書を第１のデバイスに、ならびに、人間身体チップによって取得されるバイオメトリック特徴情報および／または人間身体チップに記憶されたデジタル証明書を識別のためにサーバデバイスに送信することと、
を含む、情報処理方法を提供する。
【００１３】
本出願の実施形態は、
第１のデバイスによって送信されたバイオメトリック特徴情報、およびバイタルサイン検出デバイスによって送信されたバイタルサイン情報を、サーバデバイスによって受信することと、
バイオメトリック特徴情報にしたがって、バイオメトリック特徴情報に対応するユーザを識別することと、
バイタルサイン情報および記憶された推奨規則にしたがって、ユーザに推奨されることになる情報および／またはトランザクションもしくは操作を決定することと、
決定された情報および／またはトランザクションもしくは操作を、表示することのために表示デバイスに送信することと、
を含む、情報推奨方法を提供する。
【００１４】
本出願の実施形態は、
自転車の第１の取得ユニットによって取得され送信されたバイオメトリック特徴情報、および自転車の第２の取得ユニットによって取得され送信された身体動作情報をサーバデバイスによって受信することと、
第１の取得ユニットによって送信されたバイオメトリック特徴情報にしたがって、バイオメトリック特徴情報に対応するユーザを識別することと、
身体動作情報にしたがって、身体動作情報が指定された身体動作であると識別すると、ユーザに対応するアカウントにしたがって、支払い操作を実施し、自転車の錠を開錠するために制御することと、
を含む、自転車開錠方法を提供する。
【００１５】
本出願の実施形態は、
ショップのシェルフの第１の取得ユニットによって取得され送信されたバイオメトリック特徴情報、およびシェルフの第２の取得ユニットによって取得され送信された身体動作情報をサーバデバイスによって受信することと、
シェルフの第１の取得ユニットによって送信されたバイオメトリック特徴情報にしたがって、バイオメトリック特徴情報に対応するユーザを識別することと、
身体動作情報にしたがって、シェルフからユーザが得た製品を識別し、製品を記録することと、
出口デバイスによって取得され送信されたバイオメトリック特徴情報を受信すると、出口デバイスによって送信されたバイオメトリック特徴情報にしたがって、ショップを離れるユーザをサーバデバイスによって識別し、ショップを離れるユーザが得た記録された製品にしたがって、ショップを離れるユーザについての支払い操作を実施することと、
を含む、支払い方法を提供する。
【００１６】
本出願の実施形態は、
ダイニングテーブルの第１の取得ユニットによって取得され送信されたバイオメトリック特徴情報、およびダイニングテーブルの第２の取得ユニットによって取得され送信された身体動作情報をサーバデバイスによって受信することと、
第１の取得ユニットによって送信されたバイオメトリック特徴情報にしたがって、バイオメトリック特徴情報に対応するユーザを識別することと、
身体動作情報にしたがって、ダイニングテーブルの表示コンポーネントに表示された料理からユーザによって選択された料理を識別することと、
ユーザによって選択された識別された料理にしたがって、ユーザのために注文操作を実施することと、
を含む、注文方法を提供する。
【００１７】
本出願の実施形態は、
回転式改札口の第１の取得ユニットによって取得され送信されたバイオメトリック特徴情報、および回転式改札口の第２の取得ユニットによって取得され送信された第１の身体動作情報を、サーバデバイスによって受信することと、
第１の取得ユニットによって送信されたバイオメトリック特徴情報にしたがって、バイオメトリック特徴情報に対応するユーザを識別することと、
第２の取得ユニットによって送信された第１の身体動作情報にしたがって、ユーザの第１の身体動作が指定された条件を満たすことを検出すると、ユーザのチケット購入記録があるかどうか判断し、記録があれば回転式改札口が開くように制御し、または記録がなければ回転式改札口が開かないように制御することと、
を含む、回転式改札口制御方法を提供する。
【００１８】
本出願の実施形態は、通信インターフェースと、プロセッサとを含む情報処理デバイスであって、
通信インターフェースは第１のデバイスによって送信されたバイオメトリック特徴情報を受信するように構成され、
プロセッサはバイオメトリック特徴情報にしたがって、バイオメトリック特徴情報に対応するユーザを識別するように構成され、
第１のデバイスはモノのインターネットのデバイスである、
情報処理デバイスを提供する。
【００１９】
本出願の実施形態は、情報処理デバイスであって、デバイスはモノのインターネットのデバイスであり、デバイスは取得ユニットと、プロセッサと、通信インターフェースとを含み、
プロセッサは、第１の取得命令がトリガされるかどうか監視し、第１の取得命令がトリガされることを検出すると、取得ユニットがバイオメトリック特徴情報を取得するように制御し、取得ユニットによって取得されるバイオメトリック特徴情報を受信し、サーバデバイスがバイオメトリック特徴情報に対応するユーザを識別するために、通信インターフェースを使用することによって取得されたバイオメトリック特徴情報をサーバデバイスに送信するように構成され、
取得ユニットはバイオメトリック特徴情報を取得し、バイオメトリック特徴情報をプロセッサに返すように構成され、
通信インターフェースはバイオメトリック特徴情報をサーバデバイスに送信するように構成される
情報処理デバイスを提供する。
【００２０】
本出願の実施形態は、情報処理デバイスであって、デバイスはモノのインターネットのデバイスであり、デバイスは取得ユニットと、プロセッサと、通信インターフェースとを含み、
プロセッサは、第２の取得命令がトリガされるかどうか監視し、第２の取得命令がトリガされることを検出すると、取得ユニットが身体動作情報を取得するように制御し、サーバデバイスがユーザのためにトランザクションまたは操作を実施するために、通信インターフェースを使用することによって取得される身体動作情報をサーバデバイスに送信するように構成され、
取得ユニットは、身体動作情報を取得し、取得された身体動作情報をプロセッサに送信するように構成され、
通信インターフェースは身体動作情報をサーバデバイスに送信するように構成される、
情報処理デバイスを提供する。
【００２１】
本出願の実施形態は、人間身体チップであって、人間身体チップは、取得ユニットと、メモリと、通信インターフェースとを含み、
取得ユニットはユーザのバイオメトリック特徴情報を取得するように構成され、
メモリは、デジタル証明書を記憶するように構成され、
通信インターフェースは、第１のデバイスが第１のデバイスによって取得されるバイオメトリック特徴情報を送信するために、取得ユニットによって取得されるバイオメトリック特徴情報および／またはメモリに記憶されたデジタル証明書を第１のデバイス送信するように、ならびに人間身体チップによって取得されるバイオメトリック特徴情報および／または人間身体チップに記憶されたデジタル証明書を識別のためにサーバデバイスに送信するように構成される、
人間身体チップを提供する。
【００２２】
本出願の実施形態は、通信インターフェースと、プロセッサとを含む情報推奨デバイスであって、
プロセッサは、通信インターフェースを使用することによって、第１のデバイスによって送信されたバイオメトリック特徴情報およびバイタルサイン検出デバイスによって送信されたバイタルサイン情報を受信し、バイオメトリック特徴情報にしたがって、バイオメトリック特徴情報に対応するユーザを識別し、バイタルサイン情報および記憶された推奨規則にしたがって、ユーザに推奨されることになる情報および／またはトランザクションもしくは操作を決定し、通信インターフェースを使用することによって、決定された情報および／またはトランザクションもしくは操作を、表示することのために表示デバイスに送信するように構成され、
通信インターフェースは、第１のデバイスによって送信されたバイオメトリック特徴情報、およびバイタルサイン検出デバイスによって送信されたバイタルサイン情報を受信し、プロセッサによって決定された情報および／またはトランザクションもしくは操作を、表示することのために表示デバイスに送信するように構成される、
情報推奨デバイスを提供する。
【００２３】
本出願の実施形態は、通信インターフェースと、プロセッサとを含む、自転車開錠デバイスであって、
プロセッサは、通信インターフェースを使用することによって、自転車の第１の取得ユニットによって取得され送信されたバイオメトリック特徴情報、および自転車の第２の取得ユニットによって取得され送信された身体動作情報を受信し、第１の取得ユニットによって送信されたバイオメトリック特徴情報にしたがって、バイオメトリック特徴情報に対応するユーザを識別し、身体動作情報にしたがって、身体動作情報が指定された身体動作であると識別すると、ユーザに対応するアカウントにしたがって支払い操作を実施し、自転車の錠を開錠するために制御するように構成され、
通信インターフェースは、自転車の第１の取得ユニットによって取得され送信されたバイオメトリック特徴情報、および自転車の第２の取得ユニットによって取得され送信された身体動作情報を受信するように構成される、
自転車開錠デバイスを提供する。
【００２４】
本出願の実施形態は、第１の取得ユニットと、第２の取得ユニットと、プロセッサと、通信インターフェースと、錠とを含む自転車であって、
プロセッサは、第１の取得命令がトリガされると、第１の取得ユニットを使用することによってバイオメトリック特徴情報を取得し、通信インターフェースを使用することによって、バイオメトリック特徴情報をサーバデバイスに送信し、第２の取得命令がトリガされると、第２の取得ユニットを使用することによって身体動作情報を取得し、通信インターフェースを使用することによって、身体動作情報をサーバデバイスに送信し、通信インターフェースを使用することによって、サーバデバイスによって返される開錠命令を受信すると、錠を開錠するように構成され、
第１の取得ユニットは、バイオメトリック特徴情報を取得し、取得されたバイオメトリック特徴情報をプロセッサに送信するように構成され、
第２の取得ユニットは、身体動作情報を取得し、取得された身体動作情報をプロセッサに送信するように構成され、
通信インターフェースは、バイオメトリック特徴情報をサーバデバイスに送信し、身体動作情報をサーバデバイスに送信し、サーバデバイスによって返される開錠命令を受信するように構成される、
自転車を提供する。
【００２５】
自転車の第１の取得ユニットおよび第２の取得ユニットは、同一の取得ユニットであってもよく、または異なる取得ユニットであってもよい。
【００２６】
本出願の実施形態は、プロセッサと、通信インターフェースとを含む支払いデバイスであって、
プロセッサは、通信インターフェースを使用することによって、ショップのシェルフの第１の取得ユニットによって取得され送信されたバイオメトリック特徴情報、およびシェルフの第２の取得ユニットによって取得され送信された身体動作情報を受信し、シェルフの第１の取得ユニットによって送信されたバイオメトリック特徴情報にしたがって、バイオメトリック特徴情報に対応するユーザを識別し、身体動作情報にしたがって、シェルフからユーザが得た製品を識別し、製品を記録し、および通信インターフェースを使用することによって、出口デバイスによって取得され送信されたバイオメトリック特徴情報を受信すると、出口デバイスによって送信されたバイオメトリック特徴情報にしたがって、ショップを離れるユーザを識別し、ショップを離れるユーザが得た記録された製品にしたがって、ショップを離れるユーザについての支払い操作を実施するように構成され、
通信インターフェースは、ショップのシェルフの第１の取得ユニットによって取得され送信されたバイオメトリック特徴情報、およびシェルフの第２の取得ユニットによって取得され送信された身体動作情報を受信し、出口デバイスによって取得され送信されたバイオメトリック特徴情報を受信するように構成される、
支払いデバイスを提供する。
【００２７】
本出願の実施形態は、第１の取得ユニットと、第２の取得ユニットと、プロセッサと、通信インターフェースとを含むシェルフであって、
プロセッサは、第１の取得命令がトリガされると、第１の取得ユニットを使用することによってバイオメトリック特徴情報を取得し、第２の取得命令がトリガされると、第２の取得ユニットを使用することによって身体動作情報を取得し、サーバデバイスが、バイオメトリック特徴情報に対応するユーザがシェルフから得た製品を識別するために、通信インターフェースを使用することによって、バイオメトリック特徴情報および身体動作情報をサーバデバイスに送信するように構成され、
第１の取得ユニットは、バイオメトリック特徴情報を取得し、バイオメトリック特徴情報をプロセッサに送信するように構成され、
第２の取得ユニットは、身体動作情報を取得し、身体動作情報をプロセッサに送信するように構成され、
通信インターフェースは、バイオメトリック特徴情報および身体動作情報をサーバデバイスに送信するように構成される、
シェルフを提供する。
【００２８】
シェルフの第１の取得ユニットおよび第２の取得ユニットは、同一の取得ユニットであってもよく、または異なる取得ユニットであってもよい。
【００２９】
本出願の実施形態は、第１の取得ユニットと、プロセッサと、通信インターフェースとを含む出口デバイスであって、
プロセッサは、第１の取得命令がトリガされると、第１の取得ユニットを使用することによってバイオメトリック特徴情報を取得し、通信インターフェースを使用することによって、サーバデバイスが、バイオメトリック特徴情報にしたがって、ショップを離れるユーザを識別するために、バイオメトリック特徴情報をサーバデバイスに送信し、ショップを離れるユーザが得た記録された製品にしたがって、ショップを離れるユーザについての支払い操作を実施するように構成され、
第１の取得ユニットは、ユーザのバイオメトリック特徴情報を取得し、バイオメトリック特徴情報をプロセッサに送信するように構成され、
通信インターフェースは、バイオメトリック特徴情報をサーバデバイスに送信するように構成される、
出口デバイスを提供する。
【００３０】
本出願の実施形態は、第１の取得ユニットと、プロセッサと、通信インターフェースとを含む入口デバイスであって、
プロセッサは、第１の取得命令がトリガされると、第１の取得ユニットを使用することによってバイオメトリック特徴情報を取得し、サーバデバイスがショップに入店するユーザを識別するために、通信インターフェースを使用することによって、バイオメトリック特徴情報をサーバデバイスに送信し、シェルフによって送信されたバイオメトリック特徴情報を受信すると、ショップに入店するユーザのうちシェルフによって送信されるバイオメトリック特徴情報に対応するユーザを識別し、および出口デバイスによって送信されたバイオメトリック特徴情報を受信すると、ショップに入店するユーザのうちショップを離れるユーザを識別するように構成され、
第１の取得ユニットは、バイオメトリック特徴情報を取得し、取得されたバイオメトリック特徴情報をプロセッサに送信するように構成され、
通信インターフェースは、第１の取得ユニットによって取得されるバイオメトリック特徴情報をサーバデバイスに送信するように構成される、
入口デバイスを提供する。
【００３１】
本出願の実施形態は、通信インターフェースと、プロセッサとを含む注文デバイスであって、
プロセッサは、通信インターフェースを使用することによって、ダイニングテーブルの第１の取得ユニットによって取得され送信されたバイオメトリック特徴情報、およびダイニングテーブルの第２の取得ユニットによって取得され送信された身体動作情報を受信し、第１の取得ユニットによって送信されたバイオメトリック特徴情報にしたがって、バイオメトリック特徴情報に対応するユーザを識別し、身体動作情報にしたがって、ダイニングテーブルの表示コンポーネントに表示された料理からユーザによって選択された料理を識別し、ユーザによって選択された識別された料理にしたがってユーザのために注文操作を実施するように構成され、
通信インターフェースは、ダイニングテーブルの第１の取得ユニットによって取得され送信されたバイオメトリック特徴情報、およびダイニングテーブルの第２の取得ユニットによって取得され送信された身体動作情報を受信するように構成される、
注文デバイスを提供する。
【００３２】
本出願の実施形態は、第１の取得ユニットと、第２の取得ユニットと、通信インターフェースと、プロセッサと、表示コンポーネントとを含むダイニングテーブルであって、
プロセッサは、第１の取得命令がトリガされると、第１の取得ユニットを使用することによってバイオメトリック特徴情報を取得し、通信インターフェースを使用することによって、バイオメトリック特徴情報をサーバデバイスに送信し、第２の取得命令がトリガされると、第２の取得ユニットを使用することによって身体動作情報を取得し、サーバデバイスがダイニングテーブルの表示コンポーネントに表示される料理からバイオメトリック特徴情報に対応するユーザによって選択された料理を識別するために、通信インターフェースを使用することによって、身体動作情報をサーバデバイスに送信するように構成され、
第１の取得ユニットは、バイオメトリック特徴情報を取得し、バイオメトリック特徴情報をプロセッサに送信するように構成され、
第２の取得ユニットは、身体動作情報を取得し、身体動作情報をプロセッサに送信するように構成され、
通信インターフェースは、バイオメトリック特徴情報をサーバデバイスに送信し、身体動作情報をサーバデバイスに送信するように構成され、
表示コンポーネントは、その料理を表示するように構成される、
ダイニングテーブルを提供する。
【００３３】
ダイニングテーブルの第１の取得ユニットおよび第２の取得ユニットは、同一の取得ユニットであってもよく、または異なる取得ユニットであってもよい。
【００３４】
本出願の実施形態は、通信インターフェースと、プロセッサとを含む回転式改札口制御デバイスであって、
プロセッサは、通信インターフェースを使用することによって、回転式改札口の第１の取得ユニットによって取得され送信されたバイオメトリック特徴情報、および回転式改札口の第２の取得ユニットによって取得され送信された第１の身体動作情報を受信し、第１の取得ユニットによって送信されたバイオメトリック特徴情報にしたがって、バイオメトリック特徴情報に対応するユーザを識別し、第２の取得ユニットによって送信された第１の身体動作情報にしたがってユーザの第１の身体動作が指定された条件を満たすことを検出すると、ユーザのチケット購入記録があるかどうか判断し、記録があれば通信インターフェースを使用することによって、回転式改札口に開く命令を送信し、または記録がなければ開く命令を送信しないように構成され、
通信インターフェースは、回転式改札口の第１の取得ユニットによって取得され送信されたバイオメトリック特徴情報、および回転式改札口の第２の取得ユニットによって取得され送信された第１の身体動作情報を受信し、回転式改札口に開く命令を送信するように構成される、
回転式改札口制御デバイスを提供する。
【００３５】
本出願の実施形態は、第１の取得ユニットと、第２の取得ユニットと、通信インターフェースと、プロセッサと、ゲートとを含む回転式改札口であって、
プロセッサは、第１の取得命令がトリガされると、第１の取得ユニットを使用することによってバイオメトリック特徴情報を取得し、通信インターフェースを使用することによって、バイオメトリック特徴情報をサーバデバイスに送信し、第２の取得命令がトリガされると、第２の取得ユニットを使用することによって第１の身体動作情報を取得し、サーバがバイオメトリック特徴情報に対応するユーザを識別するために、通信インターフェースを使用することによって、第１の身体動作情報をサーバデバイスに送信し、ユーザの第１の身体動作が指定された条件を満たすことを検出すると、ユーザのチケット購入記録があるかどうか判断し、記録があれば開く命令を返し、または記録がなければ開く命令を返さないように構成され、
プロセッサは、通信インターフェースを使用することによって、開く命令を受信すると、ゲートが開くように制御するように構成され、
第１の取得ユニットは、バイオメトリック特徴情報を取得し、バイオメトリック特徴情報をプロセッサに送信するように構成され、
第２の取得ユニットは、身体動作情報を取得し、身体動作情報をプロセッサに送信するように構成され、
通信インターフェースはバイオメトリック特徴情報をサーバデバイスに送信し、第１の身体動作情報をサーバデバイスに送信し、サーバによって返された開く命令を受信し、開く命令をプロセッサに送信するように構成される、
回転式改札口を提供する。
【００３６】
回転式改札口の第１の取得ユニットおよび第２の取得ユニットは、同一の取得ユニットであってもよく、または異なる取得ユニットであってもよい。
【００３７】
本出願の実施形態は、モノのインターネットに基づく情報処理方法であって、
第１のデバイスによって送信されたバイオメトリック特徴情報を、サーバデバイスによって受信することであって、第１のデバイスはモノのインターネットのデバイスである、受信することと、
バイオメトリック特徴情報にしたがって、バイオメトリック特徴情報に対応するユーザを識別することと、
ユーザのためにトランザクションまたは操作を実施することと、
を含む、モノのインターネットに基づく情報処理方法を提供する。
【００３８】
本出願の実施形態は、モノのインターネットに基づく情報処理デバイスであって、通信インターフェースと、プロセッサとを含み、
プロセッサは、通信インターフェースを使用することによって、第１のデバイスによって送信されたバイオメトリック特徴情報を受信し、バイオメトリック特徴情報にしたがって、バイオメトリック特徴情報に対応するユーザを識別し、ユーザのためにトランザクションまたは操作を実施するように構成され、第１のデバイスはモノのインターネットのデバイスであり、
通信インターフェースは、第１のデバイスによって送信されたバイオメトリック特徴情報を受信し、バイオメトリック特徴情報をプロセッサに送信するように構成される、
モノのインターネットに基づく情報処理デバイスを提供する。
【００３９】
本出願によると、ユーザの識別情報認証は、取得されたユーザのバイオメトリック特徴情報にしたがって、ならびにモノのインターネットを使用することによって情報を交換することができる第１のデバイスおよびサーバデバイスを使用することによって、実装することができる。第１のデバイスは、ユーザがモバイル端末を持ち運ぶ必要のないよう、モノのインターネットのデバイスである。既存の技術と比較して、本出願で提供される前述の方法は、より便利あり、また安全である。
【００４０】
本明細書において記載される添付の図面は、本出願のさらなる理解を提供するために使用され、本出願の一部を構成する。本出願の実施形態およびその説明は、本出願を説明するために使用されるが、本出願に対していかなる不当な限定を課すものではない。
【図面の簡単な説明】
【００４１】
【図１】本出願の実施形態による、モノのインターネットのシステムを示す図である。
【図２】本出願の実施形態による、図１に示されるシステムに基づいて情報処理プロセスを示す図である。
【図３ａ】本出願の実施形態による、第１の自転車開錠方法の概略図である。
【図３ｂ】本出願の実施形態による、第２の自転車開錠方法の概略図である。
【図４ａ】本出願の実施形態による、第１のオフラインショッピング方法の概略図である。
【図４ｂ】本出願の実施形態による、第２のオフラインショッピング方法の概略図である。
【図５ａ】本出願の実施形態による、レストランにおける食事のための第１の注文方法の概略図である。
【図５ｂ】本出願の実施形態による、レストランにおける食事のための第２の注文方法の概略図である。
【図６】本出願の実施形態による、人間身体チップの概略図である。
【図７】本出願の実施形態による、図６に基づくモノのインターネットのシステムの概略図である。
【図８】本出願の実施形態による、情報推奨方法の概略図である。
【図９】本出願の実施形態による、対面の支払い方法の概略図である。
【図１０】本出願の実施形態による、第１の情報処理デバイスを示す図である。
【図１１】本出願の実施形態による、第２の情報処理デバイスを示す図である。
【図１２】本出願の実施形態による、第３の情報処理デバイスを示す図である。
【図１３】本出願の実施形態による、人間身体チップを示す図である。
【図１４】本出願の実施形態による、情報推奨デバイスを示す図である。
【図１５】本出願の実施形態による、自転車開錠デバイスを示す図である。
【図１６】本出願の実施形態による、自転車を示す図である。
【図１７】本出願の実施形態による、支払いデバイスを示す図である。
【図１８】本出願の実施形態による、シェルフを示す図である。
【図１９】本出願の実施形態による、出口デバイスを示す図である。
【図２０】本出願の実施形態による、入口デバイスを示す図である。
【図２１】本出願の実施形態による、注文デバイスを示す図である。
【図２２】本出願の実施形態による、ダイニングテーブルを示す図である。
【図２３】本出願の実施形態による、回転式改札口制御デバイスを示す図である。
【図２４】本出願の実施形態による、回転式改札口を示す図である。
【図２５】本出願の実施形態による、第４の情報処理デバイスを示す図である。
【発明を実施するための形態】
【００４２】
本出願の目的、技術的解決策、および利点をより明瞭にするため、本出願の技術的解決策を本出願の実施形態および対応する添付の図面を参照して以下で説明する。明らかなことだが、説明される実施形態は、本出願の実施形態のほんの一部であり、すべてではない。本出願の実施形態に基づいて創作的な努力なしに当業者によって得られるすべての他の実施形態は、本出願の保護範囲内に入るものとする。
【００４３】
実施形態１
本出願において、急速に成熟するモノのインターネットに基づいて、ユーザはまたモノのインターネットにおけるネットワーク要素として使用されることもある。モノのインターネットにおいて、識別情報認証およびトランザクションまたは操作は、ユーザのバイオメトリック特徴または身体動作に基づいて実施することができる。本出願が基づくシステムが図１に示される。
【００４４】
図１は、本出願の実施形態によるモノのインターネットのシステムである。システムは、第１のデバイス、第２のデバイス、およびサーバデバイスを含む。第１のデバイス、第２のデバイス、およびサーバデバイスのすべては、モノのインターネットの環境内にあることができる。すなわち第１のデバイス、第２のデバイス、およびサーバデバイスのすべては、ネットワークを通じて情報を交換することができる。加えて、本出願の第１のデバイスおよび第２のデバイスは、携帯電話、ノートブック型コンピュータ、ウェアラブルデバイス、またはタブレット型コンピュータなどの、従来のモバイル端末デバイス以外のデバイスであってもよく、また計算能力を有するモノのインターネットのデバイス、例えば、インテリジェントアプライアンス、家具、または計算、データ送信、記憶、および取得機能を有する輸送手段などの、モノのインターネットにおけるネットワーク要素であってもよい。
【００４５】
図１に示されるシステムにおいて、第１のデバイスは、第１の取得命令がトリガされると、ユーザのバイオメトリック特徴情報を取得し、取得されたバイオメトリック特徴情報をサーバデバイスに送信するように構成される。バイオメトリック特徴情報は、複数の生理学的特徴および挙動的特徴のうちの１つ、またはその組合せを含む。生理学的特徴は、限定はしないが、指紋、掌紋、顔、虹彩、脈拍、血圧のうちの１つ、またはそのいくつかの組合せを含む。挙動的特徴は、限定はしないが、歩き方を含む。当業者であれば、ユーザを一意に識別することができるあらゆるバイオメトリック特徴情報または複数のバイオメトリック特徴情報のあらゆる組合せは、本出願の保護範囲内にあることを理解することができる。
【００４６】
第２のデバイスは、第２の取得命令がトリガされると、ユーザの身体動作情報を取得し、取得された身体動作情報をサーバデバイスに送信するように構成される。身体動作は、限定はしないが、頭、首、手、腕、胴体、腰、脚、足などの様々な身体部分を通じてユーザによって実施される動作を含む。本出願に記載の身体動作は、物理的な入力デバイスまたは仮想入力デバイス（投影またはホログラフィなどの技術を使用することによって形成される仮想キーボードなど）に対して実施される操作を含んでもよく、様々な物理的なまたは仮想の物体（物理的な製品、物理的な自転車または仮想メニューなど）に対して実施される動作をさらに含んでもよい。いくつかの実施形態において、動作は物理的なまたは仮想のデバイスに関して実施される操作に限定されなくてもよい。例えば、オフラインの小売店でユーザが製品を手で「つかむ」、またはオフラインの環境でユーザが自転車のハンドルバーを「握る」。通常の意味においては、「つかむこと」および「握ること」は電子デバイスに関する操作ではないことがあり、単にユーザの身体動作であることもある。そのような身体動作を取得することもまた本出願の保護範囲内に入る。
【００４７】
サーバデバイスは、サーバであってもよく、または複数のサーバを含むサーバクラスタであってもよく、またはサーバ（またはクラスタ）および１つもしくは複数のデータベースを含んでいてもよい。サーバデバイスはクラウドサーバデバイスであってもよく、または別のサーバデバイスであってもよい。サーバデバイスは、第１のデバイスによって取得されるバイオメトリック特徴情報および第２のデバイス取得される身体動作情報を受信し、バイオメトリック特徴情報および身体動作情報にしたがってユーザのためにトランザクションまたは操作を実施するように構成される。
【００４８】
本出願は第１のデバイスおよび第２のデバイスを説明するが、デバイスの数は限定されない。複数の第１のデバイス、複数の第２のデバイスがあってもよく、または１つの第１のデバイスおよび１つの第２のデバイスがあってもよい。第１のデバイスおよび第２のデバイスは代替的に同一のデバイスであってもよい。加えて、図１に示される前述のシステムは、モノのインターネットの環境における音声デバイスおよび表示デバイスなどの他のデバイスをさらに含むことができる。これらのデバイスはまたネットワークに基づいてサーバデバイスと情報を交換することができる。これらの機能は以下で詳細に説明される。
【００４９】
図１に示されるシステムに基づいて、本出願において提供されるモノのインターネットに基づく情報処理方法が図２に示される。情報処理方法は以下のステップＳ２０１〜Ｓ２０３を含むことができる。
【００５０】
Ｓ２０１：第１のデバイスが第１の取得命令がトリガされることを監視すると、第１のデバイスはユーザのバイオメトリック特徴情報を取得し、ここで第１のデバイスはモノのインターネットのデバイスである。
Ｓ２０２：第１のデバイスは、取得されたバイオメトリック特徴情報をサーバデバイスに送信する。
Ｓ２０３：サーバデバイスは第１のデバイスによって送信されたバイオメトリック特徴情報を受信し、バイオメトリック特徴情報にしたがってバイオメトリック特徴情報に対応するユーザを識別する。
【００５１】
いくつかの実施形態において、ユーザによって第１のデバイスの第１の取得命令をトリガするための方法に関して、従来のトリガする方法は一般的に、ユーザが要求を能動的に端末デバイスに送信し、次いで端末デバイスが取得を開始することであってもよい。しかしながら、本出願において、第１のデバイスはモバイル端末デバイスでなくてもよく、また第１のデバイスは比較的固定されたものであってもよく、またユーザによって持ち運ばれなくてもよい。したがって、従来のトリガする方法に加えて、本出願においてはより能動的なトリガするやり方が代替的に使用されてもよい。例えば、第１のデバイスは１つまたは複数のセンサを含み、１つまたは複数のセンサによって検出された情報にしたがって第１の取得命令をトリガする。以下のやり方における例を与える。
【００５２】
１．距離センサまたは近接センサ：第１のデバイスは、距離センサまたは近接センサを使用することによって、第１のデバイスまでの距離が設定された距離未満である物体があるかどうかを監視し、第１のデバイスまでの距離が設定された距離未満である物体がある場合、第１のデバイスの第１の取得命令がトリガされる。すなわち距離センサまたは近接センサが第１のデバイスにインストールされ、物体が第１のデバイスにある程度の近さまで近づいていると判断すると、第１のデバイスはバイオメトリック特徴取得を実施する。もちろん、近づく物体が人間でない場合、バイオメトリック特徴は取得されなくてもよく、後続の処理を省略してもよい。
【００５３】
２．光学センサ：第１のデバイスは光学センサ使用することによって第１のデバイスによって受信される照明の強度が照明強度しきい値よりも低い（照明強度しきい値が予め設定されてもよい場合）かどうかを監視し、照明の強度がしきい値よりも低い場合、第１のデバイスの第１の取得命令がトリガされる。すなわち光学センサが第１のデバイスにインストールされ、物体が光学センサの前で光を遮ると光は明から暗に変わり、第１のデバイスはバイオメトリック特徴取得を実施する。もちろん、近づく物体が人間でない場合、バイオメトリック特徴は取得されなくてもよく、後続の処理を省略してもよい。
【００５４】
３．温度センサ：第１のデバイスは温度センサを使用することによって第１のデバイスが位置付けられる環境の温度が温度しきい値よりも高い（温度しきい値が予め設定されてもよい場合）かどうかを監視し、環境の温度がしきい値よりも高い場合、第１のデバイスの第１の取得命令がトリガされる。すなわち温度センサが第１のデバイスにインストールされる。一般的に人間が温度センサに近づくと、呼吸などによってセンサ周囲の温度の変化が起こることがある。温度変化がしきい値を超えると、第１のデバイスはバイオメトリック特徴取得を実施する。もちろん、近づく人間によって温度変化が起こらない場合、バイオメトリック特徴取得は実施されなくてもよく、後続の処理を省略してもよい。
【００５５】
前述は３つの例に過ぎず、本出願の保護範囲を限定しない。単一のセンサが使用されるか、または複数のセンサがまとめて使用されるかのいずれにせよ、第１のデバイスにインストールされるセンサを使用することによる取得命令をトリガするすべてのやり方において、そのやり方は本出願の保護範囲内に入る。加えて、従来のトリガするやり方はまたセンサを使用することによる前述のトリガするやり方と組み合わせて使用してもよい。
【００５６】
第１のデバイスがユーザのバイオメトリック特徴情報を取得すると、様々なデバイスを使用することによって１つまたは複数のユーザのバイオメトリック特徴を取得することができる。例えば、カメラを使用することによって顔、目の特徴または歩き方が取得され、マイクロフォンを使用することによってユーザの音声が取得され、指紋センサを使用することによってユーザの指紋が取得される。
【００５７】
サーバデバイスはユーザの１つまたは複数のバイオメトリック特徴サンプルを記憶する。バイオメトリック特徴情報を受信すると、サーバデバイスは受信されたバイオメトリック特徴情報とバイオメトリック特徴サンプルとの１：Ｎマッチングを実施し、マッチング結果にしたがってユーザを識別することができる。
【００５８】
受信されたバイオメトリック特徴情報が１つのタイプのバイオメトリック特徴情報である場合、サーバデバイスはバイオメトリック特徴情報と同一のタイプのそれぞれのバイオメトリック特徴サンプルとの間の類似性を決定し、受信されたバイオメトリック特徴情報とマッチングするバイオメトリック特徴サンプルとして最高の類似性を有するバイオメトリック特徴サンプルを決定することができるか、または類似性が設定されたしきい値を超えるバイオメトリック特徴サンプルのうち、受信されたバイオメトリック特徴情報とマッチングするバイオメトリック特徴サンプルとして最高の類似性を有するバイオメトリック特徴サンプルを決定することができる。
【００５９】
受信されたバイオメトリック特徴情報が複数のタイプのバイオメトリック特徴情報である場合、サーバデバイスは前述の方法を使用することによって、バイオメトリック特徴情報のそれぞれのタイプについてバイオメトリック特徴情報とマッチングするバイオメトリック特徴サンプルを決定し、次いでそれぞれの決定されたバイオメトリック特徴サンプルにしたがってユーザを決定することができる。例えば、サーバデバイスはバイオメトリック特徴情報のそれぞれのタイプとマッチングする決定されたバイオメトリック特徴サンプルにしたがって、それぞれのバイオメトリック特徴サンプルに対応するユーザを決定することができ、決定されたバイオメトリック特徴サンプルに対応するユーザが同一のユーザである場合、またはバイオメトリック特徴サンプルにそれぞれ対応する決定されたユーザのうち、ユーザの設定された数より多いユーザまたは設定された比より多いユーザが同一のユーザである場合、サーバデバイスは同一のユーザを受信されるバイオメトリック特徴情報に対応するユーザとして決定することができる。そうでなければ、サーバデバイスは受信されたバイオメトリック特徴情報にしたがってユーザを決定することができず、すなわち識別に失敗する。
【００６０】
図２に示される方法は、以下のステップＳ２０４およびステップＳ２０５をさらに含むことができる。
【００６１】
Ｓ２０４：第２の取得命令がトリガされると、第２のデバイスはユーザの身体動作情報を取得し、取得された身体動作情報をサーバデバイスに送信する。
Ｓ２０５：サーバデバイスは身体動作情報を受信し、受信された身体動作情報にしたがってユーザのためにトランザクションまたは操作を実施する。
【００６２】
いくつかの実施形態において、ユーザ識別が実施された後、またはユーザ識別の間、第２の取得命令がトリガされることを検出すると、第２のデバイスはユーザの身体動作情報を取得する。第２のデバイスによって第２の取得命令をトリガすることを監視する方法は、第１のデバイスがバイオメトリック特徴情報を識別することによって得られ、サーバデバイスによって返される識別結果を受信し、識別結果が記憶された登録ユーザ情報と矛盾がないかどうか判断することを含むことができ、登録ユーザ情報と矛盾がなければ第１のデバイスはトリガメッセージを第２のデバイスに送信し、第２のデバイスの第２の取得命令をトリガする。代替的に、サーバデバイスが、第１のデバイスによって送信されたバイオメトリック特徴情報に対応するユーザが認可されたユーザであると判断した後、サーバデバイスはトリガメッセージを第２のデバイスに送信し、第２のデバイスの取得命令をトリガする。さらには、第２のデバイスによって第２の取得命令をトリガすることを監視する方法は、代替的に、第１の取得命令がトリガされるかどうかを第１のデバイスによって監視する方法と同一であってもよい。第２の取得命令はユーザによって能動的にトリガされてもよく、または第２のデバイスに配置されるセンサによって検出された情報にしたがって第２のデバイスによって能動的にトリガされてもよく、本明細書において詳細は繰り返さない。ユーザ識別が完了した後、第２のデバイスは、身体動作情報にしたがってサーバデバイスがユーザのためにトランザクションまたは操作を実施するために、取得される身体動作情報をサーバデバイスに送信することができる。もちろん、身体動作は代替的に第２のデバイスによって識別されてもよく、また第２のデバイスは身体動作識別結果にしたがってユーザのためにトランザクションまたは操作を実施する。
【００６３】
サーバデバイスが身体動作情報を識別し、ユーザのためにトランザクションまたは操作を実施する例を、以下で説明する。
【００６４】
例えば、サーバデバイスはそれぞれの身体動作とトランザクションまたは操作との間の対応関係を事前記憶することができる。代替的に、異なる第２のデバイスについて、サーバデバイスは第２のデバイスに対応するすべての身体動作情報を設定することができ、次いで第２のデバイスに対応するそれぞれの身体動作情報について、サーバデバイスは身体動作情報とトランザクションまたは操作との間の対応関係を設定する。すなわちサーバデバイスは、第２のデバイスと、身体動作情報と、トランザクションまたは操作との間の３つの対応関係を設定する。例えば、第２のデバイスが、モノのインターネットの環境内にあり、サーバデバイスと情報を交換することができる公共自転車であると仮定すると、第２のデバイスに対応する身体動作情報は、座ること、両方の脚で自転車に乗ること、掌でハンドルバーを握ることなどを含むために設定することができ、掌でハンドルバーを握ることの身体動作に対応するトランザクションまたは操作は自転車の錠を開錠することのために設定されてもよい。別の例において、第２のデバイスが、モノのインターネットの環境内にあり、サーバデバイスと情報を交換することができるダイニングテーブルであると仮定すると、第２のデバイスに対応する身体動作は、例えば投影された（ホログラフィまたは別の技術を使用することによって投影された）仮想物体をドラッグすること、親指を立てること、などであり、また投影された仮想物体をドラッグすることの身体動作に対応するトランザクションまたは操作は仮想物体に対応する料理を注文することのために設定されてもよい。
【００６５】
サーバデバイスは、第２のデバイスと、身体動作情報と、トランザクションまたは操作との間の対応関係を通じて、および身体動作情報を送信する第２のデバイスにしたがって、すべての第２のデバイスに対応する身体動作情報を決定することができ、次いで、第２のデバイスに対応するすべての身体動作情報のうち受信された身体動作情報とマッチングする身体動作情報を決定し、最終的に受信された身体動作情報とマッチングする決定された身体動作情報にしたがってユーザのために対応するトランザクションまたは操作を実施する。
【００６６】
加えて、図１に示されるシステムにおいてバイオメトリック特徴情報を取得するように構成される第１のデバイスが１つしかない場合、（１つまたは複数の第２のデバイスがあってもよい）、第１のデバイスによって取得されるバイオメトリック特徴情報および第２のデバイスによって取得される身体動作情報にしたがって、サーバデバイスはステップＳ２０３で決定されたユーザのためにトランザクションまたは操作を直接実施することができる。しかしながら、図１に示されるシステムが、それぞれバイオメトリック特徴情報を取得するように構成される複数の第１のデバイス、およびそれぞれ身体動作情報を取得するように構成される複数の第２のデバイスを含む場合、第１のデバイスは異なるユーザのバイオメトリック特徴情報を取得してもよく、第２のデバイスは異なるユーザの身体動作情報を取得し、次いでサーバデバイスは、続いてユーザのためにトランザクションまたは操作を正確に実施するために、バイオメトリック特徴情報に対応するユーザによって実施される身体動作を知ることができる。
【００６７】
したがって、本出願の実施形態において、第１のデバイスおよび第２のデバイスが同一のデバイスでない場合、それぞれの第１のデバイスとそれぞれの第２のデバイスとの結合関係が設定されてもよい。結合関係は、デバイス製造者またはこれらのデバイスを使用するオンライン／オフラインのサービスプロバイダによって設定されてもよい。本出願において、デバイス同士（以下で記載されるデバイス同士の結合関係を含む）の結合関係は、デバイス同士の間の対応関係であってもよい。対応関係は、予め設定されてもよく、またはサーバデバイスにおいて設定されてもよい。第１のデバイスによって取得されるバイオメトリック特徴情報を受信すると、サーバデバイスは前述のステップＳ２０３を使用することによってバイオメトリック特徴情報に対応するユーザを決定し、第１のデバイスに結合された第２のデバイスによって送信された身体動作情報を受信し、身体動作情報にしたがって決定されたユーザのために対応するトランザクションまたは操作を実施することができる。
【００６８】
第１のデバイスと第２のデバイスが同一のデバイスである場合、すなわち第１のデバイス（第２のデバイスでもある）はユーザのバイオメトリック特徴情報、さらにユーザの身体動作情報を取得することができ、サーバデバイスは第１のデバイスによって取得されるバイオメトリック特徴情報にしたがって対応するユーザを決定し、第１のデバイスによって取得される身体動作情報にしたがってユーザのために対応するトランザクションまたは操作を実施することができる。
【００６９】
本出願の実施形態において、図１に示されるシステムは音声デバイスをさらに含むことができる。音声デバイスは、ユーザの音声情報を取得し、取得された音声情報をサーバデバイスに送信するように構成される。音声デバイスはサーバデバイスによって返される情報を受信して再生するようにさらに構成されてもよい。ユーザの音声情報は、声紋特徴情報を含んでもよく、またユーザの意味をさらに含むことができる。したがって、サーバデバイスは、ユーザを識別するためのバイオメトリック特徴情報のあるタイプとして受信した音声情報を使用することができ、音声情報の意味分析を実施した後、音声デバイスが返答情報を再生するために音声デバイスに対応する返答情報を返すこと、または意味にしたがってユーザのためにトランザクションまたは操作を実施することもできる。
【００７０】
音声デバイスによって取得された音声情報に含まれる声紋特徴情報を使用することによってユーザが識別される場合、音声デバイスは第１のデバイスに組み込まれてもよい。すなわち音声デバイスおよび第１のデバイスは同一のデバイスであってもよく、また第１のデバイスによって取得されるバイオメトリック特徴情報は声紋特徴情報をさらに含むことができる。サーバデバイスによって声紋特徴情報を含むバイオメトリック特徴情報を使用することによってユーザを識別する方法は、上述のステップＳ２０３に類似しており、詳細はここでは再度詳述しない。もちろん、音声デバイスは代替的に独立したデバイスとして使用することもできる。音声デバイスが独立したデバイスである場合、音声デバイスは第１のデバイスに結合されてもよい。
【００７１】
音声デバイスによって取得された音声情報に含まれる意味を使用することによってユーザのためにトランザクションまたは操作が実施される場合、音声デバイスは第２のデバイスに組み込まれてもよい。すなわち音声デバイスと第２のデバイスが同一のデバイスである。もちろん、音声デバイスは代替的に独立したデバイスとして使用することもでき、サーバが第１のデバイスによって取得されるバイオメトリック特徴情報に対応するユーザの音声情報を取得する第２のデバイスを知るために、第１のデバイスに結合されてもよい。そのような状況において、第２のデバイスは取得される身体動作情報および／または音声情報をサーバデバイスに送信することができる。一方で、サーバデバイスはユーザのために実施されることになるトランザクションまたは操作を、身体動作情報にしたがって決定することができ、その一方で、サーバデバイスは受信した音声情報に対する意味的な認識を実施し、識別された意味、および意味とそれぞれのトランザクションまたは操作との間の設定された対応関係にしたがって、ユーザのために実施されることになるトランザクションまたは操作を決定してもよい。身体動作情報にしたがって決定されたトランザクションまたは操作が、意味にしたがって決定されたトランザクションまたは操作と同一である場合、トランザクションまたは操作はそのユーザのために実施される。そうでなければ、トランザクションまたは操作についてユーザが本当に実施したいかどうかをユーザに尋ね、ユーザに正確な身体動作を実施し、正確な音声、または身体動作情報にしたがって決定されたトランザクションもしくは操作の両方を与えるように促すために、問い合わせ情報が第２のデバイスに返されることがあり、意味にしたがって決定されたトランザクションまたは操作が実施されてもよく、またトランザクションまたは操作の両方が実施される場合、２つの異なるトランザクションまたは操作を実施する順序は、サーバデバイスにおいて予め設定されたサービスポリシーにしたがって決定されてもよい。
【００７２】
本出願の実施形態において、図１に示されるシステムは表示デバイスをさらに含むことができる。表示デバイスは前述の第１のデバイス、第２のデバイス、および音声デバイスのうちの少なくとも１つに結合され、前述のバイオメトリック特徴情報、身体動作情報、および音声情報のうちの少なくとも１つにしたがってサーバデバイスによって返される応答情報を受信して表示するように構成される。例えば、第１のデバイスによって取得されたバイオメトリック特徴情報にしたがってユーザを決定した後、サーバデバイスはユーザの記憶されたユーザ情報を応答情報として、表示することのために第１のデバイスに結合された表示デバイスに返すことができる。第２のデバイスによって取得された身体動作情報にしたがって、実施されることになるトランザクションまたは操作を決定した後、サーバデバイスはトランザクションまたは操作に対応する操作詳細情報を応答情報として、表示することのために第２のデバイスに結合された表示デバイスに返すことができる。音声デバイスによって取得された音声情報にしたがって返されることになる返答情報を決定した後、サーバデバイスは返答情報を応答情報として、表示することのために音声デバイスに結合された表示デバイスに返すことができる。
【００７３】
いくつかの実施形態において、サーバデバイスは応答情報を表示デバイスに返すことができ、または応答情報を前述の第１のデバイス、第２のデバイス、または音声デバイスに送信することができ、次いで第１のデバイス、第２のデバイス、または音声デバイスは応答情報を、表示することのために表示デバイスに転送することができる。前述の表示デバイスは、限定はしないが、ディスプレイ、プロジェクタ、またはホログラフィ投影デバイスを含むことができる。
【００７４】
本出願の実施形態において、図１に示されるシステムはバイタルサイン検出デバイスをさらに含むことができる。バイタルサイン検出デバイスは前述の第１のデバイス、第２のデバイス、および音声デバイスのうちの少なくとも１つに結合され、ユーザのバイタルサイン情報を検出し、検出されたバイタルサイン情報をサーバデバイスに送信するように構成される。第１のデバイスによって取得されたバイオメトリック特徴情報にしたがってユーザを決定した後、サーバデバイスは、第１のデバイスに結合されたバイタルサイン検出デバイスによって検出されるバイタルサイン情報を受信し、受信されるバイタルサイン情報および記憶された推奨規則にしたがって、ユーザに推奨されることになる情報またはトランザクションもしくは操作を決定し、次いでユーザに推奨されることになる情報またはトランザクションもしくは操作をユーザに対して再生するためにバイタルサイン検出デバイスに結合された音声デバイスに送信する、またはユーザに推奨されることになる情報またはトランザクションもしくは操作を、ユーザに対して表示することのためにバイタルサイン検出デバイスに結合された表示デバイスに送信する。バイタルサイン情報はユーザの身体状態を反映することができる情報を指すことができ、限定はしないが心拍数、血圧などを含む。
【００７５】
もちろん、第１のデバイスによって取得されたバイオメトリック特徴情報にしたがって対応するユーザを決定した後、サーバデバイスは代替的にサーバデバイスに記憶されたユーザの挙動的データを抽出すること、または他のシステムからユーザの挙動的データを得、ユーザの挙動的データにしたがってビッグデータ分析を実施し、ユーザに推奨されることになる情報またはトランザクションもしくは操作を決定することができる。
【００７６】
加えて、図１に示されるシステムは代替的に第２のデバイスを含まなくてもよく、第１のデバイスによって送信されたバイオメトリック特徴情報を受信し、バイオメトリック特徴情報にしたがってバイオメトリック特徴情報に対応するユーザを識別した後、サーバデバイスはユーザのためにトランザクションまたは操作を直接実施することができる。トランザクションまたは操作は、限定はしないが、支払い操作を含むことができる。
【００７７】
サーバデバイスが、ユーザが認可されたユーザであると識別すると、サーバデバイスはユーザのためにトランザクションまたは操作を実施することができる。代替的に、ユーザが認可されたユーザであると識別すると、サーバデバイスはトランザクションまたは操作実行命令を第１のデバイスに送信することができ、第１のデバイスはトランザクションまたは操作実行命令にしたがって、ユーザのためにトランザクションまたは操作を実施する。例えば、サーバデバイスは認可されたユーザのバイオメトリック特徴サンプルを事前記憶することができる。第１のデバイスによって送信されたバイオメトリック特徴情報を受信すると、サーバデバイスはバイオメトリック特徴情報を事前記憶されたバイオメトリック特徴サンプルとマッチングを行い、マッチングが成功すると、サーバデバイスは、ユーザは認可されたユーザであると判断し、そうでなければ、サーバデバイスは、ユーザは認可されたユーザではないと判断する。
【００７８】
さらには、サーバデバイスは第１のデバイスに対応するトランザクションまたは操作を事前記憶することができ、それによって、ユーザのためにトランザクションまたは操作を実施する場合、サーバデバイスはユーザのために第１のデバイスに対応するトランザクションまたは操作を実施することができる。もちろん、第１のデバイスによってトランザクションまたは操作が実施される場合、識別されたユーザが認可されたユーザであると判断すると、サーバデバイスは、第１のデバイスが対応するトランザクションまたは操作を実施するために、そのトランザクションまたは操作に対応するトランザクションまたは操作実行命令を第１のデバイスに送信することができる。第１のデバイスが実施されることになるトランザクションまたは操作を記憶してある場合、識別されたユーザが認可されたユーザであると判断した後、第１のデバイスがユーザのために第１のデバイスに既に記憶されたトランザクションまたは操作を実施するために、サーバデバイスは代替的に確認メッセージをトランザクションまたは操作実行命令として第１のデバイスに送信してもよい。
【００７９】
前述の方法にしたがって、トランザクションまたは操作はユーザによって持ち運ばれるいかなるモバイル端末デバイスを使用することなくユーザのために実施することができる。携帯電話などのモバイル端末を使用することによってトランザクションまたは操作を実施する現在の広く適用される方法と比較して、本出願において提供される前述の方法にしたがって、利便性を効果的に改善することができ、モバイル端末の紛失または盗難によって発生する損失を回避することもできる。
【００８０】
前述の方法の適用例を、様々なシナリオにおける例を使用することによって以下で説明する。
【００８１】
第１のシナリオ：公共自転車を使用すること
本出願の実施形態において、バイオメトリック特徴情報を取得するように構成される第１の取得ユニット、および身体動作情報を取得するように構成される第２の取得ユニットが自転車に配置されてもよい。自転車は第１のデバイスだけでなく、第２のデバイスであってもよい。第１の取得ユニットおよび第２の取得ユニットの両方は自転車のハンドルバーの中間またはいずれかの端もしくは両端に配置することができる。
【００８２】
図３ａに示されるような実施形態において、第１の取得ユニットはハンドルバーの中間に配置されるカメラであってもよく、顔情報を取得するように構成される。カメラは座ること、または片手もしくは両手でハンドルバーを握ることなどのユーザの身体動作をさらに取得することができる。したがって、カメラはまた第２の取得ユニットとして使用することもできる。すなわち第１の取得ユニットおよび第２の取得ユニットは同一の取得ユニットである。
【００８３】
図３ｂに示されるような実施形態において、第１の取得ユニットは代替的に指紋および／または掌紋を取得する取得ユニットであってもよい。取得ユニットはハンドルバーの一端に配置され、指紋または掌紋を取得するように構成される。第２の取得ユニットはハンドルバーのもう一方の一端に配置される圧力センサであってもよく、ハンドルバーの端部にかかる圧力、すなわちユーザがハンドルバーを握る把握強度を取得するように構成される。把握強度が圧力しきい値（圧力しきい値が予め設定されてもよい場合）を超えると、ユーザの身体動作が片手または両手でハンドルバーを握ることであると判断することができる。
【００８４】
図３ａおよび図３ｂに示される自転車は少なくとも１つのプロセッサ（図３ａおよび図３ｂには図示せず）をさらに含む。プロセッサは自転車のあらゆる部分にインストールされてもよく、第１の取得ユニットおよび第２の取得ユニットに接続されてもよい。プロセッサは、第１の取得ユニットの第１の取得命令がトリガされるかどうか、および第２の取得ユニットの第２の取得命令がトリガされるかどうか監視するように構成され、第１の取得ユニットの第１の取得命令がトリガされると、第１の取得ユニットがバイオメトリック特徴情報を取得し、第１の取得ユニットによって取得されたバイオメトリック特徴情報を受信し、バイオメトリック特徴情報をサーバデバイスに送信するように制御し、第２の取得ユニットの第２の取得命令がトリガされると、第２の取得ユニットが身体動作情報を取得し、第２の取得ユニットによって取得された身体動作情報を受信し、身体動作情報をサーバデバイスに送信するように制御するように構成される。プロセッサはサーバデバイスによって返される操作命令を受信するようにさらに構成され、例えば、自転車の錠を開錠するために制御することなど、自転車の他のコンポーネントを制御するための操作を実施する。
【００８５】
図３ｂを例として使用すると、ユーザがモバイル端末を持ち運ぶことなく公共自転車を使用する場合、ユーザは公共自転車のハンドルバーを片手または両手で握り、ハンドルバーの第１の取得ユニットの第１の取得命令をトリガすることができる。第１の取得ユニットはユーザの指紋および／または掌紋を取得し、プロセッサを使用することによって取得された指紋および／または掌紋をサーバデバイスに送信する。サーバデバイスは図２に示されるステップＳ２０３を使用することによって受信された指紋および／または掌紋に対応するユーザを決定する。
【００８６】
ユーザが公共自転車のハンドルバーを片手または両手で握ると、ハンドルバーの圧力センサの第２の取得命令（第２の取得ユニット）もまたトリガされてもよい。圧力センサはユーザの把握強度を取得することができる。把握強度が圧力しきい値を超えると、ユーザの身体動作情報は手でハンドルバーを握ることであると判断され、したがって、プロセッサを使用することによって身体動作情報がサーバデバイスに送信される。取得ユニットによって取得された指紋および／または掌紋を使用することによって対応するユーザを決定した後、サーバデバイスはハンドルバーを片手または両手で握るという身体動作情報が取得ユニットに結合される圧力センサから受信されたと判断し、図２に示されるステップＳ２０５を使用することによって身体動作情報にしたがって対応するトランザクションまたは操作を実施する。
【００８７】
いくつかの実施形態において、自転車に対応するトランザクションまたは操作規則はサーバデバイスにおいて設定されてもよい。身体動作情報にしたがって対応するトランザクションまたは操作を実施する場合、サーバデバイスはまずユーザのアカウントを決定し、その自転車に対応する設定されたトランザクションまたは操作規則にしたがってユーザのアカウントから対応する金額を引き落とすことができる。引き落としが成功すると、サーバデバイスは自転車のプロセッサに開錠命令を送信し、自転車のプロセッサはユーザがその自転車を使用するために自転車の錠を開錠する。引き落としに失敗すると、サーバデバイスは開錠命令を送信することができない。
【００８８】
図３ａまたは図３ｂに示される自転車は、バイタルサイン検出コンポーネント、表示コンポーネント、および、プロセッサに接続される音声コンポーネントをさらに含むことができる。バイタルサイン検出コンポーネントはまたハンドルバーの一方または両方の端に配置されてもよく、また心拍数、脈拍、および血圧を含むバイタルサイン情報を検出するように構成される。表示コンポーネントはホログラフィ投影デバイスを使用することによって実装されてもよく、ハンドルバーのあらゆる部分に配置されてもよい。例えば、表示コンポーネントはユーザが運転中に便利にホログラフィ投影を見ることの必要性にしたがって配置されてもよい。音声コンポーネントは自転車のあらゆる部分に配置されてもよい。
【００８９】
バイタルサイン検出コンポーネントは、ユーザが自転車を使用しプロセッサを使用することによってサーバデバイスにバイタルサイン情報を報告する処理の間、ユーザのバイタルサイン情報をリアルタイムに検出することができる。サーバデバイスはユーザのバイタルサイン情報および記憶された監視ポリシーにしたがってユーザの身体状態をリアルタイムに監視する。ユーザの身体状態が異常であることを検出すると、サーバデバイスは対応するプロンプト情報を応答情報として生成し、その応答情報を表示コンポーネントに、表示することのために送信するか、またはその応答情報を、再生することのために音声コンポーネントに送信することができる。サーバデバイスはユーザの身体状態にしたがって、ユーザに推奨されることになる情報（例えば、製品、医薬品、販売者、または販売者への経路）をさらに決定し、情報を表示コンポーネントまたは音声コンポーネントに送信することができる。
【００９０】
例えば、公共自転車は位置情報をサーバデバイスにリアルタイムに報告することができる位置決めコンポーネントをさらに含む。バイタルサイン検出コンポーネントによって報告されるバイタルサイン情報にしたがって、ユーザが水分不足であることを検出すると、サーバデバイスは記憶された推奨規則にしたがって水製品（ボトル入りのミネラル天然水など）をユーザに推奨することを決定することができる。サーバデバイスはさらに現在の地理学的位置からオフライン販売者への経路を、サーバデバイスに記憶された電子地図、オフライン販売者（例えば、その販売者によって販売されている製品、販売者の住所など）についての情報、その自転車の位置決めコンポーネントによって報告される現在の地理学的位置にしたがって決定することができ、ユーザが水分不足であること、推奨される水製品、現在の地理学的位置からオフライン販売者への経路を示す情報を、表示することのために表示コンポーネントに送信することができる。
【００９１】
当業者であれば第１の取得ユニット、第２の取得ユニット、バイタルサイン検出コンポーネント、表示コンポーネント、音声コンポーネント、および位置決めコンポーネントのタイプ、ならびに自転車でのそれらの位置は実際の必要性に応じて決定されてよいことを理解すべきである。
【００９２】
第２のシナリオ：オフラインショッピング
本出願の実施形態において、バイオメトリック特徴情報を取得するように構成される第１の取得ユニット、および身体動作情報を取得するように構成される第２の取得ユニットがそれぞれオフラインショップのシェルフに配置され、ユーザのバイオメトリック特徴情報を取得するように構成される取得ユニットは、オフラインショップの出口の回転式改札口またはゲートなどのデバイスにさらに配置することができる。出口に配置されるデバイスを、以下で出口デバイスと称する。
【００９３】
図４ａに示されるような実施形態において、出口デバイスに配置される取得ユニットはカメラを含んでもよく、シェルフに配置される第１の取得ユニットもカメラを含んでもよい。第１の取得ユニットはシェルフの本体の外表面に配置されてもよい。例えば、第１の取得ユニットはシェルフの支持アームに配置されてもよい。シェルフに配置される第２の取得ユニットもカメラを含むことができる。例えば、第２の取得ユニットおよび第１の取得ユニットは同一の取得ユニットである。すべてのシェルフは出口デバイスに結合される。
【００９４】
図４ａに示されるシェルフは少なくとも１つのプロセッサ（図４ａには図示せず）をさらに含む。プロセッサはシェルフのあらゆる部分にインストールされてもよく、第１の取得ユニットおよび第２の取得ユニットに接続される。プロセッサは、第１の取得ユニットの第１の取得命令がトリガされるかどうか、および第２の取得ユニットの第２の取得命令がトリガされるかどうか監視するように構成され、第１の取得ユニットの第１の取得命令がトリガされると、第１の取得ユニットがバイオメトリック特徴情報を取得し、第１の取得ユニットによって取得されたバイオメトリック特徴情報を受信し、バイオメトリック特徴情報をサーバデバイスに送信するように制御し、第２の取得ユニットの第２の取得命令がトリガされると、第２の取得ユニットが身体動作情報を取得し、第２の取得ユニットによって取得される身体動作情報を受信し、身体動作情報をサーバデバイスに送信するように制御するように構成される。
【００９５】
図４ａに示される出口デバイスは少なくとも１つのプロセッサ（図４ａには図示せず）をさらに含む。プロセッサは出口デバイスのあらゆる部分にインストールされることができ、出口デバイスの取得ユニットに接続される。プロセッサは、出口デバイスの取得ユニットの第１の取得命令および／または第２の取得命令がトリガされるかどうか監視するように構成され、第１の取得命令がトリガされると、取得ユニットがバイオメトリック特徴情報を取得し、取得ユニットによって取得されたバイオメトリック特徴情報を受信し、バイオメトリック特徴情報をサーバデバイスに送信するように制御し、第２の取得命令がトリガされると、取得ユニットが身体動作情報を取得し、取得ユニットによって取得される身体動作情報を受信し、身体動作情報をサーバデバイスに送信するように制御するように構成される。プロセッサは、出口デバイスの他のコンポーネントが他の操作を実施するように、例えば出口デバイスがオンになるように制御するなど、制御するために、サーバデバイスによって返される操作命令を受信するようにさらに構成される。
【００９６】
ユーザがモバイル端末を持ち運ぶことなくオフラインショップで製品を購入する際、ユーザはオフラインショップに入店し、製品を手に取ることがある。この状況において、シェルフは第１のデバイスとして使用され、第１の取得ユニットを使用することによってユーザの顔、虹彩、および歩き方のうちの少なくとも１つを取得されるバイオメトリック特徴情報として取得し、プロセッサを使用することによって取得されるバイオメトリック特徴情報をサーバデバイスに送信する。サーバデバイスは図２に示されるステップＳ２０３を使用することによってバイオメトリック特徴情報に対応するユーザを決定する。加えて、シェルフ（第２のデバイスでもある）はユーザの身体動作を第２の取得ユニットを使用することによって監視し、検出される身体動作および記憶された決定規則にしたがってプロセッサを使用することによって、ユーザの身体動作に対応する物体を決定し、次いで検出されるユーザの身体動作情報および決定された物体の物体情報をサーバデバイスに送信する。ステップＳ２０３を使用して決定されたユーザについて、サーバデバイスは受信された身体動作情報、物体情報、および記憶されたトランザクションまたは操作規則にしたがって、ユーザがシェルフから得た製品を識別し、ユーザについて対応するトランザクションまたは操作情報を記録する。第２の取得ユニットを通じてシェルフによって身体動作情報を監視するステップはサーバデバイスによってトリガされてもよい。例えば、サーバデバイスが第１の取得ユニットによって取得されるバイオメトリック特徴情報にしたがって、ユーザが認可されたユーザであると判断すると、第２の取得ユニットの第２の取得命令がトリガされる。
【００９７】
購入するつもりの製品を手に取ってしまうと、ユーザは出口からオフラインショップを離れる。出口デバイスはユーザの顔、虹彩、および歩き方のうちの少なくとも１つを取得されるバイオメトリック特徴情報として取得し、出口デバイスのプロセッサを使用することによって取得されるバイオメトリック特徴情報をサーバデバイスに送信する。サーバデバイスはまた図２に示されるステップＳ２０３を使用することによってバイオメトリック特徴情報に対応するユーザがショップを離れるユーザであると判断する。しかしながら、サーバデバイスが受信されるバイオメトリック特徴情報が出口デバイスによって送信されたと判断すると、一方でサーバデバイスはショップを離れるそのユーザに対応するアカウントを決定するが、その一方で、サーバデバイスはショップを離れるユーザについて記録されたトランザクションまたは操作情報を問い合わせ、問い合わせされたトランザクションまたは操作情報およびユーザに対応するアカウントにしたがって、ショップを離れるユーザについての対応する支払い操作を実施する。そのユーザについて記録されたトランザクションまたは操作情報が問い合わせされると、出口デバイスに結合されたすべてのシェルフを決定することができ、シェルフによって送信された身体動作情報および物体情報にしたがって、ショップを離れるユーザについて記録されたトランザクションまたは操作情報が決定される。加えて、そのユーザについての支払い操作が完了した後、サーバデバイスは出口デバイスに出口開く命令を送信してもよい。出口開く命令を受信した後、出口デバイスのプロセッサは、ユーザが離れることができるように出口が開くように制御することができる。
【００９８】
前述の処理において、シェルフがユーザの身体動作に対応する物体を決定する際に基づく決定規則は、販売者によって設定することができる。例えば、シェルフは身体動作識別テンプレートを得てもよい。テンプレートを使用して監視デバイスがオフラインショップ内でのユーザの位置、ユーザの身体動作のタイプ（ユーザの身体動作のタイプは取ること、および戻すことを含むことができる）、およびユーザの身体動作に対応する物体の向きを識別できるようにする。前述のテンプレートを得た後、販売者はテンプレートにしたがって、それぞれの物体の向きに対応する製品の製品識別子を設定し、設定されたテンプレートをシェルフのプロセッサに入力することができる。シェルフのプロセッサは、それぞれの物体向きに対応する製品識別子が設定されたテンプレート、および第２の取得ユニットによって検出されるユーザの身体動作にしたがって、ユーザの身体動作のタイプ（すなわち、身体動作情報）および身体動作に対応する製品識別子（すなわち、ユーザの身体動作に対応する物体）を決定し、次いで、ユーザの身体動作のタイプおよび身体動作に対応する製品識別子をサーバデバイスに送信することができる。
【００９９】
サーバデバイスが、受信された身体動作情報にしたがっておよび物体情報にしたがって、ユーザについて対応するトランザクションまたは操作情報を記録する際に基づくトランザクションまたは操作規則も、販売者によって予め設定されることができる。例えば、販売者は販売者のアカウントとそれぞれのシェルフデバイスとの間の対応関係、ならびに前述のそれぞれの製品識別子に対応する価格をトランザクションまたは操作規則として予め設定し、トランザクションまたは操作規則をサーバデバイスに送信することができる。出口デバイスによって取得されるバイオメトリック特徴情報を受信すると、サーバデバイスは、バイオメトリック特徴情報に対応するユーザを決定すること、ユーザについて記録された取るタイプの身体動作に対応する製品識別子の第１の価格の合計、および戻すタイプの身体動作に対応する製品識別子の第２の価格の合計を決定すること、第１の合計と第２の合計との差分を決定すること、および差分に対応する金額をユーザのアカウントから販売者のアカウントへ移動すること、ができる。
【０１００】
別の実施形態において、図４ａに示されるオフラインショップにおいて、バイオメトリック特徴情報を取得するように構成される第１のデバイスは、図４ｂに示されるようにオフラインショップの入口にさらに配置されてもよい。入口に配置される第１のデバイスを、以下で入口デバイスと称する。入口デバイスは前述のシェルフデバイスおよび出口デバイスに結合される。バイオメトリック特徴情報を取得するように構成される取得ユニット、およびサーバと情報を交換するように構成されるプロセッサも、入口デバイスに配置することができる。
【０１０１】
図４ｂにおいて、ユーザが製品を購入するためにモバイル端末を持ち運ぶことなくオフラインショップに入店すると、入口デバイスは取得されるバイオメトリック特徴情報としてユーザの顔、虹彩、および歩き方のうちの少なくとも１つを取得し、取得されたバイオメトリック特徴情報をサーバデバイスに送信することができる。サーバデバイスは図２に示されるステップＳ２０３を使用することによってバイオメトリック特徴情報に対応するユーザを決定する。入口デバイスによって送信されたバイオメトリック特徴情報にしたがって対応するユーザを決定した後、一方でサーバデバイスは事前記憶された入口デバイスと販売者との間の対応関係にしたがって、ユーザが入店する販売者を知ることができ、その一方で、ユーザに対応しサーバデバイスに記憶されたそれぞれのバイオメトリック特徴サンプルおよびユーザ識別子は、入口デバイスに結合するそれぞれのシェルフに送信されてもよい。第１のデバイスとしてのシェルフがユーザのバイオメトリック特徴情報を取得した後、シェルフは、ユーザの識別についての情報をサーバデバイスに送信する代わりに、プロセッサを使用することによって、ならびに受信されたユーザ識別子およびユーザに対応するバイオメトリック特徴サンプルにしたがって、取得されるバイオメトリック特徴情報に対応するユーザを識別することができる。ユーザを識別した後、シェルフはユーザの身体動作を監視し、ユーザの身体動作に対応する物体を決定し、サーバデバイスがどのユーザがどの製品を取り、または戻したかを知るために、識別されたユーザの識別子、検出された身体動作、および身体動作に対応する物体をサーバデバイスに送信することができる。ユーザが購入するつもりの製品を取り上げた後オフラインショップを離れると、出口デバイスが取得されたユーザのバイオメトリック特徴情報をサーバデバイスに送信した後、サーバデバイスはそのユーザについて支払い操作を実施することができる。同様に、シェルフによって身体動作情報を取得するステップは、サーバデバイスが、ユーザが認可されたユーザであると認証した後にトリガされてもよい。
【０１０２】
もちろん、入口デバイスによって取得されるバイオメトリック特徴情報にしたがって対応するユーザを識別した後、サーバデバイスはユーザのバイオメトリック特徴サンプルおよびユーザ識別子をシェルフに送信する代わりに、代替的にユーザをマーキングすることができる。シェルフデバイスによって送信されたバイオメトリック特徴情報を受信すると、サーバデバイスは識別されたユーザに対応するバイオメトリック特徴サンプルにしたがってバイオメトリック特徴情報に対応するユーザを識別することができる。出口デバイスによって送信されたバイオメトリック特徴情報を受信すると、サーバデバイスは代替的にマーキングされたユーザに対応するバイオメトリック特徴サンプルにしたがって、出口デバイスによって送信されたバイオメトリック特徴情報に対応するユーザを識別することができる。識別されたユーザについて支払い操作を実施した後、サーバデバイスはユーザのマーキングを削除することができる。このように、シェルフによって送信されたバイオメトリック特徴情報に対応するユーザを識別すること、および出口デバイスによって送信されたバイオメトリック特徴情報に対応するユーザについての識別効率を、効果的に改善することができる。
【０１０３】
さらには、図４ａまたは図４ｂに示されるシナリオにおいて比較的大量のシェルフデバイスがインストールされ、シェルフデバイスの監視範囲が重なる場合、同一のユーザについての支払いが繰り返される問題を回避するため、シェルフによって送信されるバイオメトリック特徴情報（またはユーザの識別子）、身体動作情報、およびユーザの身体動作に対応する物体を受信すると、サーバデバイスは、別のシェルフによって送信される同一のバイオメトリック特徴情報（またはユーザの識別子）、同一の身体動作情報、およびユーザの身体動作に対応する同一の物体が、ある設定された時間期間内に受信されるかどうかをさらに判断することができる。受信されれば、前述のシェルフのうちの１つによって送信された前述の情報にしたがって、そのユーザについてのトランザクションまたは操作情報がいったん記録される。すなわち短時間の間に同一の情報を送信する異なるシェルフについて、サーバデバイスはシェルフのうちの１つによって送信される情報を維持する。受信されない場合、異なるシェルフによって送信される情報に基づいて、ユーザについて対応するトランザクションまたは操作情報は個別に記録することができる。前述の設定された時間期間は必要に応じて設定されることができ、例えば、時間期間は５秒または１０秒に設定される。
【０１０４】
当業者であれば、バイオメトリック特徴情報を取得するように構成される第１の取得ユニット、および身体動作情報を取得するように構成される第２の取得ユニットを実装する方法は、代替的に他の方法を使用することによって実装されてもよいことを理解すべきであり、詳細はここでは詳述しない。
【０１０５】
第３のシナリオ：レストランでの食事
本出願の実施形態において、バイオメトリック特情報を取得するように構成される第１の取得ユニット、身体動作情報を取得するように構成される第２の取得ユニット、および表示コンポーネントがレストランのダイニングテーブルに配置されることができ、バイオメトリック特徴情報を取得するように構成される第１のデバイスは、レストランの入口および／または出口にさらに配置されてもよい。
【０１０６】
図５ａに示されるような実施形態において、レストランでダイニングテーブルに配置されるバイオメトリック特徴情報を取得するように構成される第１の取得ユニット、および身体動作情報を取得するように構成される第２の取得ユニットは、同一の取得ユニットであってもよく、またカメラを含んでもよい。表示コンポーネントはプロジェクタまたはホログラフィ投影デバイスを含んでもよい。レストランの入口に配置される第１のデバイスは以下で入口デバイスと称され、レストランの出口に配置される第１のデバイスは以下で出口デバイスと称される。レストランのダイニングテーブル、入口デバイス、および出口デバイスは互いに結合される。
【０１０７】
ダイニングテーブルは少なくとも１つのプロセッサ（図５ａには図示せず）をさらに含む。プロセッサはダイニングテーブルのあらゆる部分にインストールされてもよく、第１の取得ユニットおよび第２の取得ユニットに接続される。プロセッサは、第１の取得ユニットの第１の取得命令がトリガされるかどうか、および第２の取得ユニットの第２の取得命令がトリガされるかどうか監視するように構成され、第１の取得ユニットの第１の取得命令がトリガされると、第１の取得ユニットがバイオメトリック特徴情報を取得し、第１の取得ユニットによって取得されるバイオメトリック特徴情報を受信し、バイオメトリック特徴情報をサーバデバイスに送信するように制御し、第２の取得ユニットの第２の取得命令がトリガされると、第２の取得ユニットが身体動作情報を取得し、第２の取得ユニットによって取得される身体動作情報を受信し、身体動作情報をサーバデバイスに送信するように制御するように構成される。
【０１０８】
図５ａに示される入口デバイスおよび出口デバイスのそれぞれは少なくとも１つのプロセッサ（図５ａには図示せず）をさらに含み、またプロセッサは入口デバイスおよび出口デバイスのそれぞれのあらゆる部分にインストールされてもよい。プロセッサの機能は第２のシナリオにおけるショップの入口デバイスおよび出口デバイスのプロセッサと同一であり、本明細書において詳細は繰り返さない。
【０１０９】
ユーザが食事のためにモバイル端末を持ち運ぶことなくレストランに入店すると、入口デバイスは取得されるバイオメトリック特徴情報としてユーザの顔、虹彩、および歩き方のうちの少なくとも１つを取得し、取得されたバイオメトリック特徴情報をサーバデバイスに送信する。サーバデバイスは図２に示されるステップＳ２０３を使用することによってバイオメトリック特徴情報に対応するユーザを決定し、ユーザをマーキングする。
【０１１０】
レストランに入店した後、ユーザがダイニングテーブルに座り食べ物を注文すると、第１の取得ユニットを使用することによってユーザの顔および虹彩のうち少なくとも１つを取得されるバイオメトリック特徴情報として取得し、取得されたバイオメトリック特徴情報がプロセッサを使用することによってサーバデバイスに送信されるように、ダイニングテーブルは第１のデバイスとして使用される。サーバデバイスはマーキングされたユーザの記憶されたバイオメトリック特徴サンプルおよびダイニングテーブルによって送信されたバイオメトリック特徴情報にしたがって、ダイニングテーブルによって検出されるユーザを決定することができる。その一方で、プロジェクタまたはホログラフィ投影デバイスを含む表示コンポーネントは、ユーザが食べ物を注文するためにレストランのメニューをユーザに表示することができる。したがって、ダイニングテーブルは第２のデバイスとして使用され、ユーザの身体動作情報が第２の取得ユニットを使用することによってさらに取得されてもよい。
【０１１１】
第２のシナリオで記載されるオフラインショッピングと同様に、第２の取得ユニットを使用することによってユーザの身体動作情報を取得すると、ダイニングテーブルのプロセッサは記憶された身体動作識別テンプレートおよび身体動作に対応する物体（この場合、物体は表示デバイスによって表示されるメニューの料理である）にしたがって、ユーザの身体動作のタイプ（この場合、ユーザの身体動作のタイプは取ること、および戻すことを含んでもよい）、を識別することができる。テンプレートはユーザが食べ物の注文を終えることを示す身体動作のタイプをさらに含むことができる。例えば、親指を立てるタイプの動作が食べ物の注文を終えることとして設定されてもよい。ダイニングテーブルのプロセッサは、ユーザの検出されたバイオメトリック特徴情報、ユーザのそれぞれの身体動作情報、および身体動作情報に対応する物体をサーバデバイスに送信する。サーバデバイスはダイニングテーブルによって送信される前述の情報にしたがって、ダイニングテーブルの表示コンポーネントに表示される料理からユーザによって選択された料理を識別し、ユーザによって選択された料理を記録することができる。ダイニングテーブルによって送信された身体動作情報が食べ物の注文を終えることであると判断すると、サーバデバイスは身体動作情報をダイニングテーブルに結合される販売者デバイスへ送信し、そのユーザについて選択された料理を注文することができる。販売者デバイスは、レストランマネージャ、またはレストラン厨房の端末、表示デバイスなどであってもよい。ダイニングテーブルによって身体動作情報を取得するステップは、代替的にサーバデバイスが、バイオメトリック特徴情報に対応するユーザが認可されたユーザであると認証した後に、トリガされてもよい。
【０１１２】
食事の後、ユーザはレストランの出口からレストランを離れることができる。出口デバイスはユーザのバイオメトリック特徴情報を取得し、ユーザのバイオメトリック特徴情報をサーバデバイスに送信する。出口デバイスによって取得されるバイオメトリック特徴情報を受信すると、サーバデバイスはマーキングされたユーザのバイオメトリック特徴サンプルおよび出口デバイスによって送信されたバイオメトリック特徴情報にしたがって、レストランを離れるユーザを決定し、出口デバイスに結合するそれぞれのダイニングテーブルによって送信された情報にしたがって、そのユーザについて記録された料理を決定し、次いで、事前記憶されたトランザクションまたは操作規則、決定された料理、およびユーザに対応するアカウントにしたがってそのユーザについて対応する支払い操作を実施し、ユーザのマーキングを削除する。トランザクションまたは操作規則はレストラン運営者によってサーバデバイスにおいて予め設定されてもよく、トランザクションまたは操作規則はそれぞれの料理に対応する価格を含むことができる。
【０１１３】
別の実施形態において、多くのレストランについて出口および入口が同一であってもよいとすると、第１のデバイスおよび第２のデバイスは図５ｂに示されるようにレストランの出口／入口に配置される。第１のデバイスおよび第２のデバイスは同一のデバイスであってもよく、また以下で出口および入口デバイスと称される。出口および入口デバイスはバイオメトリック特徴情報およびユーザの身体動作情報を取得するように構成される取得ユニット（カメラなど）を含む。
【０１１４】
出口および入口デバイスは少なくとも１つのプロセッサ（図５ｂには図示せず）をさらに含む。プロセッサは出口および入口デバイスのあらゆる部分にインストールされてもよく、出口および入口デバイスの取得ユニットに接続される。プロセッサは、取得ユニットの第１の取得命令および／または第２の取得命令がトリガされるかどうか監視するように構成され、第１の取得命令がトリガされると、取得ユニットがバイオメトリック特徴情報を取得し、取得ユニットによって取得されるバイオメトリック特徴情報を受信し、バイオメトリック特徴情報をサーバデバイスに送信するように制御し、第２の取得命令がトリガされると、取得ユニットが身体動作情報を取得し、取得ユニットによって取得される身体動作情報を受信し、身体動作情報をサーバデバイスに送信するように制御するよう構成される。
【０１１５】
図５ｂにおいて、一方で出口および入口デバイスはユーザのバイオメトリック特徴情報を取得し、その一方で、出口および入口デバイスはユーザの身体動作情報をさらに取得する。身体動作情報はユーザの動く方向を含む。出口および入口デバイスは取得されるバイオメトリック特徴情報およびユーザの取得される身体動作情報（例えば、ユーザの動く方向）をサーバデバイスに送信する。サーバデバイスは、ユーザが現在レストランに入店するか、またはレストランから離れるかどうかを、バイオメトリック特徴情報に対応するユーザにしたがって判断することができ、また、ユーザの身体動作情報にしたがって（例えば、ユーザの動く方向）さらに判断することができる。判断する方法は代替的にサーバデバイスにおいてレストラン運営者によって予め設定されてもよい。ユーザがレストランに入店すると判断すると、サーバデバイスは図５ａにおけるものと同一の方法を使用することによって、そのユーザについて食べ物を選択しておよび注文することができる。ユーザがレストランから離れると判断すると、サーバデバイスは図５ａにおけるものと同一の方法を使用することによって、そのユーザについて支払いを実施することができる。詳細はここでは詳述しない。
【０１１６】
加えて、図５ａまたは図５ｂにおいて、バイタルサイン検出デバイスがダイニングテーブルにさらに配置されてもよく、ユーザのバイタルサイン情報を検出し、バイタルサイン情報をサーバデバイスに送信するように構成され。サーバデバイスはバイタルサイン情報にしたがってユーザのために料理を推奨することができ、推奨される料理を、表示することのためにダイニングテーブルの表示コンポーネントに送信する。
【０１１７】
当業者であれば、バイオメトリック特徴情報を取得するように構成される第１の取得ユニット、および身体動作情報を取得するように構成される第２の取得ユニットを実装する方法は、代替的に他の方法を使用することによって実装されてもよいことを理解すべきであり、詳細はここでは詳述しない。
【０１１８】
本出願で提供される情報処理方法の適用例のシナリオは、上では単に例として説明される。情報処理方法は、例えば、映画館、劇場など入場するためにチケットが要求される場所など他の適用例のシナリオにさらに適用することができる。ある場所の入口の回転式改札口は、バイオメトリック特徴情報を取得するように構成される第１の取得ユニット、身体動作情報を取得するように構成される第２の取得ユニット、およびサーバデバイスと情報を交換するように構成されるプロセッサを含むことができる。ユーザにチケットを販売した後、ある場所のチケットシステムはユーザの識別子をサーバデバイスに送信することができ、サーバデバイスはそのユーザについてのチケット購入記録を記憶する。ユーザが入口に入ると、回転式改札口は第１の取得ユニット使用することによってユーザのバイオメトリック特徴情報を取得し、第２の取得ユニットを使用することによってユーザの第１の身体動作情報を取得し、プロセッサを使用することによってバイオメトリック特徴情報および第１の身体動作情報をサーバデバイスに送信する。バイオメトリック特徴情報にしたがって対応するユーザを決定し、第１の身体動作情報が指定された条件（例えば、第１の身体動作情報が、ユーザが回転式改札口に入ろうとしていることを示す）を満たすことを検出した後、サーバデバイスは、ユーザのチケット購入記録があるかどうかを判断し、記録があれば、サーバデバイスは開く命令を回転式改札口のプロセッサに送信し、回転式改札口のプロセッサは回転式改札口が開くように制御し、または記録がなければ、サーバデバイスは開く命令を送信しない。回転式改札口が開いた後、第２の取得ユニットはユーザの第２の身体動作情報を取得し、第２の身体動作情報をサーバへ送信することができる。第２の身体動作情報にしたがってユーザが回転式改札口を通過したと判断した後、サーバはユーザのチケット購入記録を削除し、回転式改札口のプロセッサが回転式改札口を閉じるように制御するために、閉じる命令を回転式改札口のプロセッサに送信する。
【０１１９】
本出願において提供される前述の方法にしたがって、支払いおよび食べ物の注文などのトランザクションまたは操作を完了させるべく、パスワードを入力する、およびＱＲコード（登録商標）またはバーコードをスキャンするなどの操作が、ユーザがモバイル端末を持ち運ぶことを要求することなく実施されてもよく、それによって、ユーザの生活の利便性を改善し、モバイル端末の紛失または盗難によって発生する損失を回避する。
【０１２０】
実施形態２
実施形態２において、情報処理は、やはりモノのインターネットに基づいて実施され、ユーザのためにトランザクションまたは操作を実施するために使用される。セキュリティのため、実施形態１において説明した第１のデバイス、第２のデバイス、およびサーバデバイスに加え、実施形態２におけるモノのインターネットのシステムは、ユーザの人間身体チップをさらに含むことができる。
【０１２１】
図６に示されるように、人間身体チップは人間身体の皮膚に取り付けられることができるか、または人間身体に埋め込まれてもよい。人間身体チップは他のデバイスと情報を交換する機能を有し、またユーザに一意に対応する認証情報（例えば、ユーザに一意に対応するデジタル証明書）を記憶することができ、ユーザの脈拍などのバイオメトリック特徴情報をさらに取得することができる。人間身体チップは近接場通信（ＮＦＣ）技術を使用することによって他のデバイスと通信することができ、または無線周波数信号、ワイヤレスネットワークおよび別のやり方を介して他のデバイスと通信することができる。
【０１２２】
図６に示される人間身体チップに基づいて、実施形態２において提供されるモノのインターネットのシステムが図７に示され、人間身体チップ、第１のデバイス、第２のデバイス、およびサーバデバイスを含む。人間身体チップ、第１のデバイス、第２のデバイス、およびサーバデバイスのすべてがモノのインターネットの環境内にあり、すなわち、人間身体チップ、第１のデバイス、第２のデバイス、およびサーバデバイスのすべてはネットワークを使用することによって情報を交換することができる。第１のデバイスおよび第２のデバイスは結合関係を有していてもよい。
【０１２３】
図７に示されるシステムにおいて、人間身体チップは、ユーザを一意に識別するデジタル証明書を第１のデバイスに送信し、および／またはユーザのバイオメトリック特徴情報を取得し、ユーザのバイオメトリック特徴情報を第１のデバイスに送信するように構成される。セキュリティを保証するため、人間身体チップによって取得されるバイオメトリック特徴情報は脈拍であってもよい。人間身体チップによって取得されるバイオメトリック特徴情報は以下で第１のバイオメトリック特徴情報と称される。
【０１２４】
第１のデバイス（図７には図示せず）は人間身体チップによって送信されるデジタル証明書またはバイオメトリック特徴情報を受信するように構成される。人間身体チップによって送信されるデジタル証明書またはバイオメトリック特徴情報を受信すると、第１のデバイスは第１の取得命令をトリガし、ユーザのバイオメトリック特徴情報を取得し、人間身体チップによって送信されるデジタル証明書またはバイオメトリック特徴情報、および第１のデバイスによって取得されるバイオメトリック特徴情報をサーバデバイスに送信することができる。セキュリティを保証するため、第１のデバイスによって取得されるバイオメトリック特徴情報は歩き方であってもよい。第１のデバイスによって取得されるバイオメトリック特徴情報は以下で第２のバイオメトリック特徴情報と称される。
【０１２５】
第２のデバイス（図７に図示せず）は、第２の取得命令がトリガされると、ユーザの身体動作情報を取得し、取得された身体動作情報をサーバデバイスに送信するように構成される。すなわち、第２のデバイスは実施形態１におけるものと同一の機能を有する。
【０１２６】
第１のデバイスによって送信される第２のバイオメトリック特徴情報、デジタル証明書、および／または第１のバイオメトリック特徴情報を受信した後、サーバデバイスは第２のバイオメトリック特徴情報、デジタル証明書、および第１のバイオメトリック特徴情報にそれぞれ対応するユーザを決定することができる。決定されたユーザが同一のユーザである場合、サーバデバイスは第２のデバイスによって取得される身体動作情報にしたがってユーザのためにトランザクションまたは操作を実施することができる。決定されたユーザが同一のユーザでない場合、サーバデバイスはトランザクションまたは操作を実施しなくてもよい。例えば、第２のバイオメトリック特徴情報、デジタル証明書、および第１のバイオメトリック特徴情報にそれぞれ対応するユーザが同一のユーザであると判断すると、サーバデバイスは、ユーザは認可されたユーザであると判断し、第２のデバイスの第２の取得命令をトリガすることができる。
【０１２７】
このように、人間身体チップを有するユーザによって使用される時、人間身体チップが正しく効果を発揮することを保証することができる。違法者が別のユーザの人間身体チップを使用すると、人間身体チップのデジタル証明書、または取得された第１のバイオメトリック特徴情報に対応するユーザは、第１のデバイスによって取得される第２のバイオメトリック特徴情報に対応するユーザと矛盾するため、サーバデバイスはトランザクションまたは操作を実施しない。
【０１２８】
実施形態１と同様に、実施形態２における第１のデバイスおよび第２のデバイスは、同一のデバイスであってもよく、または異なるデバイスであってもよい。加えて、図７に示される前述のシステムは、モノのインターネットの環境における音声デバイスおよび表示デバイスなどの他のデバイスをさらに含むことができる。これらのデバイスはまたネットワークに基づいてサーバデバイスと情報を交換することができる。
【０１２９】
図７に示されるシステムにおいて、サーバデバイスは、ユーザと、ユーザの複数のバイオメトリック特徴サンプルのうちの１つ、またはその組合せとの間の対応関係を事前記憶し、ユーザとユーザのデジタル証明書との間の対応関係をさらに記憶する。サーバデバイスによって第１のバイオメトリック特徴情報および第２のバイオメトリック特徴情報にしたがって対応するユーザを決定する方法、および身体動作情報にしたがってユーザのためにトランザクションまたは操作を実施する方法の両方は、実施形態１におけるものと同一であり、本明細書において詳細は繰り返さない。
【０１３０】
本出願の実施形態２において提供される方法はまた、実施形態１における第１のシナリオから第３のシナリオに適用されてもよい。
【０１３１】
例えば、第１のシナリオにおいて、人間身体チップによって送信されるデジタル証明書および／または第１のバイオメトリック特徴情報を受信すると、自転車のプロセッサは第１の取得命令がトリガされることを決定し、第１の取得ユニットを使用することによってユーザの第２のバイオメトリック特徴情報を取得することを開始し、第２のバイオメトリック特徴情報、デジタル証明書および／または第１のバイオメトリック特徴情報をサーバデバイスに送信し、第２の取得ユニットを使用することによってユーザの身体動作情報を取得し、身体動作情報をサーバデバイスに送信する。第２のバイオメトリック特徴情報、デジタル証明書および／または第１のバイオメトリック特徴情報にそれぞれ対応するユーザが同一のユーザであると認証すると、サーバデバイスは、自転車が第２の取得ユニットを使用することによってユーザの身体動作情報を取得するために、第２の取得ユニットの第２の取得命令をトリガし、身体動作情報をサーバデバイスに送信する。サーバデバイスは身体動作情報にしたがってそのユーザに対応するアカウントから対応する金額を引き落とし、開錠命令を自転車のプロセッサに送信する。自転車のプロセッサは開錠命令にしたがって自転車の錠を開錠する。第２のバイオメトリック特徴情報、デジタル証明書および／または第１のバイオメトリック特徴情報にそれぞれ対応するユーザが同一のユーザではないと判断すると、サーバデバイスは開錠命令を送信せず、デジタル証明書および／または第１のバイオメトリック特徴情報に対応するユーザの記憶された連絡先情報にしたがって、ユーザに人間身体チップが盗難されたことを示す通知をさらに送信するか、またはユーザのアカウントを凍結することができる。
【０１３２】
別の例について、第２のシナリオにおいて、人間身体チップによって送信されるデジタル証明書および／または第１のバイオメトリック特徴情報を受信すると、入口デバイス（代替的にシェルフまたは出口デバイスであってもよく、入口デバイスは本明細書において説明のために例として使用されるだけである）は、第１の取得命令がトリガされることを決定し、ユーザの第２のバイオメトリック特徴情報を取得することを開始し、第２のバイオメトリック特徴情報、デジタル証明書、および／または第１のバイオメトリック特徴情報をサーバデバイスに送信する。第２のバイオメトリック特徴情報、デジタル証明書および／または第１のバイオメトリック特徴情報にそれぞれ対応するユーザが、同一のユーザであると認証すると、サーバデバイスはシェルフが身体動作情報を取得し、実施形態１における後続の操作を実施し続けるためにシェルフの第２の取得命令をトリガする。第２のバイオメトリック特徴情報、デジタル証明書および／または第１のバイオメトリック特徴情報にそれぞれ対応するユーザが、同一のユーザではないと判断すると、サーバデバイスは、オフラインショップにおける運営者がショップ内の人物が別のユーザの識別を使用することによって買い物をしていることを知るために、入口デバイスおよび／または入口デバイスに結合するシェルフ、出口デバイス、または他のデバイスに警告を与えるように指示することができ、オフラインショップにおける運営者が別の人物の識別を使用することによって買い物をしている違法者を簡単に見つけられるように、入口デバイスによって取得される第２のバイオメトリック特徴情報に対応するユーザのユーザ画像を、入口デバイスに結合された表示デバイスまたは他のシステムの表示デバイス（例えば、公共のセキュリティシステムの表示デバイス）に、表示することのためにさらに送信することができる。
【０１３３】
本出願の実施形態２において提供される方法は、他のシナリオにさらに適用されてもよい。実施形態２における方法の適用例を、異なるシナリオを例として取り上げて以下で説明する。
【０１３４】
第４のシナリオ：スマート家電
本出願において、家具デバイスは、バイオメトリック特徴情報を取得するように構成される第１の取得ユニット、および身体動作情報を取得するように構成される第２の取得ユニットを含むことができる。第１の取得ユニットおよび第２の取得ユニットは、同一のデバイスであってもよく、または異なる取得ユニットであってもよい。第１の取得ユニットおよび第２の取得ユニットが同一の取得ユニットである例を、以下で説明する。
【０１３５】
図８において、テレビジョンは第１の取得ユニットおよび第２の取得ユニットの両方としてサービングするカメラを含む。カメラはユーザのバイオメトリック特徴情報および身体動作情報を取得するように構成される。テレビジョンはサーバと情報を交換するように構成される少なくとも１つのプロセッサ（図８には図示せず）をさらに含む。
【０１３６】
人間身体チップによって送信されたデジタル証明書および／または第１のバイオメトリック特徴情報を受信すると、テレビジョンのプロセッサは第１の取得命令がトリガされることを決定する。プロセッサは取得ユニットを使用することによってユーザの第２のバイオメトリック特徴情報を取得し、第２のバイオメトリック特徴情報、デジタル証明書、および／または第１のバイオメトリック特徴情報をサーバデバイスに送信することができる。第２のバイオメトリック特徴情報、デジタル証明書、および／または第１のバイオメトリック特徴情報にそれぞれ対応するユーザが同一のユーザであると認証すると、サーバデバイスはテレビジョンの識別子を決定し、その識別子に対応する家具デバイス（例えば、テレビジョン）を使用する許可を有するユーザについて事前記憶された情報にしたがって、ユーザがその家具デバイスを使用する許可を有するかどうかを判断することができる。許可を有している場合、サーバデバイスはテレビジョンが取得ユニットを使用することによって身体動作情報を取得するためにテレビジョンの第２の取得命令をトリガし、取得された身体動作情報をサーバデバイスに送信し、サーバデバイスは受信された身体動作情報にしたがって操作命令を家具デバイスに送信する。サーバデバイスが第２のバイオメトリック特徴情報、デジタル証明書、および／または第１のバイオメトリック特徴情報にそれぞれ対応するユーザが同一のユーザではない、またはユーザがその家具デバイスを使用するための許可を有していない、と判断する場合、サーバデバイスは家具デバイスに操作命令を送信しない。
【０１３７】
加えて、人間身体チップが人間身体の皮膚に取り付けられているか、または人間身体の皮膚に埋め込まれるため、人間身体チップはユーザのバイタルサイン情報を取得し、および取得されたバイタルサイン情報をサーバデバイスに送信するようにさらに構成されてもよい。すなわち、人間身体チップはバイタルサイン検出デバイスとして使用されてもよい。ユーザが前述の家具デバイス（テレビジョン）を使用する許可を有することを認証すると、サーバデバイスは受信されたバイタルサイン情報にしたがって、ユーザの身体状態を検出し、身体状態にしたがってユーザに推奨されることになる情報および／またはトランザクションもしくは操作（例えば、推奨される製品）を決定し、次いで情報および／またはトランザクションもしくは操作を、表示することのためにテレビジョンに送信することができる。テレビジョンはカメラを使用することによってユーザの身体動作情報を取得し続け、取得された身体動作情報をサーバデバイスに送信することができる。サーバデバイスは、身体動作情報にしたがってユーザによって選択された製品を決定し、製品についての注文操作を実施することができる。
【０１３８】
前述の処理において、表示することを簡易にするため、図８に示されるシステムは表示デバイスをさらに含むことができる。表示デバイスは図８に示されるテレビジョンではなく薄膜ディスプレイである。薄膜ディスプレイは投影またはホログラフィ投影を通じて情報を表示することができる。薄膜ディスプレイはユーザの手首に装着することができ、人間身体チップに結合される。薄膜ディスプレイは薄膜ディスプレイに結合する人間身体チップによって送信された情報を受信して表示する。ユーザに推奨されることになる製品を決定した後、サーバデバイスは製品を人間身体チップに直接送信することができる。人間身体チップは製品を、表示することのために薄膜ディスプレイに送信する。テレビジョンはカメラを使用することによってユーザの身体動作情報を取得し、サーバデバイスがユーザによって選択された製品を知るために取得された身体動作情報をサーバデバイスに送信する。
【０１３９】
加えて、前述の人間身体チップおよび薄膜ディスプレイの両方がユーザに取り付けられるか、またはユーザに装着されるため、人間身体チップと薄膜ディスプレイとの間の通信リンクは人間身体であってもよく、すなわち、人間身体チップは人間身体伝導を通じて表示されることになる情報を薄膜ディスプレイに送信する。
【０１４０】
前述は、人間身体チップがバイタルサイン検出デバイスとして使用される例を説明するに過ぎない。他の実施形態において、バイタルサイン検出デバイスは人間身体チップでなくてもよく、詳細はここでは詳述しない。
【０１４１】
第５のシナリオ：対面支払い
第１のデバイスおよび第２のデバイスはベンダブースに配置されてもよく、第１のデバイスおよび第２のデバイスはカメラを含んでもよく、第２のデバイスはベンダの人間身体チップに結合される。第１のデバイスおよび第２のデバイスが同一のデバイスである例を、以下で説明のために例として取り上げる。
【０１４２】
図９に示されるように、カメラは人間身体チップによって送信されるデジタル証明書および／または第１のバイオメトリック特徴情報を受信し、第１の取得命令がトリガされることを決定し、ベンダの第２のバイオメトリック特徴情報を取得し、第２のバイオメトリック特徴情報、デジタル証明書、および／または第１のバイオメトリック特徴情報をサーバデバイスに送信する。第２のバイオメトリック特徴情報、デジタル証明書、および／または第１のバイオメトリック特徴情報に対応するユーザが同一のユーザ（ユーザがベンダである場合）であることを認証した後、サーバデバイスはカメラの第２の取得命令をトリガし、カメラによって取得される身体動作情報を受信し、記憶された識別規則（識別規則は本明細書において詳述しない）および身体動作情報にしたがって、ベンダがその製品を販売したかどうかを判断する。販売したのであれば、サーバデバイスは支払い準備命令をベンダの人間身体チップに送信することができる。人間身体チップは人間身体伝導により人間身体を送信媒体として使用することによって情報を送信することができる。したがって、ベンダは購入者の身体を触ることを通じて（例えば、握手を通じて）、およびベンダの人間身体チップを使用することによって、購入者の人間身体チップ（図９における破線は人間身体チップに含まれるデジタル証明書および／または第１のバイオメトリック特徴情報を、人間身体を通じて送信することを示す）に含まれるデジタル証明書および／または第１のバイオメトリック特徴情報を得ることができ、次いで得られた購入者のデジタル証明書および／または第１のバイオメトリック特徴情報をサーバデバイスに送信する。サーバデバイスは受信された購入者のデジタル証明書および／または第１のバイオメトリック特徴情報にしたがって購入者ユーザを決定し、記憶されたトランザクションまたは操作規則（トランザクションまたは操作規則がサーバデバイスにおいてベンダによって設定されてもよい場合）にしたがって、指定された金額を購入者ユーザのアカウントからベンダのアカウントに移動する。人間身体を送信媒体として使用することによって送信されたデジタル証明書および／または第１のバイオメトリック特徴情報は、人間身体以外の送信媒体を使用することによって送信されたデジタル証明書および／または第１のバイオメトリック特徴情報と区別するためにマーキングを有してもよい。マーキングを有するデジタル証明書および／または第１のバイオメトリック特徴情報を得た後、ベンダの人間身体チップは得られたデジタル証明書および／または第１のバイオメトリック特徴情報をサーバデバイスに送信し、そうでなければ、ベンダの人間身体チップは証明書および／または情報をサーバデバイスに送信しない。
【０１４３】
加えて、サーバデバイスによって送信された支払い準備命令を受信すると、ベンダの人間身体チップは購入者のデジタル証明書および／または第１のバイオメトリック特徴情報を得る。購入者のデジタル証明書および／または第１のバイオメトリック特徴情報が受信された後、支払い準備命令は無効となる。
【０１４４】
もちろん、本出願の実施形態において、サーバデバイスおよび人間身体チップを含むシステムは、やはり使用価値を有し、他のシナリオに適用することができる。
【０１４５】
例えば、人間身体チップはバイタルサイン情報を取得することができるため、人間身体チップは取得されたバイタルサイン情報をサーバデバイスに送信することができ、サーバデバイスはバイタルサイン情報にしたがってユーザの身体状態を検出し、検出結果を人間身体チップに返し、次いで、人間身体チップは検出結果を、表示することのために薄膜ディスプレイに送信する。したがって、ユーザのバイタルサインを検出するシナリオにおいて、第１のデバイスも第２のデバイスも必要とされないことがある。
【０１４６】
別の例について、人間身体チップはユーザに一意に対応するデジタル証明書を記憶することができ、また、脈拍などのバイオメトリック特徴情報をさらに取得することができる。したがって、人間身体チップはデジタル証明書および取得されたバイオメトリック特徴情報を予め定められた間隔でサーバデバイスに送信することができる。デジタル証明書および取得されたバイオメトリック特徴情報にそれぞれ対応するユーザが同一のユーザであることを認証すると、サーバデバイスは操作を実施しなくてもよい。サーバデバイスがデジタル証明書および取得されたバイオメトリック特徴情報にそれぞれ対応するユーザが同一のユーザではないと判断すると、それは人間身体チップが別の人物によって使用されているかもしれないことを示しており、次いでサーバデバイスは警告情報をデジタル証明書および取得されるバイオメトリック特徴情報にそれぞれ対応するユーザに送信することができる。
【０１４７】
実施形態３
本出願の実施形態３において、モノのインターネットに基づく情報処理がさらに実施される。実施形態１および実施形態２との違いは、実施形態３においては、図１のシステムがサーバデバイスを含まなくてもよいことである。
【０１４８】
複数のユーザのバイオメトリック特徴サンプルが記憶されるよう要求されないいくつかのシナリオにおいて、データ記憶装置および処理パフォーマンスに対する要求は、高くない。したがって、サーバデバイスはこれらのバイオメトリック特徴サンプルを記憶しなくてもよく、また、サーバデバイスはユーザを識別しなくてもよい。バイオメトリック特徴サンプルは第１のデバイスに記憶されてもよく、また、ユーザは第１のデバイスによって識別される。同様に、実施されることになるトランザクションまたは操作は、第１のデバイスまたは第２のデバイスなどのモノのインターネットのデバイスにさらに記憶されてもよく、またトランザクションまたは操作は、トランザクションまたは操作を記憶するモノのインターネットのデバイスによって実施される。
【０１４９】
実施形態３において、第１の取得命令がトリガされると、（トリガする方法について、第１の取得命令は実施形態１における第１の取得命令をトリガする方法と同一であり、詳細はここでは詳述しない）第１のデバイスはバイオメトリック特徴情報を取得し、記憶されたバイオメトリック特徴サンプルおよび取得されたバイオメトリック特徴情報にしたがって、バイオメトリック特徴情報に対応するユーザ（ユーザを識別する方法は実施形態１におけるサーバデバイスによってユーザを識別する方法と同一であり、詳細はここでは詳述しない）を識別する。続いて、第１のデバイスはユーザのためにトランザクションまたは操作を実施することができる。代替的に、第１のデバイスは第２のデバイスの第２の取得命令をトリガすることができ、第２のデバイスはユーザの身体動作情報を取得し、第２のデバイスは身体動作情報にしたがってユーザのためにトランザクションまたは操作を実施する。
【０１５０】
例えば、第１のデバイスがモノのインターネット機能を有する家庭用テレビジョンである場合、それぞれの家族のバイオメトリック特徴情報がテレビジョンにバイオメトリック特徴サンプルとして記憶されてもよい。テレビジョンの第１の取得命令がトリガされると、テレビジョンはユーザのバイオメトリック特徴情報を取得し、取得されたバイオメトリック特徴情報をそれぞれの記憶されたバイオメトリック特徴サンプルとマッチングする。マッチングが成功すると、電源を入れる操作が実施されてもよい。テレビジョンの電源が入った後、テレビジョンは、バイオメトリック特徴情報とマッチングするバイオメトリック特徴サンプルに対応するユーザの記憶された好みにしたがって、そのユーザについて好みの番組を映す。代替的に、モノのインターネット機能を有するセットトップボックスの第２の取得命令（セットトップボックスが第２のデバイスである場合）が、セットトップボックスがユーザの身体動作情報を取得するためにトリガされてもよい。セットトップボックスは、識別された身体動作情報にしたがってユーザのために番組を選択すること、または音量を調節することなどの操作を実施することができる。
【０１５１】
本出願の実施形態３における第１のデバイスおよび第２のデバイスが実施形態１および実施形態２におけるサーバデバイスと置き換えられ、バイオメトリック特徴情報および身体動作情報を識別し、トランザクションまたは操作を実施してもよいことを除き、実施形態３における第１のデバイスおよび第２のデバイスの他の機能は、実施形態１および実施形態２における第１のデバイスおよび第２のデバイスの機能と同一であり、詳細はここでは詳述しない。加えて、実施形態３において、実施形態１および実施形態２におけるものと同一である音声デバイス、表示デバイス、バイタルサイン検出デバイス、人間身体チップなどは、さらに含まれてもよく、その機能は実施形態１および実施形態２におけるものと同一であり、詳細はここでは詳述しない。
【０１５２】
前述は本出願の実施形態において提供されるモノのインターネットに基づく情報処理方法を説明する。同一の考えに基づいて、本出願は対応するデバイスをさらに提供する。
【０１５３】
図１０は、本出願の実施形態による、第１の情報処理デバイスを示す。デバイスは、通信インターフェースと、プロセッサとを含み、
通信インターフェースは第１のデバイスによって送信されたバイオメトリック特徴情報を受信するように構成され、
プロセッサはバイオメトリック特徴情報にしたがって、バイオメトリック特徴情報に対応するユーザを識別するように構成され、
ここで、第１のデバイスはモノのインターネットのデバイスである。
【０１５４】
デバイスはメモリをさらに含み、
メモリは、すべてのユーザおよびユーザに対応するバイオメトリック特徴サンプルを記憶するように構成され、
プロセッサは、受信されたバイオメトリック特徴情報のすべてのタイプについて、メモリに事前記憶されたバイオメトリック特徴情報とそれぞれのバイオメトリック特徴サンプルとの間の類似性を決定し、決定された類似性にしたがってバイオメトリック特徴情報とマッチングするバイオメトリック特徴サンプルを決定し、それぞれの事前記憶されたバイオメトリック特徴サンプルとユーザとの間の対応関係にしたがって、バイオメトリック特徴情報とマッチングするバイオメトリック特徴サンプルに対応するユーザを決定し、バイオメトリック特徴情報のすべてのタイプについてそれぞれ決定されたユーザのうち、設定された数より多いユーザまたは設定された比より多いユーザが同一のユーザである場合、その同一のユーザが識別結果であると判断するように構成される。
【０１５５】
通信インターフェースは第２のデバイスによって送信された身体動作情報を受信するようにさらに構成され、
プロセッサは、身体動作情報にしたがってユーザのためにトランザクションまたは操作を実施するように構成され、
ここで、第２のデバイスはモノのインターネットのデバイスである。
【０１５６】
デバイスはメモリをさらに含み、
メモリは、第２のデバイスと身体動作情報との間の対応関係、および第２のデバイスについて設定されたそれぞれの身体動作情報とトランザクションまたは操作との間の対応関係を記憶するように構成され、
プロセッサは、メモリに事前記憶された第２のデバイスと身体動作情報と間の対応関係にしたがって第２のデバイスに対応するすべての身体動作情報を決定し、すべての決定された身体動作情報のうち受信された身体動作情報とマッチングする身体動作情報を決定し、メモリに事前記憶された第２のデバイスについて設定されたそれぞれの身体動作情報とトランザクションまたは操作との間の対応関係にしたがって、受信された身体動作情報とマッチングする身体動作情報に対応するトランザクションまたは操作を実施するように構成される。
【０１５７】
プロセッサは、識別されたユーザにしたがってユーザが認可されたユーザかどうかを判断するようにさらに構成され、ユーザが認可されたユーザであれば、第２のデバイスが身体動作情報を取得するために、第１のデバイスに結合される第２のデバイスの第２の取得命令をトリガし、またはユーザが認可されたユーザでなければ、第１のデバイスに結合される第２のデバイスの第２の取得命令をトリガしない。
【０１５８】
通信インターフェースは、プロセッサがバイオメトリック特徴情報にしたがってバイオメトリック特徴情報に対応するユーザを識別する前に、第１のデバイスに結合する音声デバイスによって送信される音声情報を受信するようにさらに構成され、
プロセッサは、第１のデバイスによって送信されたバイオメトリック特徴情報および音声デバイスによって送信される音声情報に含まれる声紋特徴情報にしたがって、バイオメトリック特徴情報に対応するユーザおよび声紋特徴情報に対応するユーザを識別し、バイオメトリック特徴情報に対応するユーザと声紋特徴情報に対応するユーザとが同一のユーザである場合、その同一のユーザが識別結果であると判断するように構成される。
【０１５９】
通信インターフェースは、プロセッサが身体動作情報にしたがってユーザのためにトランザクションまたは操作を実施する前に、第１のデバイスに結合する音声デバイスによって送信される音声情報を受信するようにさらに構成され、
プロセッサは、音声情報に対する意味的な認識を実施し、身体動作情報および音声情報から認識した意味にしたがってユーザのためにトランザクションまたは操作を実施するように構成される。
【０１６０】
プロセッサは音声情報から認識した意味にしたがって通信インターフェースを使用することによって、音声デバイスが返答情報を再生するために、対応する返答情報を音声デバイスに返すようにさらに構成される。
【０１６１】
プロセッサは受信されたバイオメトリック特徴情報および／または身体動作情報にしたがって通信インターフェースを使用することによって、表示デバイスが応答情報を表示するために、応答情報を第１のデバイスに結合する表示デバイスに返すようにさらに構成される。
【０１６２】
通信インターフェースは、第１のデバイスに結合するバイタルサイン検出デバイスによって送信されたバイタルサイン情報を受信するようにさらに構成され、
プロセッサは、受信されたバイタルサイン情報および記憶された推奨規則にしたがって、ユーザに推奨されることになる情報および／またはトランザクションもしくは操作を決定し、通信インターフェースを使用することによって、決定された情報および／またはトランザクションもしくは操作を、表示することのために表示デバイスに送信するように構成される。
【０１６３】
通信インターフェースは、プロセッサがバイオメトリック特徴情報に対応するユーザを識別する前に、人間身体チップおよび／または第１のデバイスによって送信された人間身体チップに記憶されたデジタル証明書によって取得されるバイオメトリック特徴情報を受信するようにさらに構成され、
プロセッサは、第１のデバイスによって取得されるバイオメトリック特徴情報に対応するユーザ、ならびに人間身体チップによって取得されるバイオメトリック特徴情報および／または人間身体チップに記憶されたデジタル証明書に対応するユーザを識別し、第１のデバイスによって取得されるバイオメトリック特徴情報に対応するユーザと、人間身体チップによって取得されるバイオメトリック特徴情報および／または人間身体チップに記憶されたデジタル証明書に対応するユーザとが同一のユーザである場合、その同一のユーザが識別結果であると判断するように構成される。
【０１６４】
図１１は、本出願の実施形態による、第２の情報処理デバイスを示す。デバイスはモノのインターネットのデバイスであるが、モバイル端末デバイスでなくてもよい。デバイスは取得ユニットと、プロセッサと、通信インターフェースとを含み、
プロセッサは、第１の取得命令がトリガされるかどうか監視し、第１の取得命令がトリガされることを検出すると、取得ユニットがバイオメトリック特徴情報を取得するように制御し、取得ユニットによって取得されるバイオメトリック特徴情報を受信し、サーバデバイスがバイオメトリック特徴情報に対応するユーザを識別するために、通信インターフェースを使用することによって取得されたバイオメトリック特徴情報をサーバデバイスに送信するように構成され、
取得ユニットはバイオメトリック特徴情報を取得し、バイオメトリック特徴情報をプロセッサに返すように構成され、
通信インターフェースはバイオメトリック特徴情報をサーバデバイスに送信するように構成される
情報処理デバイスを提供する。
【０１６５】
デバイスは距離センサをさらに含み、
距離センサは、物体とデバイスとの間の距離を監視し、検出された距離をプロセッサに送信するように構成され、
プロセッサは、距離センサを使用することによってデバイスまでの距離が設定された距離未満である物体があるかどうかを監視するように構成され、デバイスまでの距離が設定された距離未満である物体がある場合、第１の取得命令がトリガされることを決定する。
【０１６６】
デバイスは光学センサをさらに含み、
光学センサは、デバイスによって受信される照明の強度を監視し、監視された照明の強度をプロセッサに送信するように構成され、
プロセッサは、光学センサを使用することによってデバイスによって受信される照明の強度が照明強度しきい値よりも低いかどうかを監視するように構成され、照明の強度がしきい値よりも低い場合、第１の取得命令がトリガされることを決定する。
【０１６７】
デバイスは温度センサをさらに含み、
温度センサは、デバイスが位置付けられる環境の温度を監視し、監視された温度をプロセッサに送信するように構成され、
プロセッサは、温度センサを使用することによってデバイスが位置付けられる環境の温度が温度しきい値よりも高いかどうかを監視するように構成され、環境の温度がしきい値よりも高い場合、第１の取得命令がトリガされることを決定する。
【０１６８】
デバイスはメモリをさらに含み、
メモリは登録されたユーザ情報を記憶するように構成され、
通信インターフェースはサーバデバイスによってバイオメトリック特徴情報にしたがってユーザを識別することによって得られた識別結果を受信するようにさらに構成され、
プロセッサは、通信インターフェースによって受信された識別結果がメモリに事前記憶された登録されたユーザ情報と矛盾がないかどうか判断し、矛盾がなければ、第２のデバイスが身体動作情報を取得するために第２のデバイスの第２の取得命令をトリガし、身体動作情報をサーバデバイスに送信し、または矛盾があれば、第２のデバイスの第２の取得命令をトリガしないように構成される。
【０１６９】
プロセッサは、デバイスと結合関係を有する第２のデバイスを決定し、決定された第２のデバイスの第２の取得命令をトリガするように構成される。
【０１７０】
通信インターフェースは、人間身体チップおよび／または人間身体チップによって送信される人間身体チップに記憶されたデジタル証明書によって取得されるバイオメトリック特徴情報を受信するようにさらに構成され、
プロセッサは、通信インターフェースによって受信された人間身体チップによって取得されるバイオメトリック特徴情報および／または人間身体チップに記憶されたデジタル証明書を、通信インターフェースを使用することによって、サーバデバイスに送信するように構成される。
【０１７１】
プロセッサは、通信インターフェースを使用することによって、人間身体チップによって取得されるバイオメトリック特徴情報および／または人間身体チップに記憶されたデジタル証明書を受信すると、第１の取得命令がトリガされることを決定するように構成される。
【０１７２】
図１２は、本出願の実施形態による、第３の情報処理デバイスを示す。デバイスはモノのインターネットのデバイスであり、デバイスは取得ユニットと、プロセッサと、通信インターフェースとを含み、
プロセッサは、第２の取得命令がトリガされるかどうか監視し、第２の取得命令がトリガされることを検出すると、取得ユニットが身体動作情報を取得するように制御し、サーバデバイスがユーザのためにトランザクションまたは操作を実施するために、通信インターフェースを使用することによって取得される身体動作情報をサーバデバイスに送信するように構成され、
取得ユニットは、身体動作情報を取得し、取得された身体動作情報をプロセッサに送信するように構成され、
通信インターフェースは身体動作情報をサーバデバイスに送信するように構成される。
【０１７３】
通信インターフェースは、第１のデバイスによって送信されるトリガメッセージまたはサーバデバイスによって送信されるトリガメッセージを受信するようにさらに構成され、
プロセッサは、通信インターフェースを使用することによって、第１のデバイスによって送信されるトリガメッセージまたはサーバデバイスによって送信されるトリガメッセージを受信すると、第２の取得命令がトリガされることを決定するように構成される。
【０１７４】
デバイスは距離センサをさらに含み、
距離センサは、物体とデバイスとの間の距離を監視し、監視された距離をプロセッサに送信するように構成され、
プロセッサは、距離センサを使用することによってデバイスまでの距離が設定された距離未満である物体があるかどうかを監視するように構成され、デバイスまでの距離が設定された距離未満である物体がある場合、第２の取得命令がトリガされることを決定する。
【０１７５】
デバイスは光学センサをさらに含み、
光学センサは、デバイスによって受信される照明の強度を監視し、監視された照明の強度をプロセッサに送信するように構成され、
プロセッサは、光学センサを使用することによってデバイスにおける照明の強度が照明強度しきい値よりも低いかどうかを監視するように構成され、照明の強度がしきい値よりも低い場合、第２の取得命令がトリガされることを決定する。
【０１７６】
デバイスは温度センサをさらに含み、
温度センサは、デバイスが位置付けられる環境の温度を監視し、監視された温度をプロセッサに送信するように構成され、
プロセッサは、温度センサを使用することによってデバイスが位置付けられる環境の温度が温度しきい値よりも高いかどうかを監視するように構成され、環境の温度がしきい値よりも高い場合、第２の取得命令がトリガされることを決定する。
【０１７７】
図１３は、本出願の実施形態による、人間身体チップを示す。人間身体チップは、取得ユニットと、メモリと、通信インターフェースとを含み、
取得ユニットはユーザのバイオメトリック特徴情報を取得するように構成され、
メモリは、デジタル証明書を記憶するように構成され、
通信インターフェースは、第１のデバイスが第１のデバイスによって取得されるバイオメトリック特徴情報を送信するために、取得ユニットによって取得されるバイオメトリック特徴情報および／またはメモリに記憶されたデジタル証明書を第１のデバイスに送信するように、ならびに人間身体チップによって取得されるバイオメトリック特徴情報および／または人間身体チップに記憶されたデジタル証明書を識別のためにサーバデバイスに送信するように構成される。
【０１７８】
通信インターフェースは、サーバデバイスによって送信される応答情報を受信し、応答情報を、表示することのために表示デバイスに送信するようにさらに構成される。
【０１７９】
人間身体チップはユーザの皮膚に取り付けられるか、または皮膚に埋め込まれ、
表示デバイスは薄膜ディスプレイであり、ユーザによって持ち運ばれる。
【０１８０】
通信インターフェースは、人間身体チップが取り付けられた、または人間身体チップが埋め込まれた人間身体を送信媒体として使用することによって、応答情報を、表示することのために表示デバイスに送信するように構成される。
【０１８１】
図１４は、本出願の実施形態による、情報推奨デバイスを示す。デバイスはプロセッサと、通信インターフェースとを含み、
プロセッサは、通信インターフェースを使用することによって、第１のデバイスによって送信されたバイオメトリック特徴情報およびバイタルサイン検出デバイスによって送信されたバイタルサイン情報を受信し、バイオメトリック特徴情報にしたがって、バイオメトリック特徴情報に対応するユーザを識別し、バイタルサイン情報および記憶された推奨規則にしたがって、ユーザに推奨されることになる情報および／またはトランザクションもしくは操作を決定し、通信インターフェースを使用することによって、決定された情報および／またはトランザクションもしくは操作を、表示することのために表示デバイスに送信するように構成され、
通信インターフェースは、第１のデバイスによって送信されたバイオメトリック特徴情報、およびバイタルサイン検出デバイスによって送信されたバイタルサイン情報を受信し、プロセッサによって決定された情報および／またはトランザクションもしくは操作を、表示することのために表示デバイスに送信するように構成される。
【０１８２】
バイタルサイン検出デバイスは、人間身体チップであって、
通信インターフェースは、第１のデバイスによって取得されるバイオメトリック特徴情報、ならびに人間身体チップによって取得されるバイタルサイン情報およびバイオメトリック特徴情報、ならびに／または第１のデバイスによって送信される人間身体チップに記憶されたデジタル証明書、を受信するように構成され、
プロセッサは、第１のデバイスによって取得されるバイオメトリック特徴情報、ならびに人間身体チップによって取得されるバイオメトリック特徴情報および／または人間身体チップに記憶されたデジタル証明書にしたがって、ユーザを識別するように構成される。
【０１８３】
ユーザに推奨されることになる情報は製品情報を含み、
通信インターフェースは、第２のデバイスによって送信された身体動作情報を受信するようにさらに構成され、
プロセッサは、身体動作情報にしたがって表示デバイスに表示されるすべての製品情報のうちユーザによって選択される製品情報を決定し、そのユーザに対応するアカウントおよびユーザによって選択される製品情報にしたがって、ユーザのために注文操作および支払い操作を実施するように構成される。
【０１８４】
図１５は、本出願の実施形態による、自転車開錠デバイスを示す。デバイスは、通信インターフェースと、プロセッサとを含み、
プロセッサは、通信インターフェースを使用することによって、自転車の第１の取得ユニットによって取得され送信されたバイオメトリック特徴情報、および自転車の第２の取得ユニットによって取得され送信された身体動作情報を受信し、第１の取得ユニットによって送信されたバイオメトリック特徴情報にしたがって、バイオメトリック特徴情報に対応するユーザを識別し、身体動作情報にしたがって、身体動作情報が指定された身体動作であると識別すると、ユーザに対応するアカウントにしたがって支払い操作を実施し、自転車の錠を開錠するために制御するように構成され、
通信インターフェースは、自転車の第１の取得ユニットによって取得され送信されたバイオメトリック特徴情報、および自転車の第２の取得ユニットによって取得され送信された身体動作情報を受信するように構成される。
【０１８５】
通信インターフェースは、自転車の第１の取得ユニットによって取得され送信されたバイオメトリック特徴情報を受信し、人間身体チップおよび／または第１の取得ユニットによって送信された人間身体チップに記憶されたデジタル証明書によって取得されるバイオメトリック特徴情報を受信するように構成され、
プロセッサは、第１のデバイスによって取得されるバイオメトリック特徴情報に対応するユーザ、ならびに人間身体チップによって取得されるバイオメトリック特徴情報および／または人間身体チップに記憶されたデジタル証明書に対応するユーザを識別し、第１のデバイスによって取得されるバイオメトリック特徴情報に対応するユーザと、人間身体チップによって取得されるバイオメトリック特徴情報および／または人間身体チップに記憶されたデジタル証明書とが同一のユーザである場合、その同一のユーザが識別結果であると判断するように構成される。
【０１８６】
通信インターフェースは、自転車のバイタルサイン検出コンポーネントによって検出されるユーザのバイタルサイン情報を受信するようにさらに構成され、
プロセッサは、バイタルサイン情報にしたがってユーザに推奨されることになる情報を決定し、通信インターフェースを使用することによって、ユーザに推奨されることになる情報を、表示することのために自転車の表示コンポーネントに送信するように構成される。
【０１８７】
ユーザに推奨されることになる情報は製品情報であり、
デバイスはメモリをさらに含み、
メモリは、オフライン販売者についての電子地図および情報を記憶するように構成され、
通信インターフェースは、自転車の位置決めコンポーネントによって送信される自転車の現在の地理学的位置についての情報を受信するように構成され、
プロセッサは、ユーザに推奨されることになる製品情報にしたがってオフライン販売者についての情報を決定し、自転車の現在の地理学的位置についての情報、ならびにメモリに記憶されたオフライン販売者についての電子地図および情報にしたがって現在の地理学的位置からオフライン販売者への経路を決定し、通信インターフェースを使用することによって、経路を、表示することのために表示コンポーネントに送信するように構成される。
【０１８８】
図１６は、本出願の実施形態による、自転車を示す。デバイスは、第１の取得ユニットと、第２の取得ユニットと、プロセッサと、通信インターフェースと、錠とを含み、
プロセッサは、第１の取得命令がトリガされると、第１の取得ユニットを使用することによってバイオメトリック特徴情報を取得し、通信インターフェースを使用することによって、バイオメトリック特徴情報をサーバデバイスに送信し、第２の取得命令がトリガされると、第２の取得ユニットを使用することによって身体動作情報を取得し、通信インターフェースを使用することによって、身体動作情報をサーバデバイスに送信し、通信インターフェースを使用することによって、サーバデバイスによって返される開錠命令を受信すると、錠を開錠するように構成され、
第１の取得ユニットは、バイオメトリック特徴情報を取得し、取得されたバイオメトリック特徴情報をプロセッサに送信するように構成され、
第２の取得ユニットは、身体動作情報を取得し、取得された身体動作情報をプロセッサに送信するように構成され、
通信インターフェースは、バイオメトリック特徴情報をサーバデバイスに送信し、身体動作情報をサーバデバイスに送信し、サーバデバイスによって返される開錠命令を受信するように構成される。
【０１８９】
プロセッサは、通信インターフェースを使用することによって、人間身体チップによって取得されるバイオメトリック特徴情報および／または人間身体チップによって送信される人間身体チップに記憶されたデジタル証明書を受信すると、第１の取得命令がトリガされることを決定するように構成され、
プロセッサは、通信インターフェースを使用することによって、第１の取得ユニットによって取得されるバイオメトリック特徴情報、ならびに人間身体チップによって取得されるバイオメトリック特徴情報および／または人間身体チップに記憶されたデジタル証明書を、サーバデバイスに送信するようにさらに構成される。
【０１９０】
プロセッサは、第１の取得命令がトリガされると、第２の取得命令がトリガされることを決定し、または第１の取得ユニットがバイオメトリック特徴情報を取得した後に送信されたトリガメッセージを受信すると、第２の取得命令がトリガされることを決定し、またはサーバデバイスによって識別されたバイオメトリック特徴情報に対応するユーザを受信した後、第２の取得命令がトリガされることを決定するように構成される。
【０１９１】
第１の取得ユニットはハンドルバーに配置され、第２の取得ユニットはハンドルバーに配置される。
【０１９２】
自転車は、バイタルサイン検出コンポーネントと、表示コンポーネント（バイタルサイン検出コンポーネントおよび表示コンポーネントの両方とも図１６には図示せず）とをさらに含み、
バイタルサイン検出コンポーネントは、ユーザのバイタルサイン情報を監視し、バイタルサイン情報をプロセッサに送信するように構成され、
プロセッサは、通信インターフェースを使用することによって、バイタルサイン情報をサーバデバイスに送信し、通信インターフェースを使用することによって、ユーザに推奨されることになる、バイタルサイン情報にしたがってサーバデバイスによって返される情報を受信し、ユーザに推奨されることになる情報を、表示することのために表示コンポーネントに送信するように構成され、
表示コンポーネントは、ユーザに推奨されることになる、プロセッサによって送信される情報を表示するように構成される。
【０１９３】
自転車は、位置決めコンポーネントをさらに含み、
位置決めコンポーネント（位置決めコンポーネントは図１６には図示せず）は、自転車の現在の地理学的位置についての情報をサーバに送信するように構成され、
通信インターフェースは、サーバデバイスによって送信される現在の地理学的位置からオフライン販売者までの経路を受信し、ここで経路は、サーバデバイスがユーザに推奨されることになる製品情報にしたがってオフライン販売者についての情報を決定した後、サーバデバイスに記憶された電子地図、自転車の現在の地理学的位置についての情報、およびオフライン販売者についての情報にしたがって決定されるように構成され、
プロセッサは通信インターフェースを使用することによって受信された経路を、表示することのために表示コンポーネントに送信するように構成される。
【０１９４】
当業者であれば、自転車の第１の取得ユニットおよび第２の取得ユニットは、同一の取得ユニットであってもよく、または異なる取得ユニットであってもよいことを、理解すべきである。図１６において、第１の取得ユニットおよび第２の取得ユニットが同一の取得ユニットである例を説明のために取り上げる。
【０１９５】
図１６は自転車のいくつかのコンポーネントを示し、自転車の車輪、フレーム、およびシートなどの他のコンポーネントは図１６に図示しない。
【０１９６】
図１７は、本出願の実施形態による、支払いデバイスを示す。デバイスは、プロセッサと、通信インターフェースとを含み、
プロセッサは、通信インターフェースを使用することによって、ショップのシェルフの第１の取得ユニットによって取得され送信されたバイオメトリック特徴情報、およびシェルフの第２の取得ユニットによって取得され送信された身体動作情報を受信し、シェルフの第１の取得ユニットによって送信されたバイオメトリック特徴情報にしたがって、バイオメトリック特徴情報に対応するユーザを識別し、身体動作情報にしたがって、シェルフからユーザが得た製品を識別し、製品を記録し、および通信インターフェースを使用することによって、出口デバイスによって取得され送信されたバイオメトリック特徴情報を受信すると、出口デバイスによって送信されたバイオメトリック特徴情報にしたがって、ショップを離れるユーザを識別し、ショップを離れるユーザが得た記録された製品にしたがって、ショップを離れるユーザについての支払い操作を実施するように構成され、
通信インターフェースは、ショップのシェルフの第１の取得ユニットによって取得され送信されたバイオメトリック特徴情報、およびシェルフの第２の取得ユニットによって取得され送信された身体動作情報を受信し、出口デバイスによって取得され送信されたバイオメトリック特徴情報を受信するように構成される。
【０１９７】
通信インターフェースは、ショップの入口デバイスによって取得され送信されるバイオメトリック特徴情報を受信するようにさらに構成され、
プロセッサは、入口デバイスによって取得され送信されるバイオメトリック特徴情報にしたがってショップに入店するユーザを識別し、ショップに入店するユーザのバイオメトリック特徴情報およびシェルフの第１の取得ユニットによって送信されたバイオメトリック特徴情報にしたがって、ショップに入店するユーザのうちシェルフの第１の取得ユニットによって送信されたバイオメトリック特徴情報に対応するユーザを識別し、ショップに入店するユーザのバイオメトリック特徴情報および出口デバイスによって送信されたバイオメトリック特徴情報にしたがって、ショップに入店するユーザのうち出口デバイスによって送信されたバイオメトリック特徴情報に対応するユーザを、ショップを離れる識別されたユーザとして識別するように構成される。
【０１９８】
図１８は、本出願の実施形態による、シェルフを示す。シェルフは、第１の取得ユニットと、第２の取得ユニットと、プロセッサと、通信インターフェースとを含み、
プロセッサは、第１の取得命令がトリガされると、第１の取得ユニットを使用することによってバイオメトリック特徴情報を取得し、第２の取得命令がトリガされると、第２の取得ユニットを使用することによって身体動作情報を取得し、サーバデバイスが、バイオメトリック特徴情報に対応するユーザがシェルフから得た製品を識別するために、通信インターフェースを使用することによって、バイオメトリック特徴情報および身体動作情報をサーバデバイスに送信するように構成され、
第１の取得ユニットは、バイオメトリック特徴情報を取得し、バイオメトリック特徴情報をプロセッサに送信するように構成され、
第２の取得ユニットは、身体動作情報を取得し、身体動作情報をプロセッサに送信するように構成され、
通信インターフェースは、バイオメトリック特徴情報および身体動作情報をサーバデバイスに送信するように構成される。
【０１９９】
第１の取得ユニットはシェルフの本体の外表面に配置され、
第２の取得ユニットはシェルフの本体の外表面に配置される。
【０２００】
当業者であれば、シェルフの第１の取得ユニットおよび第２の取得ユニットは、同一の取得ユニットであってもよく、または異なる取得ユニットであってもよいことを、理解すべきである。図１８において、第１の取得ユニットおよび第２の取得ユニットが同一の取得ユニットである例を説明のために取り上げる。
【０２０１】
図１９は、本出願の実施形態による、出口デバイスを示す。出口デバイスは、第１の取得ユニットと、プロセッサと、通信インターフェースとを含み、
プロセッサは、第１の取得命令がトリガされると、第１の取得ユニットを使用することによってバイオメトリック特徴情報を取得し、通信インターフェースを使用することによって、サーバデバイスが、バイオメトリック特徴情報にしたがって、ショップを離れるユーザを識別するために、バイオメトリック特徴情報をサーバデバイスに送信し、ショップを離れるユーザが得た記録された製品にしたがって、ショップを離れるユーザについての支払い操作を実施するように構成され、
第１の取得ユニットは、ユーザのバイオメトリック特徴情報を取得し、バイオメトリック特徴情報をプロセッサに送信するように構成され、
通信インターフェースは、バイオメトリック特徴情報をサーバデバイスに送信するように構成される。
【０２０２】
図２０は、本出願の実施形態による、入口デバイスを示す。入口デバイスは、第１の取得ユニットと、プロセッサと、通信インターフェースとを含み、
プロセッサは、第１の取得命令がトリガされると、第１の取得ユニットを使用することによってバイオメトリック特徴情報を取得し、サーバデバイスがショップに入店するユーザを識別するために、通信インターフェースを使用することによって、バイオメトリック特徴情報をサーバデバイスに送信し、シェルフによって送信されたバイオメトリック特徴情報を受信すると、ショップに入店するユーザのうちシェルフによって送信されるバイオメトリック特徴情報に対応するユーザを識別し、および出口デバイスによって送信されたバイオメトリック特徴情報を受信すると、ショップに入店するユーザのうちショップを離れるユーザを識別するように構成され、
第１の取得ユニットは、バイオメトリック特徴情報を取得し、取得されたバイオメトリック特徴情報をプロセッサに送信するように構成され、
通信インターフェースは、第１の取得ユニットによって取得されるバイオメトリック特徴情報をサーバデバイスに送信するように構成される。
【０２０３】
図２１は、本出願の実施形態による、注文デバイスを示す。注文デバイスは、通信インターフェースと、プロセッサとを含み、
プロセッサは、通信インターフェースを使用することによって、ダイニングテーブルの第１の取得ユニットによって取得され送信されたバイオメトリック特徴情報、およびダイニングテーブルの第２の取得ユニットによって取得され送信された身体動作情報を受信し、第１の取得ユニットによって送信されたバイオメトリック特徴情報にしたがって、バイオメトリック特徴情報に対応するユーザを識別し、身体動作情報にしたがって、ダイニングテーブルの表示コンポーネントに表示された料理からユーザによって選択された料理を識別し、ユーザによって選択された識別された料理にしたがってユーザのために注文操作を実施するように構成され、
通信インターフェースは、ダイニングテーブルの第１の取得ユニットによって取得され送信されたバイオメトリック特徴情報、およびダイニングテーブルの第２の取得ユニットによって取得され送信された身体動作情報を受信するように構成される。
【０２０４】
通信インターフェースは、入口デバイスによって取得され送信されるバイオメトリック特徴情報を受信するようにさらに構成され、
プロセッサは、入口デバイスによって取得され送信されるバイオメトリック特徴情報にしたがって、レストランに入店するユーザを識別し、レストランに入店するユーザのバイオメトリック特徴情報およびダイニングテーブルの第１の取得ユニットによって送信されたバイオメトリック特徴情報にしたがって、レストランに入店するユーザのうち、ダイニングテーブルの第１の取得ユニットによって送信されたバイオメトリック特徴情報に対応するユーザを識別するように構成される。
【０２０５】
通信インターフェースは、出口デバイスによって取得され送信されるバイオメトリック特徴情報を受信するようにさらに構成され、
プロセッサは、出口デバイスによって取得され送信されるバイオメトリック特徴情報にしたがって、レストランを離れるユーザを識別し、レストランを離れるユーザについて注文された料理にしたがってレストランを離れるユーザについて支払い操作を実施するように構成される。
【０２０６】
図２２は、本出願の実施形態による、ダイニングテーブルを示す。ダイニングテーブルは、第１の取得ユニットと、第２の取得ユニットと、通信インターフェースと、プロセッサと、表示コンポーネントとを含み、
プロセッサは、第１の取得命令がトリガされると、第１の取得ユニットを使用することによってバイオメトリック特徴情報を取得し、通信インターフェースを使用することによって、バイオメトリック特徴情報をサーバデバイスに送信し、第２の取得命令がトリガされると、第２の取得ユニットを使用することによって身体動作情報を取得し、サーバデバイスがダイニングテーブルの表示コンポーネントに表示される料理からバイオメトリック特徴情報に対応するユーザによって選択された料理を識別するために、通信インターフェースを使用することによって、身体動作情報をサーバデバイスに送信するように構成され、
第１の取得ユニットは、バイオメトリック特徴情報を取得し、バイオメトリック特徴情報をプロセッサに送信するように構成され、
第２の取得ユニットは、身体動作情報を取得し、身体動作情報をプロセッサに送信するように構成され、
通信インターフェースは、バイオメトリック特徴情報をサーバデバイスに送信し、身体動作情報をサーバデバイスに送信するように構成され、
表示コンポーネントは、その料理を表示するように構成される。
【０２０７】
第１の取得ユニットはダイニングテーブルのテーブル上面に配置され、
第２の取得ユニットはダイニングテーブルのテーブル上面に配置され、
表示コンポーネントはダイニングテーブルのテーブル上面に配置される。
【０２０８】
表示コンポーネントはホログラフィ投影機能を有する表示コンポーネントであり、
表示コンポーネントはホログラフィ投影を通じて料理を表示するように構成される。
【０２０９】
当業者であれば、ダイニングテーブルの第１の取得ユニットおよび第２の取得ユニットは、同一の取得ユニットであってもよく、または異なる取得ユニットであってもよいことを、理解すべきである。図２２において、第１の取得ユニットおよび第２の取得ユニットが同一の取得ユニットである例を説明のために取り上げる。
【０２１０】
図２３は、本出願の実施形態による、回転式改札口制御デバイスを示す。デバイスは、通信インターフェースと、プロセッサとを含み、
プロセッサは、通信インターフェースを使用することによって、回転式改札口の第１の取得ユニットによって取得され送信されたバイオメトリック特徴情報、および回転式改札口の第２の取得ユニットによって取得され送信された第１の身体動作情報を受信し、第１の取得ユニットによって送信されたバイオメトリック特徴情報にしたがって、バイオメトリック特徴情報に対応するユーザを識別し、第２の取得ユニットによって送信された第１の身体動作情報にしたがってユーザの第１の身体動作が指定された条件を満たすことを検出すると、ユーザのチケット購入記録があるかどうか判断し、記録があれば通信インターフェースを使用することによって、回転式改札口に開く命令を送信し、または記録がなければ開く命令を送信しないように構成され、
通信インターフェースは、回転式改札口の第１の取得ユニットによって取得され送信されたバイオメトリック特徴情報、および回転式改札口の第２の取得ユニットによって取得され送信された第１の身体動作情報を受信し、回転式改札口に開く命令を送信するように構成される。
【０２１１】
通信インターフェースは、開く命令を送信した後、回転式改札口の第２の取得ユニットによって送信された第２の身体動作情報を受信するようにさらに構成され、
プロセッサは、第２の身体動作情報にしたがってユーザが回転式改札口を通過したことを識別すると、ユーザのチケット購入記録を削除するように構成される。
【０２１２】
図２４は、本出願の実施形態による、回転式改札口を示す。回転式改札口は、第１の取得ユニットと、第２の取得ユニットと、通信インターフェースと、プロセッサと、ゲートとを含み、
プロセッサは、第１の取得命令がトリガされると、第１の取得ユニットを使用することによってバイオメトリック特徴情報を取得し、通信インターフェースを使用することによって、バイオメトリック特徴情報をサーバデバイスに送信し、第２の取得命令がトリガされると、第２の取得ユニットを使用することによって第１の身体動作情報を取得し、サーバがバイオメトリック特徴情報に対応するユーザを識別するために、通信インターフェースを使用することによって、第１の身体動作情報をサーバデバイスに送信し、ユーザの第１の身体動作が指定された条件を満たすことを検出すると、ユーザのチケット購入記録があるかどうか判断し、記録があれば開く命令を返し、または記録がなければ開く命令を返さないように構成され、
プロセッサは、通信インターフェースを使用することによって、開く命令を受信すると、ゲートが開くように制御するように構成され、
第１の取得ユニットは、バイオメトリック特徴情報を取得し、バイオメトリック特徴情報をプロセッサに送信するように構成され、
第２の取得ユニットは、身体動作情報を取得し、身体動作情報をプロセッサに送信するように構成され、
通信インターフェースはバイオメトリック特徴情報をサーバデバイスに送信し、第１の身体動作情報をサーバデバイスに送信し、サーバによって返された開く命令を受信し、開く命令をプロセッサに送信するように構成される。
【０２１３】
プロセッサは、開く命令にしたがってゲートが開くように制御した後、第２の取得ユニット使用することによって第２の身体動作情報を取得し、サーバデバイスが、ユーザが回転式改札口を通過したことを識別した後、ユーザのチケット購入記録を削除するために、通信インターフェースを使用することによって、第２の身体動作情報をサーバデバイスに送信するようにさらに構成される。
【０２１４】
当業者であれば、回転式改札口の第１の取得ユニットおよび第２の取得ユニットは、同一の取得ユニットであってもよく、または異なる取得ユニットであってもよいことを、理解すべきである。図２４において、第１の取得ユニットおよび第２の取得ユニットが同一の取得ユニットである例を説明のために取り上げる。
【０２１５】
図２５は、本出願の実施形態による、第４の情報処理デバイスを示す。デバイスは、通信インターフェースと、プロセッサとを含み、
プロセッサは、通信インターフェースを使用することによって、第１のデバイスによって送信されたバイオメトリック特徴情報を受信し、バイオメトリック特徴情報にしたがって、バイオメトリック特徴情報に対応するユーザを識別し、ユーザのためにトランザクションまたは操作を実施するように構成され、第１のデバイスはモノのインターネットのデバイスであり、
通信インターフェースは、第１のデバイスによって送信されたバイオメトリック特徴情報を受信し、バイオメトリック特徴情報をプロセッサに送信するように構成される。
【０２１６】
プロセッサは、ユーザが認可されたユーザであると識別すると、ユーザのためにトランザクションまたは操作を実施するか、またはユーザが認可されたユーザであると識別すると、第１のデバイスがユーザのためにトランザクションまたは操作を実施するために、通信インターフェースを使用することによってトランザクションまたは操作実行命令を第１のデバイスに送信するように構成され、
通信インターフェースは、トランザクションまたは操作実行命令を第１のデバイスに送信するように構成される。
【０２１７】
プロセッサは、第１のデバイスに対応する記憶されたトランザクションまたは操作にしたがって、ユーザのために第１のデバイスに対応するトランザクションまたは操作を実施するように構成される。
【０２１８】
トランザクションまたは操作は、支払い操作を含む。
【０２１９】
１９９０年代においては、技術の改善はハードウェアの改善（例えば、ダイオード、トランジスタ、スイッチ、などの回路構造に対する改善）とソフトウェアの改善（方法手順に対する改善）とは明確に区別することができる。しかしながら、技術の発展に伴い多くの方法手順の改善はハードウェア回路構造の直接的な改善として考えることができる。設計者は対応するハードウェア回路構造を得るために改善された方法手順をハードウェア回路にほぼすべてプログラムする。したがって、方法手順の改善がハードウェアエンティティモジュールを使用することによって実装できないことを意味しない。例えば、フィールドプログラマブル回転式改札口アレイ（ＦＰＧＡ）などのプログラマブル論理デバイス（ＰＬＤ）は、論理機能がデバイスをプログラミングすることによってユーザによって決定される集積回路のタイプである。設計者はチップ製造者におよび専用集積回路チップを設計および準備させる必要なく、デジタルシステムを単一のＰＬＤに「組み込む（ｉｎｔｅｇｒａｔｅ）」ためにプログラミングを実施する。加えて、集積回路チップを手作業で作成する代わりに、ほとんどの場合「論理コンパイラ（ｌｏｇｉｃ  ｃｏｍｐｉｌｅｒ）」ソフトウェアを使用することによってプログラミングが実装され、論理コンパイラソフトウェアはプログラムを記述するために使用されるソフトウェアコンパイラに類似している。コンパイルする前の元々のコードはまた特定のプログラミング言語で記述され、その特定のプログラミング言語はハードウェア記述言語（ＨＤＬ）と称される。Ａｄｖａｎｃｅｄ  Ｂｏｏｌｅａｎ  Ｅｘｐｒｅｓｓｉｏｎ言語（ＡＢＥＬ）、アルテラハードウェア記述言語（ＡＨＤＬ）、Ｃｏｎｆｌｕｅｎｃｅ、Ｃｏｒｎｅｌｌ  Ｕｎｉｖｅｒｓｉｔｙプログラミング言語（ＣＵＰＬ）、ＨＤＣａｌ、Ｊａｖａ（登録商標）ハードウェア記述言語（ＪＨＤＬ）、Ｌａｖａ、Ｌｏｌａ、ＭｙＨＤＬ、ＰＡＬＡＳＭ、Ｒｕｂｙハードウェア記述言語（ＲＨＤＬ）などの多くのＨＤＬのタイプがある。現在、超高速集積回路ハードウェア記述言語（ＶＨＤＬ）およびＶｅｒｉｌｏｇが最も一般的に使用されている。当業者であれば方法手順が前述のハードウェア記述言語を使用することによって論理的にプログラムされ、および集積回路にプログラムされる限り、論理方法手順を実装するハードウェア回路を容易に得られることを理解するべきである。
【０２２０】
コントローラはあらゆる適切なやり方で実装されてもよい。例えば、コントローラは例えば、マイクロプロセッサまたはプロセッサおよびプロセッサによって実行可能なコンピュータ可読プログラムコード（例えば、ソフトウェアまたはファームウェア）を記憶するコンピュータ可読媒体、論理回転式改札口、スイッチ、特定用途集積回路（ＡＳＩＣ）、プログラマブル論理コントローラおよび組み込み型マイクロコントローラの形態をとることができる。コントローラの例としては、限定はしないが、以下のマイクロコントローラ、すなわちＡＲＣ  ６２５Ｄ、Ａｔｍｅｌ  ＡＴ９１ＳＡＭ、マイクロチップＰＩＣ１８Ｆ２６Ｋ２０およびＳｉｌｉｃｏｎｅ  Ｌａｂｓ  Ｃ８０５１Ｆ３２０が挙げられる。メモリコントローラはまたメモリ制御ロジックの部分として実装されてもよい。当業者であれば、純粋なコンピュータ可読プログラムコードの形態のコントローラを実装することに加えて、論理ゲート、スイッチ、特定用途向け集積回路、プログラマブル論理コントローラ、および組み込み型マイクロコントローラの形態のコントローラ、および同一の機能を達成するための他の形態を実装することができることを了解されたい。したがって、そのようなコントローラはハードウェアコンポーネントとして考えることができ、また様々な機能を実装するためのそれらに含まれるデバイスもまたハードウェアコンポーネント内の構造として考えることができる。代替的に、様々な機能を実装するように構成されるデバイスは、方法を実装するソフトウェアモジュールおよびハードウェアコンポーネント内の構造の両方として考えることができる。
【０２２１】
前述の実施形態において記載されるシステム、デバイス、モジュールまたはユニットは、コンピュータチップまたはエンティティによって具体的に実装することができ、または特定の機能を有する製品によって実装することができる。典型的な実装デバイスは、コンピュータである。具体的に、コンピュータは、例えば、パーソナルコンピュータ、ラップトップコンピュータ、携帯電話、カメラ付き電話、スマートフォン、携帯情報端末、メディアプレーヤ、ナビゲーションデバイス、電子メールデバイス、ゲーム機、タブレット型コンピュータ、ウェアラブルデバイス、またはこれらのデバイスのあらゆる組合せであってもよい。
【０２２２】
説明を容易にするため、デバイスを説明する時、デバイスは機能にしたがって別個に説明されるユニットに分割される。もちろん、本出願の実装の間、ユニットの機能は同一のソフトウェアおよび／もしくはハードウェア、または複数のソフトウェアおよび／もしくはハードウェアに実装されてもよい。
【０２２３】
当業者であれば、本発明の実施形態は、方法、システム、またはコンピュータプログラム製品として提供されてもよいことを理解すべきである。したがって、本発明は完全なハードウェア実施形態、完全なソフトウェア実施形態、またはソフトウェアとハードウェアとの組合せの形態であってもよい。さらに、本発明は、コンピュータ使用可能プログラムコードを含む１つまたは複数のコンピュータ使用可能記憶装置媒体（ディスクメモリ、ＣＤ−ＲＯＭ、光学メモリなどを含むが、それに限定しない）に実装されるコンピュータプログラム製品の形態を使用することができる。
【０２２４】
本発明は、本発明の実施形態にしたがって、方法、デバイス（システム）、およびコンピュータプログラム製品のフローチャートおよび／またはブロック図を参照して記載される。コンピュータプログラム命令は、フローチャートおよび／またはブロック図の、それぞれの処理および／またはそれぞれのブロック、ならびにフローチャートおよび／またはブロック図の、処理および／またはブロックの組合せを実装するために使用されてもよいことを理解されたい。これらのコンピュータプログラム命令は、マシンを生成するために汎用コンピュータ、専用コンピュータ、組み込み型プロセッサ、またはあらゆる他のプログラマブルデータ処理デバイスのプロセッサに提供されることができ、それによってコンピュータまたはあらゆる他のプログラマブルデータ処理デバイスのプロセッサによって実行される命令は、フローチャートの１つもしくは複数の処理における機能、および／またはブロック図における１つもしくは複数のブロックにおける機能を実装するためのデバイスを生成する。
【０２２５】
これらのコンピュータプログラム命令は、コンピュータまたはあらゆる他のプログラマブルデータ処理デバイスに特定のやり方で動作するように命令することができるコンピュータ可読メモリにさらに記憶されてもよく、それによってコンピュータ可読メモリに記憶された命令は、命令デバイスを含むアーチファクトを生成する。命令デバイスは、フローチャートの１つもしくは複数の処理において指定された機能、および／またはブロック図の１つもしくは複数のブロックにおいて指定された機能を実装する。
【０２２６】
これらのコンピュータプログラム命令はコンピュータまたは別のプログラマブルデータ処理デバイスにさらにロードされてよく、それによって、一連の操作およびステップがコンピュータまたは別のプログラマブルデバイスで実施されてコンピュータ実装処理を生成する。したがって、コンピュータまたは別のプログラマブルデバイスで実行される命令は、フローチャートの１つもしくは複数の処理における特定の機能を実装するステップ、および／またはブロック図の１つもしくは複数のブロックにおける特定の機能を実装するステップを提供する。
【０２２７】
典型的な構成では、コンピュータデバイスは１つまたは複数のプロセッサ（ＣＰＵ）、入力／出力インターフェース、ネットワークインターフェース、およびメモリを含む。
【０２２８】
メモリはコンピュータ可読媒体のなかでもランダムアクセスメモリ（ＲＡＭ）などの揮発性のメモリ、および／または読み取り専用メモリ（ＲＯＭ）もしくはフラッシュメモリ（フラッシュＲＡＭ）などの非揮発性のメモリを含むことができる。メモリはコンピュータ可読媒体の例である。
【０２２９】
コンピュータ可読媒体は、あらゆる方法または技術を使用することによって情報記憶装置を実装することができる非揮発性、揮発性、持ち運び可能、および持ち運び不可の媒体を含む。情報は、コンピュータ可読命令、データ構造、プログラムモジュール、または他のデータであってもよい。コンピュータ記憶装置媒体の例としては、限定はしないが、相変化メモリ（ＰＲＡＭ）、静的ランダムアクセスメモリ（ＳＲＡＭ）、動的ランダムアクセスメモリ（ＤＲＡＭ）、他のタイプのランダムアクセスメモリ（ＲＡＭ）、読み取り専用メモリ（ＲＯＭ）、電気的消去可能プログラマブル読み取り専用メモリ（ＥＥＰＲＯＭ）、フラッシュメモリまたは他のメモリ技術、コンパクトディスク読み取り専用メモリ（ＣＤ−ＲＯＭ）、デジタル多用途ディスク（ＤＶＤ）または他の光学記憶装置、カセット磁気テープ、テープおよびディスク記憶装置もしくは他の磁気記憶装置デバイスまたはコンピューティングデバイスがアクセスすることができる情報を記憶するように構成されることができるあらゆる他の非送信媒体を含む。本開示の定義に基づいて、コンピュータ可読媒体は変調データ信号および搬送波などの一時的なコンピュータ可読媒体（一時的な媒体）を含まない。
【０２３０】
用語「を含む（ｉｎｃｌｕｄｅ）」、「を備える（ｃｏｍｐｒｉｓｅ）」またはそれらのあらゆる他の変形は、非排他的包含を範囲とすることを意図され、それによって処理、方法、製品、または一連の要素を含むデバイスは、そのような要素を含むだけでなく明示的に列挙されない他の要素を含むか、またはそのような処理、方法、製品、もしくはデバイスに固有の要素をさらに含むことに留意されたい。特に明記しない限り、「を含む（ｉｎｃｌｕｄｅ  ａ／ａｎ．．．）」によって限定される要素は、その要素を含む処理、方法、製品、またはデバイスに存在する他の同一の要素を排除しない。
【０２３１】
当業者であれば、本出願の実施形態は、方法、システム、またはコンピュータプログラム製品として提供されてもよいことを理解するべきである。したがって、本出願はハードウェア実施形態、ソフトウェア実施形態、またはソフトウェアとハードウェアとを組み合わせる実施形態を使用してもよい。さらに、本出願は、コンピュータ使用可能プログラムコードを含む１つまたは複数のコンピュータ使用可能記憶装置媒体（ディスクメモリ、ＣＤ−ＲＯＭ、光学メモリなどを含むが、それに限定しない）に実装されるコンピュータプログラム製品の形態を使用することができる。
【０２３２】
本出願は、コンピュータによって実行されるコンピュータ実行可能命令、例えば、プログラムモジュールの一般的な文脈で記載することができる。一般的に、プログラムモジュールは、特定のタスクを実行するため、または特定の抽象的なデータタイプを実装するためのルーチン、プログラム、オブジェクト、コンポーネント、データ構造などを含む。本出願はまた、タスクが通信ネットワークを使用することによって接続される遠隔の処理デバイスによって実施される分散コンピューティング環境で実用化されてもよい。分散コンピューティング環境では、プログラムモジュールは記憶装置デバイスを含むローカルおよびリモートの両方のコンピュータ記憶装置媒体に位置付けられてもよい。
【０２３３】
本開示の実施形態は、進行的なやり方で記載される。実施形態において同一のまたは類似する部分については、これらの実施形態を参照されたい。それぞれの実施形態は他の実施形態との違いに着目している。殊に、システム実施形態は基本的に方法実施形態に類似しており、したがって、簡潔に記載され、関連部分について方法実施形態における部分的な説明を参照されたい。
【０２３４】
前述の説明は本出願の実施形態に過ぎず、本出願を限定することを意図していない。当業者に関して、本出願に対して様々な修正および変更がなされてもよい。本出願の精神および原理内でなされるあらゆる修正、等価な置き換え、改善などは、本出願の特許請求の範囲内に入るものとする。
【図１】
2020515979.tif 000003
【図２】
2020515979.tif 000004
【図３ａ】
2020515979.tif 000005
【図３ｂ】
2020515979.tif 000006
【図４ａ】
2020515979.tif 000007
【図４ｂ】
2020515979.tif 000008
【図５ａ】
2020515979.tif 000009
【図５ｂ】
2020515979.tif 000010
【図６】
2020515979.tif 000011
【図７】
2020515979.tif 000012
【図８】
2020515979.tif 000013
【図９】
2020515979.tif 000014
【図１０】
2020515979.tif 000015
【図１１】
2020515979.tif 000016
【図１２】
2020515979.tif 000017
【図１３】
2020515979.tif 000018
【図１４】
2020515979.tif 000019
【図１５】
2020515979.tif 000020
【図１６】
2020515979.tif 000021
【図１７】
2020515979.tif 000022
【図１８】
2020515979.tif 000023
【図１９】
2020515979.tif 000024
【図２０】
2020515979.tif 000025
【図２１】
2020515979.tif 000026
【図２２】
2020515979.tif 000027
【図２３】
2020515979.tif 000028
【図２４】
2020515979.tif 000029
【図２５】
2020515979.tif 000030
【手続補正書】
【提出日】令和2年3月25日(2020.3.25)
【手続補正１】
【補正対象書類名】明細書
【補正対象項目名】０２１９
【補正方法】変更
【補正の内容】
【０２１９】
１９９０年代においては、技術の改善はハードウェアの改善（例えば、ダイオード、トランジスタ、スイッチ、などの回路構造に対する改善）とソフトウェアの改善（方法手順に対する改善）とは明確に区別することができる。しかしながら、技術の発展に伴い多くの方法手順の改善はハードウェア回路構造の直接的な改善として考えることができる。設計者は対応するハードウェア回路構造を得るために改善された方法手順をハードウェア回路にほぼすべてプログラムする。したがって、方法手順の改善がハードウェア・エンティティ・モジュールを使用することによって実装できないことを意味しない。例えば、フィールド・プログラマブルゲートアレイ（ＦＰＧＡ）などのプログラマブル論理デバイス（ＰＬＤ）は、論理機能がデバイスをプログラミングすることによってユーザによって決定される集積回路のタイプである。設計者はチップ製造者におよび専用集積回路チップを設計および準備させる必要なく、デジタル・システムを単一のＰＬＤに「組み込む（ｉｎｔｅｇｒａｔｅ）」ためにプログラミングを実施する。加えて、集積回路チップを手作業で作成する代わりに、ほとんどの場合「論理コンパイラ（ｌｏｇｉｃ  ｃｏｍｐｉｌｅｒ）」ソフトウェアを使用することによってプログラミングが実装され、論理コンパイラ・ソフトウェアはプログラムを記述するために使用されるソフトウェア・コンパイラに類似している。コンパイルする前の元々のコードはまた特定のプログラミング言語で記述され、その特定のプログラミング言語はハードウェア記述言語（ＨＤＬ）と称される。Ａｄｖａｎｃｅｄ  Ｂｏｏｌｅａｎ  Ｅｘｐｒｅｓｓｉｏｎ言語（ＡＢＥＬ）、アルテラ・ハードウェア記述言語（ＡＨＤＬ）、Ｃｏｎｆｌｕｅｎｃｅ、Ｃｏｒｎｅｌｌ  Ｕｎｉｖｅｒｓｉｔｙプログラミング言語（ＣＵＰＬ）、ＨＤＣａｌ、Ｊａｖａハードウェア記述言語（ＪＨＤＬ）、Ｌａｖａ、Ｌｏｌａ、ＭｙＨＤＬ、ＰＡＬＡＳＭ、Ｒｕｂｙハードウェア記述言語（ＲＨＤＬ）などの多くのＨＤＬのタイプがある。現在、超高速集積回路ハードウェア記述言語（ＶＨＤＬ）およびＶｅｒｉｌｏｇが最も一般的に使用されている。当業者であれば方法手順が前述のハードウェア記述言語を使用することによって論理的にプログラムされ、および集積回路にプログラムされる限り、論理方法手順を実装するハードウェア回路を容易に得られることを理解するべきである。
【手続補正２】
【補正対象書類名】明細書
【補正対象項目名】０２２０
【補正方法】変更
【補正の内容】
【０２２０】
コントローラはあらゆる適切なやり方で実装されてもよい。例えば、コントローラは例えば、マイクロプロセッサまたはプロセッサおよびプロセッサによって実行可能なコンピュータ可読プログラム・コード（例えば、ソフトウェアまたはファームウェア）を記憶するコンピュータ可読媒体、論理ゲート、スイッチ、特定用途集積回路（ＡＳＩＣ）、プログラマブル論理コントローラおよび組み込み型マイクロコントローラの形態をとることができる。コントローラの例としては、限定はしないが、以下のマイクロコントローラ、すなわちＡＲＣ  ６２５Ｄ、Ａｔｍｅｌ  ＡＴ９１ＳＡＭ、マイクロチップＰＩＣ１８Ｆ２６Ｋ２０およびＳｉｌｉｃｏｎｅ  Ｌａｂｓ  Ｃ８０５１Ｆ３２０が挙げられる。メモリ・コントローラはまたメモリ制御ロジックの部分として実装されてもよい。当業者であれば、純粋なコンピュータ可読プログラム・コードの形態のコントローラを実装することに加えて、論理ゲート、スイッチ、特定用途向け集積回路、プログラマブル論理コントローラ、および組み込み型マイクロコントローラの形態のコントローラ、および同一の機能を達成するための他の形態を実装することができることを了解されたい。したがって、そのようなコントローラはハードウェア・コンポーネントとして考えることができ、また様々な機能を実装するためのそれらに含まれるデバイスもまたハードウェア・コンポーネント内の構造として考えることができる。代替的に、様々な機能を実装するように構成されるデバイスは、方法を実装するソフトウェア・モジュールおよびハードウェア・コンポーネント内の構造の両方として考えることができる。
【手続補正３】
【補正対象書類名】特許請求の範囲
【補正対象項目名】全文
【補正方法】変更
【補正の内容】
【特許請求の範囲】
【請求項１】
モノのインターネットに基づく情報処理システムであって、前記システムはサーバデバイスと、第１のデバイスとを備え、前記第１のデバイスはモノのインターネットのデバイスであり、
前記第１のデバイスは、第１の取得命令がトリガされると、バイオメトリック特徴情報を取得し、前記取得されたバイオメトリック特徴情報を前記サーバデバイスに送信するように構成され、
前記サーバデバイスは、前記第１のデバイスによって送信された前記バイオメトリック特徴情報を受信し、前記バイオメトリック特徴情報にしたがって、前記バイオメトリック特徴情報に対応するユーザを識別するように構成される、
モノのインターネットに基づく情報処理システム。
【請求項２】
前記システムは第２のデバイスをさらに備え、前記第２のデバイスはモノのインターネットのデバイスであり、
前記第２のデバイスは、第２の取得命令がトリガされると、身体動作情報を取得し、前記取得された身体動作情報を前記サーバデバイスに送信するように構成され、
前記サーバデバイスは、前記第２のデバイスによって送信された前記身体動作情報を受信し、前記身体動作情報にしたがって、前記ユーザのためにトランザクションまたは操作を実施するように構成される、
請求項１に記載のシステム。
【請求項３】
前記第１のデバイスと前記第２のデバイスは同一のデバイスであるか、または
前記第１のデバイスと前記第２のデバイスは同一のデバイスではない、
請求項２に記載のシステム。
【請求項４】
前記第１のデバイスと前記第２のデバイスは同一のデバイスではない場合、前記第１のデバイスと前記第２のデバイスは結合関係を有し、
前記第１のデバイスは前記サーバデバイスによって前記バイオメトリック特徴情報にしたがって前記ユーザを識別することによって得られた識別結果を受信し、前記識別結果にしたがって、前記第１のデバイスに結合される前記第２のデバイスの前記第２の取得命令をトリガするかどうかを判断するか、または前記バイオメトリック特徴情報にしたがって前記ユーザを識別した後、前記サーバデバイスは識別結果にしたがって、前記第１のデバイスに結合される前記第２のデバイスの前記第２の取得命令をトリガするかどうかを判断する、
請求項３に記載のシステム。
【請求項５】
前記システムは音声デバイスをさらに備え、前記音声デバイスはモノのインターネットのデバイスであり、
前記音声デバイスは、音声情報を取得し、前記取得された音声情報を前記サーバデバイスに送信するように構成され、
前記サーバデバイスは、前記音声デバイスによって送信された前記音声情報を受信し、前記バイオメトリック特徴情報および前記音声情報に含まれる声紋特徴情報にしたがって前記ユーザを識別するように構成される、
請求項１に記載のシステム。
【請求項６】
前記システムは音声デバイスをさらに備え、前記音声デバイスはモノのインターネットのデバイスであり、
前記音声デバイスは、音声情報を取得し、前記取得された音声情報を前記サーバデバイスに送信するように構成され、
前記サーバデバイスは、前記音声デバイスによって送信された前記音声情報を受信し、前記音声情報に対する意味的な認識を実施し、前記身体動作情報および前記音声情報から認識した意味にしたがって前記ユーザのために前記トランザクションまたは操作を実施するように構成される、
請求項２に記載のシステム。
【請求項７】
前記サーバデバイスは、前記音声情報から認識した前記意味にしたがって対応する返答情報を前記音声デバイスに返すように構成され、
前記音声デバイスは、前記返答情報を受信して再生するように構成される、
請求項６に記載のシステム。
【請求項８】
前記システムは表示デバイスをさらに備え、
前記サーバデバイスは、前記バイオメトリック特徴情報および／または前記身体動作情報にしたがって応答情報を前記表示デバイスに返すように構成され、
前記表示デバイスは、前記応答情報を受信して表示するように構成される、
請求項２に記載のシステム。
【請求項９】
前記表示デバイスは薄膜ディスプレイであり、前記ユーザによって持ち運ばれる、
請求項８に記載のシステム。
【請求項１０】
前記システムはバイタルサイン検出デバイスをさらに備え、
前記バイタルサイン検出デバイスは、前記ユーザのバイタルサイン情報を取得し、前記バイタルサイン情報を前記サーバデバイスに送信するように構成され、
前記サーバデバイスは、前記バイタルサイン情報を受信し、前記受信されたバイタルサイン情報および記憶された推奨規則にしたがって、前記ユーザに推奨されることになる情報および／またはトランザクションもしくは操作を決定し、前記決定された情報および／またはトランザクションもしくは操作を、表示することのために前記表示デバイスに送信するように構成される、
請求項８に記載のシステム。
【請求項１１】
前記システムは人間身体チップをさらに備え、
前記人間身体チップは、バイオメトリック特徴情報を取得し、前記第１のデバイスに、前記取得されたバイオメトリック特徴情報および／または前記ユーザに一意に対応し、前記人間身体チップに記憶されたデジタル証明書を送信するように構成され、
前記第１のデバイスは、前記バイオメトリック特徴情報および／または前記人間身体チップによって送信された前記デジタル証明書を前記サーバデバイスに送信するように構成され、
前記サーバデバイスは、前記第１のデバイスによって取得される前記バイオメトリック特徴情報、ならびに前記人間身体チップによって取得される前記バイオメトリック特徴情報および／または前記人間身体チップに記憶された前記デジタル証明書にしたがって、前記ユーザを識別するように構成される、
請求項１に記載のシステム。
【請求項１２】
モノのインターネットに基づく情報処理方法であって、
第１のデバイスによって送信されたバイオメトリック特徴情報を、サーバデバイスによって受信することであって、前記第１のデバイスはモノのインターネットのデバイスである、受信することと、
前記バイオメトリック特徴情報にしたがって、前記バイオメトリック特徴情報に対応するユーザを識別することと、
を含む、モノのインターネットに基づく情報処理方法。
【請求項１３】
前記バイオメトリック特徴情報は、複数の生理学的特徴および挙動的特徴のうちの１つ、または複数の生理学的特徴および挙動的特徴の組合せを含む、
請求項１２に記載の方法。
【請求項１４】
前記バイオメトリック特徴情報にしたがって、前記バイオメトリック特徴情報に対応するユーザを識別することは、具体的に、
受信されるバイオメトリック特徴情報のそれぞれのタイプについて、前記バイオメトリック特徴情報とそれぞれの事前記憶されたバイオメトリック特徴サンプルとの間の類似性を決定することと、前記決定された類似性にしたがって前記バイオメトリック特徴情報とマッチングするバイオメトリック特徴サンプルを決定することと、それぞれの事前記憶されたバイオメトリック特徴サンプルとユーザとの間の対応関係にしたがって、前記バイオメトリック特徴情報とマッチングする前記バイオメトリック特徴サンプルに対応するユーザを決定することと、
前記バイオメトリック特徴情報のすべてのタイプに基づいてそれぞれ決定されたユーザのうち、設定された数より多いユーザまたは設定された比より多いユーザが同一のユーザである場合、前記同一のユーザが識別結果であると判断することと、
を含む、請求項１３に記載の方法。
【請求項１５】
前記方法は、
前記サーバデバイスによって第２のデバイスによって送信された身体動作情報を受信することであって、前記第２のデバイスはモノのインターネットのデバイスである、受信することと、
前記身体動作情報にしたがって、前記ユーザのためにトランザクションまたは操作を実施することと、
をさらに含む、請求項１２に記載の方法。
【請求項１６】
前記身体動作情報にしたがって、前記ユーザのためにトランザクションまたは操作を実施することは、具体的に、
前記第２のデバイスと身体動作情報との間の事前記憶された対応関係にしたがって、前記第２のデバイスに対応する身体動作情報を決定することと、
前記決定された身体動作情報のうち前記受信された身体動作情報とマッチングする身体動作情報を決定することと、
前記第２のデバイスと、それぞれの身体動作情報と、トランザクションまたは操作との間について設定された事前記憶された対応関係にしたがって、前記ユーザのために前記受信された身体動作情報とマッチングする前記身体動作情報に対応するトランザクションまたは操作を実施することと、
を含む、請求項１５に記載の方法。
【請求項１７】
前記サーバデバイスによって第２のデバイスによって送信された身体動作情報を受信することの前に、前記方法は、
前記サーバデバイスによって、および前記識別されたユーザにしたがって、前記ユーザが認可されたユーザかどうかを判断することをさらに含み、
前記ユーザが認可されたユーザであれば、前記第２のデバイスが前記身体動作情報を取得するために、前記第１のデバイスに結合される前記第２のデバイスの第２の取得命令をトリガする、または
前記ユーザが認可されたユーザでなければ、前記第１のデバイスに結合される前記第２のデバイスの第２の取得命令をトリガしない、
請求項１５に記載の方法。
【請求項１８】
モノのインターネットに基づく情報処理方法であって、
第１のデバイスの第１の取得命令がトリガされるかどうか、前記第１のデバイスによって監視することであって、前記第１のデバイスがモノのインターネットのデバイスである、監視することと、
前記第１の取得命令がトリガされることを検出すると、バイオメトリック特徴情報を取得することと、
サーバデバイスが前記バイオメトリック特徴情報に対応するユーザを識別するために、前記取得されたバイオメトリック特徴情報を前記サーバデバイスに送信することと、
を含む、モノのインターネットに基づく情報処理方法。
【請求項１９】
距離センサまたは近接センサが前記第１のデバイスに配置され、
第１のデバイスによって、前記第１のデバイスの第１の取得命令がトリガされるかどうかを監視することは、具体的に、
前記第１のデバイスによって前記距離センサまたは近接センサを使用することによって、前記第１のデバイスまでの距離が設定された距離未満である物体があるかどうかを監視することを含み、
前記設定された距離未満である物体があれば、前記第１の取得命令がトリガされることを決定する、
請求項１８に記載の方法。
【請求項２０】
光学センサが前記第１のデバイスに配置され、
第１のデバイスによって、前記第１のデバイスの第１の取得命令がトリガされるかどうかを監視することは、具体的に、
前記第１のデバイスによって前記光学センサを使用することによって、前記第１のデバイスによって受信される照明の強度が照明強度しきい値よりも低いかどうかを監視することを含み、
前記照明の強度が前記しきい値よりも低い場合、前記第１の取得命令がトリガされることを決定する、
請求項１８に記載の方法。
【請求項２１】
温度センサが前記第１のデバイスに配置され、
第１のデバイスによって、前記第１のデバイスの第１の取得命令がトリガされるかどうかを監視することは、具体的に、
前記第１のデバイスによって前記温度センサを使用することによって、前記第１のデバイスが位置付けられる環境の温度が温度しきい値よりも高いかどうかを監視することを含み、
前記環境の前記温度が前記しきい値よりも高い場合、前記第１の取得命令がトリガされることを決定する、
請求項１８に記載の方法。
【国際調査報告】
2020515979.tif 000031
2020515979.tif 000032
2020515979.tif 000033
2020515979.tif 000034